(57)【要約】      （修正有）【課題】運転コストを削減し、観察者に対する注意喚起性能を向上させる。【解決手段】複数のプリズムの稜線が同心円状に配列された１組の略平行なプリズムシート３ａ、３ｂと、プリズムシート間に位置し、かつ、プリズムシートと略平行かつ同心の円上に位置する複数のＬＥＤ光源１ａ、１ｇ等とを具備し、ＬＥＤ光源を１個ずつ順次点灯させると、プリズムシートに形成されている輝線が回転しているかのように見えるＬＥＤ照明装置１００において、ＬＥＤ光源の点灯時に、ＬＥＤ光源光によって輝線がプリズムシートに形成され、リフレクタ４ａ、４ｇ等により反射されたＬＥＤ光源からの光によって輝線がプリズムシートに形成され、リフレクタにより反射されたＬＥＤ光源からの光によって輝線がプリズムシートに形成される。【選択図】図２
2013197063.tif 000002
【特許請求の範囲】
【請求項１】
複数のプリズム（３ａ１）の稜線（３ａ１ａ）が同心円状に配列された第１プリズムシート（３ａ）と、複数のプリズム（３ｂ１）の稜線（３ｂ１ａ）が同心円状に配列された第２プリズムシート（３ｂ）と、概略点状に光って見える第１ＬＥＤ光源（１ａ）と、概略点状に光って見える第２ＬＥＤ光源（１ｂ）と、概略点状に光って見える第３ＬＥＤ光源（１ｃ）とを具備し、
第１プリズムシート（３ａ）と第２プリズムシート（３ｂ）とを略平行に配置し、
第１プリズムシート（３ａ）と第２プリズムシート（３ｂ）との間に位置し、かつ、それらに略平行な円（ＣＲ１）であって、第１プリズムシート（３ａ）の同心円状の複数のプリズム（３ａ１）の中心（３ａ１ａ１）および第２プリズムシート（３ｂ）の同心円状の複数のプリズム（３ｂ１）の中心（３ｂ１ａ１）を通る第１プリズムシート（３ａ）および第２プリズムシート（３ｂ）の法線（３ａ２，３ｂ２）を中心とする円（ＣＲ１）上に、第１ＬＥＤ光源（１ａ）、第２ＬＥＤ光源（１ｂ）および第３ＬＥＤ光源（１ｃ）を配列し、
第１ＬＥＤ光源（１ａ）から、第１プリズムシート（３ａ）および第２プリズムシート（３ｂ）の法線（３ａ２，３ｂ２）と第１ＬＥＤ光源（１ａ）とを含む第１平面（ＰＬａ）の一方の側に照射された光のうち、円（ＣＲ１）の径方向の外側に向かって進む光を反射して、円（ＣＲ１）の径方向の中心側に向かって進む光にするための楕円系反射面（４ａ１ａ）を有する第１リフレクタ（４ａ１）を設け、
第１リフレクタ（４ａ１）の楕円系反射面（４ａ１ａ）の第１焦点（４ａ１ｂ）を第１ＬＥＤ光源（１ａ）上に配置し、
第１リフレクタ（４ａ１）の楕円系反射面（４ａ１ａ）の第２焦点（４ａ１ｃ）を円（ＣＲ１）上に配置し、
円（ＣＲ１）の径方向の中心側に向かって進む第１リフレクタ（４ａ１）の楕円系反射面（４ａ１ａ）からの反射光を反射して、円（ＣＲ１）の径方向の外側に向かって進む光にするための反射面（４ａ２ａ）を有する第２リフレクタ（４ａ２）を設け、
第２リフレクタ（４ａ２）の反射面（４ａ２ａ）を第１リフレクタ（４ａ１）の楕円系反射面（４ａ１ａ）の第２焦点（４ａ１ｃ）上またはその近傍に配置し、
円（ＣＲ１）の径方向の外側に向かって進む第２リフレクタ（４ａ２）の反射面（４ａ２ａ）からの反射光を反射して、円（ＣＲ１）の径方向の中心側に向かって進む光にするための楕円系反射面（４ａ３ａ）を有する第３リフレクタ（４ａ３）を設け、
第３リフレクタ（４ａ３）の楕円系反射面（４ａ３ａ）の第１焦点（４ａ３ｂ）を第１リフレクタ（４ａ１）の楕円系反射面（４ａ１ａ）の第２焦点（４ａ１ｃ）上に配置し、
第３リフレクタ（４ａ３）の楕円系反射面（４ａ３ａ）の第２焦点（４ａ３ｃ）を円（ＣＲ１）上に配置し、
第１ＬＥＤ光源（１ａ）から第１平面（ＰＬａ）の他方の側に照射された光のうち、円（ＣＲ１）の径方向の外側に向かって進む光を反射して、円（ＣＲ１）の径方向の中心側に向かって進む光にするための楕円系反射面（４ａ４ａ）を有する第４リフレクタ（４ａ４）を設け、
第４リフレクタ（４ａ４）の楕円系反射面（４ａ４ａ）の第１焦点（４ａ４ｂ）を第１ＬＥＤ光源（１ａ）上に配置し、
第４リフレクタ（４ａ４）の楕円系反射面（４ａ４ａ）の第２焦点（４ａ４ｃ）を円（ＣＲ１）上に配置し、
円（ＣＲ１）の径方向の中心側に向かって進む第４リフレクタ（４ａ４）の楕円系反射面（４ａ４ａ）からの反射光を反射して、円（ＣＲ１）の径方向の外側に向かって進む光にするための反射面（４ａ５ａ）を有する第５リフレクタ（４ａ５）を設け、
第５リフレクタ（４ａ５）の反射面（４ａ５ａ）を第４リフレクタ（４ａ４）の楕円系反射面（４ａ４ａ）の第２焦点（４ａ４ｃ）上またはその近傍に配置し、
円（ＣＲ１）の径方向の外側に向かって進む第５リフレクタ（４ａ５）の反射面（４ａ５ａ）からの反射光を反射して、円（ＣＲ１）の径方向の中心側に向かって進む光にするための楕円系反射面（４ａ６ａ）を有する第６リフレクタ（４ａ６）を設け、
第６リフレクタ（４ａ６）の楕円系反射面（４ａ６ａ）の第１焦点（４ａ６ｂ）を第４リフレクタ（４ａ４）の楕円系反射面（４ａ４ａ）の第２焦点（４ａ４ｃ）上に配置し、
第６リフレクタ（４ａ６）の楕円系反射面（４ａ６ａ）の第２焦点（４ａ６ｃ）を円（ＣＲ１）上に配置し、
第２ＬＥＤ光源（１ｂ）から、第１プリズムシート（３ａ）および第２プリズムシート（３ｂ）の法線（３ａ２，３ｂ２）と第２ＬＥＤ光源（１ｂ）とを含む第２平面（ＰＬｂ）の一方の側に照射された光のうち、円（ＣＲ１）の径方向の外側に向かって進む光を反射して、円（ＣＲ１）の径方向の中心側に向かって進む光にするための楕円系反射面（４ｂ１ａ）を有する第７リフレクタ（４ｂ１）を設け、
第７リフレクタ（４ｂ１）の楕円系反射面（４ｂ１ａ）の第１焦点（４ｂ１ｂ）を第２ＬＥＤ光源（１ｂ）上に配置し、
第７リフレクタ（４ｂ１）の楕円系反射面（４ｂ１ａ）の第２焦点（４ｂ１ｃ）を円（ＣＲ１）上に配置し、
円（ＣＲ１）の径方向の中心側に向かって進む第７リフレクタ（４ｂ１）の楕円系反射面（４ｂ１ａ）からの反射光を反射して、円（ＣＲ１）の径方向の外側に向かって進む光にするための反射面（４ｂ２ａ）を有する第８リフレクタ（４ｂ２）を設け、
第８リフレクタ（４ｂ２）の反射面（４ｂ２ａ）を第７リフレクタ（４ｂ１）の楕円系反射面（４ｂ１ａ）の第２焦点（４ｂ１ｃ）上またはその近傍に配置し、
円（ＣＲ１）の径方向の外側に向かって進む第８リフレクタ（４ｂ２）の反射面（４ｂ２ａ）からの反射光を反射して、円（ＣＲ１）の径方向の中心側に向かって進む光にするための楕円系反射面（４ｂ３ａ）を有する第９リフレクタ（４ｂ３）を設け、
第９リフレクタ（４ｂ３）の楕円系反射面（４ｂ３ａ）の第１焦点（４ｂ３ｂ）を第７リフレクタ（４ｂ１）の楕円系反射面（４ｂ１ａ）の第２焦点（４ｂ１ｃ）上に配置し、
第９リフレクタ（４ｂ３）の楕円系反射面（４ｂ３ａ）の第２焦点（４ｂ３ｃ）を円（ＣＲ１）上に配置し、
第２ＬＥＤ光源（１ｂ）から第２平面（ＰＬｂ）の他方の側に照射された光のうち、円（ＣＲ１）の径方向の外側に向かって進む光を反射して、円（ＣＲ１）の径方向の中心側に向かって進む光にするための楕円系反射面（４ｂ４ａ）を有する第１０リフレクタ（４ｂ４）を設け、
第１０リフレクタ（４ｂ４）の楕円系反射面（４ｂ４ａ）の第１焦点（４ｂ４ｂ）を第２ＬＥＤ光源（１ｂ）上に配置し、
第１０リフレクタ（４ｂ４）の楕円系反射面（４ｂ４ａ）の第２焦点（４ｂ４ｃ）を円（ＣＲ１）上に配置し、
円（ＣＲ１）の径方向の中心側に向かって進む第１０リフレクタ（４ｂ４）の楕円系反射面（４ｂ４ａ）からの反射光を反射して、円（ＣＲ１）の径方向の外側に向かって進む光にするための反射面（４ｂ５ａ）を有する第１１リフレクタ（４ｂ５）を設け、
第１１リフレクタ（４ｂ５）の反射面（４ｂ５ａ）を第１０リフレクタ（４ｂ４）の楕円系反射面（４ｂ４ａ）の第２焦点（４ｂ４ｃ）上またはその近傍に配置し、
円（ＣＲ１）の径方向の外側に向かって進む第１１リフレクタ（４ｂ５）の反射面（４ｂ５ａ）からの反射光を反射して、円（ＣＲ１）の径方向の中心側に向かって進む光にするための楕円系反射面（４ｂ６ａ）を有する第１２リフレクタ（４ｂ６）を設け、
第１２リフレクタ（４ｂ６）の楕円系反射面（４ｂ６ａ）の第１焦点（４ｂ６ｂ）を第１０リフレクタ（４ｂ４）の楕円系反射面（４ｂ４ａ）の第２焦点（４ｂ４ｃ）上に配置し、
第１２リフレクタ（４ｂ６）の楕円系反射面（４ｂ６ａ）の第２焦点（４ｂ６ｃ）を円（ＣＲ１）上に配置し、
第３ＬＥＤ光源（１ｃ）から、第１プリズムシート（３ａ）および第２プリズムシート（３ｂ）の法線（３ａ２，３ｂ２）と第３ＬＥＤ光源（１ｃ）とを含む第３平面（ＰＬｃ）の一方の側に照射された光のうち、円（ＣＲ１）の径方向の外側に向かって進む光を反射して、円（ＣＲ１）の径方向の中心側に向かって進む光にするための楕円系反射面（４ｃ１ａ）を有する第１３リフレクタ（４ｃ１）を設け、
第１３リフレクタ（４ｃ１）の楕円系反射面（４ｃ１ａ）の第１焦点（４ｃ１ｂ）を第３ＬＥＤ光源（１ｃ）上に配置し、
第１３リフレクタ（４ｃ１）の楕円系反射面（４ｃ１ａ）の第２焦点（４ｃ１ｃ）を円（ＣＲ１）上に配置し、
円（ＣＲ１）の径方向の中心側に向かって進む第１３リフレクタ（４ｃ１）の楕円系反射面（４ｃ１ａ）からの反射光を反射して、円（ＣＲ１）の径方向の外側に向かって進む光にするための反射面（４ｃ２ａ）を有する第１４リフレクタ（４ｃ２）を設け、
第１４リフレクタ（４ｃ２）の反射面（４ｃ２ａ）を第１３リフレクタ（４ｃ１）の楕円系反射面（４ｃ１ａ）の第２焦点（４ｃ１ｃ）上またはその近傍に配置し、
円（ＣＲ１）の径方向の外側に向かって進む第１４リフレクタ（４ｃ２）の反射面（４ｃ２ａ）からの反射光を反射して、円（ＣＲ１）の径方向の中心側に向かって進む光にするための楕円系反射面（４ｃ３ａ）を有する第１５リフレクタ（４ｃ３）を設け、
第１５リフレクタ（４ｃ３）の楕円系反射面（４ｃ３ａ）の第１焦点（４ｃ３ｂ）を第１３リフレクタ（４ｃ１）の楕円系反射面（４ｃ１ａ）の第２焦点（４ｃ１ｃ）上に配置し、
第１５リフレクタ（４ｃ３）の楕円系反射面（４ｃ３ａ）の第２焦点（４ｃ３ｃ）を円（ＣＲ１）上に配置し、
第３ＬＥＤ光源（１ｃ）から第３平面（ＰＬｃ）の他方の側に照射された光のうち、円（ＣＲ１）の径方向の外側に向かって進む光を反射して、円（ＣＲ１）の径方向の中心側に向かって進む光にするための楕円系反射面（４ｃ４ａ）を有する第１６リフレクタ（４ｃ４）を設け、
第１６リフレクタ（４ｃ４）の楕円系反射面（４ｃ４ａ）の第１焦点（４ｃ４ｂ）を第３ＬＥＤ光源（１ｃ）上に配置し、
第１６リフレクタ（４ｃ４）の楕円系反射面（４ｃ４ａ）の第２焦点（４ｃ４ｃ）を円（ＣＲ１）上に配置し、
円（ＣＲ１）の径方向の中心側に向かって進む第１６リフレクタ（４ｃ４）の楕円系反射面（４ｃ４ａ）からの反射光を反射して、円（ＣＲ１）の径方向の外側に向かって進む光にするための反射面（４ｃ５ａ）を有する第１７リフレクタ（４ｃ５）を設け、
第１７リフレクタ（４ｃ５）の反射面（４ｃ５ａ）を第１６リフレクタ（４ｃ４）の楕円系反射面（４ｃ４ａ）の第２焦点（４ｃ４ｃ）上またはその近傍に配置し、
円（ＣＲ１）の径方向の外側に向かって進む第１７リフレクタ（４ｃ５）の反射面（４ｃ５ａ）からの反射光を反射して、円（ＣＲ１）の径方向の中心側に向かって進む光にするための楕円系反射面（４ｃ６ａ）を有する第１８リフレクタ（４ｃ６）を設け、
第１８リフレクタ（４ｃ６）の楕円系反射面（４ｃ６ａ）の第１焦点（４ｃ６ｂ）を第１６リフレクタ（４ｃ４）の楕円系反射面（４ｃ４ａ）の第２焦点（４ｃ４ｃ）上に配置し、
第１８リフレクタ（４ｃ６）の楕円系反射面（４ｃ６ａ）の第２焦点（４ｃ６ｃ）を円（ＣＲ１）上に配置し、
第１ＬＥＤ光源（１ａ）の点灯時には、
第１ＬＥＤ光源（１ａ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成され、かつ、
第１ＬＥＤ光源（１ａ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第１プリズムシート（３ａ）および第２プリズムシート（３ｂ）の法線（３ａ２，３ｂ２）と第３リフレクタ（４ａ３）の楕円系反射面（４ａ３ａ）の第２焦点（４ａ３ｃ）とを含む第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第１プリズムシート（３ａ）および第２プリズムシート（３ｂ）の法線（３ａ２，３ｂ２）と第６リフレクタ（４ａ６）の楕円系反射面（４ａ６ａ）の第２焦点（４ａ６ｃ）とを含む第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成され、
第２ＬＥＤ光源（１ｂ）の点灯時には、
第２ＬＥＤ光源（１ｂ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成され、かつ、
第２ＬＥＤ光源（１ｂ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第１プリズムシート（３ａ）および第２プリズムシート（３ｂ）の法線（３ａ２，３ｂ２）と第９リフレクタ（４ｂ３）の楕円系反射面（４ｂ３ａ）の第２焦点（４ｂ３ｃ）とを含む第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第１プリズムシート（３ａ）および第２プリズムシート（３ｂ）の法線（３ａ２，３ｂ２）と第１２リフレクタ（４ｂ６）の楕円系反射面（４ｂ６ａ）の第２焦点（４ｂ６ｃ）とを含む第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成され、
第３ＬＥＤ光源（１ｃ）の点灯時には、
第３ＬＥＤ光源（１ｃ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成され、かつ、
第３ＬＥＤ光源（１ｃ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第１プリズムシート（３ａ）および第２プリズムシート（３ｂ）の法線（３ａ２，３ｂ２）と第１５リフレクタ（４ｃ３）の楕円系反射面（４ｃ３ａ）の第２焦点（４ｃ３ｃ）とを含む第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第１プリズムシート（３ａ）および第２プリズムシート（３ｂ）の法線（３ａ２，３ｂ２）と第１８リフレクタ（４ｃ６）の楕円系反射面（４ｃ６ａ）の第２焦点（４ｃ６ｃ）とを含む第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成され、
第１ＬＥＤ光源（１ａ）、第２ＬＥＤ光源（１ｂ）および第３ＬＥＤ光源（１ｃ）を１個ずつ順次点灯させると、あたかも第１プリズムシート（３ａ）に形成されている３本の輝線が第１プリズムシート（３ａ）の同心円状の複数のプリズム（３ａ１）の中心（３ａ１ａ１）のまわりを回転しているかのように見えると共に、あたかも第２プリズムシート（３ｂ）に形成されている３本の輝線が第２プリズムシート（３ｂ）の同心円状の複数のプリズム（３ｂ１）の中心（３ｂ１ａ１）のまわりを回転しているかのように見えることを特徴とするＬＥＤ照明装置（１００）。
【請求項２】
円（ＣＲ１）に略平行な対称面（ＳＰ）に関して第１ＬＥＤ光源（１ａ）と鏡像関係を有する概略点状に光って見える第４ＬＥＤ光源（１ｄ）と、
対称面（ＳＰ）に関して第２ＬＥＤ光源（１ｂ）と鏡像関係を有する概略点状に光って見える第５ＬＥＤ光源（１ｅ）と、
対称面（ＳＰ）に関して第３ＬＥＤ光源（１ｃ）と鏡像関係を有する概略点状に光って見える第６ＬＥＤ光源（１ｆ）と、
対称面（ＳＰ）に関して第１リフレクタ（４ａ１）と鏡像関係を有する第１９リフレクタ（４ｄ１）と、
対称面（ＳＰ）に関して第２リフレクタ（４ａ２）と鏡像関係を有する第２０リフレクタ（４ｄ２）と、
対称面（ＳＰ）に関して第３リフレクタ（４ａ３）と鏡像関係を有する第２１リフレクタ（４ｄ３）と、
対称面（ＳＰ）に関して第４リフレクタ（４ａ４）と鏡像関係を有する第２２リフレクタ（４ｄ４）と、
対称面（ＳＰ）に関して第５リフレクタ（４ａ５）と鏡像関係を有する第２３リフレクタ（４ｄ５）と、
対称面（ＳＰ）に関して第６リフレクタ（４ａ６）と鏡像関係を有する第２４リフレクタ（４ｄ６）と、
対称面（ＳＰ）に関して第７リフレクタ（４ｂ１）と鏡像関係を有する第２５リフレクタ（４ｅ１）と、
対称面（ＳＰ）に関して第８リフレクタ（４ｂ２）と鏡像関係を有する第２６リフレクタ（４ｅ２）と、
対称面（ＳＰ）に関して第９リフレクタ（４ｂ３）と鏡像関係を有する第２７リフレクタ（４ｅ３）と、
対称面（ＳＰ）に関して第１０リフレクタ（４ｂ４）と鏡像関係を有する第２８リフレクタ（４ｅ４）と、
対称面（ＳＰ）に関して第１１リフレクタ（４ｂ５）と鏡像関係を有する第２９リフレクタ（４ｅ５）と、
対称面（ＳＰ）に関して第１２リフレクタ（４ｂ６）と鏡像関係を有する第３０リフレクタ（４ｄ６）と、
対称面（ＳＰ）に関して第１３リフレクタ（４ｃ１）と鏡像関係を有する第３１リフレクタ（４ｆ１）と、
対称面（ＳＰ）に関して第１４リフレクタ（４ｃ２）と鏡像関係を有する第３２リフレクタ（４ｆ２）と、
対称面（ＳＰ）に関して第１５リフレクタ（４ｃ３）と鏡像関係を有する第３３リフレクタ（４ｆ３）と、
対称面（ＳＰ）に関して第１６リフレクタ（４ｃ４）と鏡像関係を有する第３４リフレクタ（４ｆ４）と、
対称面（ＳＰ）に関して第１７リフレクタ（４ｃ５）と鏡像関係を有する第３５リフレクタ（４ｆ５）と、
対称面（ＳＰ）に関して第１８リフレクタ（４ｃ６）と鏡像関係を有する第３６リフレクタ（４ｆ６）とを設け、
第１ＬＥＤ光源（１ａ）の点灯時に、
第４ＬＥＤ光源（１ｄ）が点灯され、かつ、
第１ＬＥＤ光源（１ａ）から照射され、第１平面（ＰＬａ）内を進み、第１プリズムシート（３ａ）の同心円状の複数のプリズム（３ａ１）を透過した光、および、第４ＬＥＤ光源（１ｄ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成され、かつ、
第１ＬＥＤ光源（１ａ）から照射され、第１平面（ＰＬａ）内を進み、第２プリズムシート（３ｂ）の同心円状の複数のプリズム（３ｂ１）を透過した光、および、第４ＬＥＤ光源（１ｄ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第１プリズムシート（３ａ）の同心円状の複数のプリズム（３ａ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第１プリズムシート（３ａ）の同心円状の複数のプリズム（３ａ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成され、
第２ＬＥＤ光源（１ｂ）の点灯時に、
第５ＬＥＤ光源（１ｅ）が点灯され、かつ、
第２ＬＥＤ光源（１ｂ）から照射され、第２平面（ＰＬｂ）内を進み、第１プリズムシート（３ａ）の同心円状の複数のプリズム（３ａ１）を透過した光、および、第５ＬＥＤ光源（１ｅ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成され、かつ、
第２ＬＥＤ光源（１ｂ）から照射され、第２平面（ＰＬｂ）内を進み、第２プリズムシート（３ｂ）の同心円状の複数のプリズム（３ｂ１）を透過した光、および、第５ＬＥＤ光源（１ｅ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第１プリズムシート（３ａ）の同心円状の複数のプリズム（３ａ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第１プリズムシート（３ａ）の同心円状の複数のプリズム（３ａ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成され、
第３ＬＥＤ光源（１ｃ）の点灯時に、
第６ＬＥＤ光源（１ｆ）が点灯され、かつ、
第３ＬＥＤ光源（１ｃ）から照射され、第３平面（ＰＬｃ）内を進み、第１プリズムシート（３ａ）の同心円状の複数のプリズム（３ａ１）を透過した光、および、第６ＬＥＤ光源（１ｆ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成され、かつ、
第３ＬＥＤ光源（１ｃ）から照射され、第３平面（ＰＬｃ）内を進み、第２プリズムシート（３ｂ）の同心円状の複数のプリズム（３ｂ１）を透過した光、および、第６ＬＥＤ光源（１ｆ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第１プリズムシート（３ａ）の同心円状の複数のプリズム（３ａ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第１プリズムシート（３ａ）の同心円状の複数のプリズム（３ａ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成されることを特徴とする請求項１に記載のＬＥＤ照明装置（１００）。
【発明の詳細な説明】
【技術分野】
【０００１】
本発明は、複数のプリズムの稜線が同心円状に配列されたプリズムシートと、概略点状に光って見える複数のＬＥＤ光源とを具備し、プリズムシートに略平行な円であって、プリズムシートの同心円状の複数のプリズムの中心を通るプリズムシートの法線を中心とする円上に、複数のＬＥＤ光源を配列したＬＥＤ照明装置に関する。
【０００２】
特に、本発明は、ＬＥＤ照明装置の運転コストを削減することができると共に、観察者に対する注意喚起性能を向上させることができるＬＥＤ照明装置に関する。
【背景技術】
【０００３】
従来から、複数のプリズムの稜線が同心円状に配列されたプリズムシートと、概略点状に光って見える複数のＬＥＤ光源とを具備し、プリズムシートに略平行な円であって、プリズムシートの同心円状の複数のプリズムの中心を通るプリズムシートの法線を中心とする円上に、複数のＬＥＤ光源を配列したＬＥＤ照明装置が知られている。この種のＬＥＤ照明装置の例としては、例えば特許文献１（特開２０００−３５７７０号公報）の段落００２４、図１５、図１６および図１７に記載されたものがある。
【０００４】
特許文献１の段落００２４、図１５、図１６および図１７に記載されたＬＥＤ照明装置では、複数のＬＥＤ光源として、少なくとも第１ＬＥＤ光源と、第２ＬＥＤ光源と、第３ＬＥＤ光源とが設けられている。詳細には、特許文献１の段落００２４、図１５、図１６および図１７に記載されたＬＥＤ照明装置では、第１ＬＥＤ光源の点灯時に、第１ＬＥＤ光源から照射され、プリズムシートの同心円状の複数のプリズムの中心を通るプリズムシートの法線と第１ＬＥＤ光源とを含む平面内を進み、プリズムシートの同心円状の複数のプリズムを透過した光によって、プリズムシートの同心円状の複数のプリズムの径方向に延びている輝線（光線像）がプリズムシートに形成される。
【０００５】
また、特許文献１の段落００２４、図１５、図１６および図１７に記載されたＬＥＤ照明装置では、第２ＬＥＤ光源の点灯時に、第２ＬＥＤ光源から照射され、プリズムシートの同心円状の複数のプリズムの中心を通るプリズムシートの法線と第２ＬＥＤ光源とを含む平面内を進み、プリズムシートの同心円状の複数のプリズムを透過した光によって、プリズムシートの同心円状の複数のプリズムの径方向に延びている輝線（光線像）がプリズムシートに形成される。
【０００６】
更に、特許文献１の段落００２４、図１５、図１６および図１７に記載されたＬＥＤ照明装置では、第３ＬＥＤ光源の点灯時に、第３ＬＥＤ光源から照射され、プリズムシートの同心円状の複数のプリズムの中心を通るプリズムシートの法線と第３ＬＥＤ光源とを含む平面内を進み、プリズムシートの同心円状の複数のプリズムを透過した光によって、プリズムシートの同心円状の複数のプリズムの径方向に延びている輝線（光線像）がプリズムシートに形成される。
【０００７】
詳細には、特許文献１の段落００２４、図１５、図１６および図１７に記載されたＬＥＤ照明装置では、第１ＬＥＤ光源、第２ＬＥＤ光源および第３ＬＥＤ光源を１個ずつ順次点灯させると、あたかもプリズムシートに形成されている輝線（光線像）がプリズムシートの同心円状の複数のプリズムの中心のまわりを回転しているかのように見える。そのため、特許文献１の段落００２４、図１５、図１６および図１７に記載されたＬＥＤ照明装置では、あたかも回転しているかのように見える輝線（光線像）を、アナログ式数量表示用指針として用いることができる。
【先行技術文献】
【特許文献】
【０００８】
【特許文献１】特開２０００−３５７７０号公報
【発明の概要】
【発明が解決しようとする課題】
【０００９】
ところで、特許文献１の図１５、図１６および図１７に記載されたＬＥＤ照明装置では、１本の輝線（光線像）をプリズムシートに形成するために１個のＬＥＤ光源を点灯する必要がある。つまり、特許文献１の図１５、図１６および図１７に記載されたＬＥＤ照明装置では、例えば観察者に対する注意喚起性能を向上させるために複数の輝線（光線像）をプリズムシートに形成する場合、複数のＬＥＤ光源を点灯しなければならない。
【００１０】
そのため、特許文献１の図１５、図１６および図１７に記載されたＬＥＤ照明装置では、例えば観察者に対する注意喚起性能を向上させるために複数の輝線（光線像）をプリズムシートに形成しようとすると、１個のみのＬＥＤ光源が点灯される場合よりも、ＬＥＤ照明装置の運転コストが嵩んでしまう。
【００１１】
また、特許文献１の図１５、図１６および図１７に記載されたＬＥＤ照明装置では、プリズムシートが１枚のみ設けられている。そのため、特許文献１の図１５、図１６および図１７に記載されたＬＥＤ照明装置では、そのプリズムシートに対向する観察者が、そのプリズムシートに形成された輝線（光線像）を視認することができるものの、そのプリズムシートに対向していない観察者（詳細には、そのプリズムシートの背面側（特許文献１の図１５の左側）に位置する観察者）が、そのプリズムシートに形成された輝線（光線像）を視認することができない。つまり、特許文献１の図１５、図１６および図１７に記載されたＬＥＤ照明装置では、複数の観察者に対する注意喚起性能を十分に向上させることができない。
【００１２】
前記問題点に鑑み、本発明は、ＬＥＤ照明装置の運転コストを削減することができると共に、観察者に対する注意喚起性能を向上させることができるＬＥＤ照明装置を提供することを目的とする。
【課題を解決するための手段】
【００１３】
請求項１に記載の発明によれば、複数のプリズム（３ａ１）の稜線（３ａ１ａ）が同心円状に配列された第１プリズムシート（３ａ）と、複数のプリズム（３ｂ１）の稜線（３ｂ１ａ）が同心円状に配列された第２プリズムシート（３ｂ）と、概略点状に光って見える第１ＬＥＤ光源（１ａ）と、概略点状に光って見える第２ＬＥＤ光源（１ｂ）と、概略点状に光って見える第３ＬＥＤ光源（１ｃ）とを具備し、
第１プリズムシート（３ａ）と第２プリズムシート（３ｂ）とを略平行に配置し、
第１プリズムシート（３ａ）と第２プリズムシート（３ｂ）との間に位置し、かつ、それらに略平行な円（ＣＲ１）であって、第１プリズムシート（３ａ）の同心円状の複数のプリズム（３ａ１）の中心（３ａ１ａ１）および第２プリズムシート（３ｂ）の同心円状の複数のプリズム（３ｂ１）の中心（３ｂ１ａ１）を通る第１プリズムシート（３ａ）および第２プリズムシート（３ｂ）の法線（３ａ２，３ｂ２）を中心とする円（ＣＲ１）上に、第１ＬＥＤ光源（１ａ）、第２ＬＥＤ光源（１ｂ）および第３ＬＥＤ光源（１ｃ）を配列し、
第１ＬＥＤ光源（１ａ）から、第１プリズムシート（３ａ）および第２プリズムシート（３ｂ）の法線（３ａ２，３ｂ２）と第１ＬＥＤ光源（１ａ）とを含む第１平面（ＰＬａ）の一方の側に照射された光のうち、円（ＣＲ１）の径方向の外側に向かって進む光を反射して、円（ＣＲ１）の径方向の中心側に向かって進む光にするための楕円系反射面（４ａ１ａ）を有する第１リフレクタ（４ａ１）を設け、
第１リフレクタ（４ａ１）の楕円系反射面（４ａ１ａ）の第１焦点（４ａ１ｂ）を第１ＬＥＤ光源（１ａ）上に配置し、
第１リフレクタ（４ａ１）の楕円系反射面（４ａ１ａ）の第２焦点（４ａ１ｃ）を円（ＣＲ１）上に配置し、
円（ＣＲ１）の径方向の中心側に向かって進む第１リフレクタ（４ａ１）の楕円系反射面（４ａ１ａ）からの反射光を反射して、円（ＣＲ１）の径方向の外側に向かって進む光にするための反射面（４ａ２ａ）を有する第２リフレクタ（４ａ２）を設け、
第２リフレクタ（４ａ２）の反射面（４ａ２ａ）を第１リフレクタ（４ａ１）の楕円系反射面（４ａ１ａ）の第２焦点（４ａ１ｃ）上またはその近傍に配置し、
円（ＣＲ１）の径方向の外側に向かって進む第２リフレクタ（４ａ２）の反射面（４ａ２ａ）からの反射光を反射して、円（ＣＲ１）の径方向の中心側に向かって進む光にするための楕円系反射面（４ａ３ａ）を有する第３リフレクタ（４ａ３）を設け、
第３リフレクタ（４ａ３）の楕円系反射面（４ａ３ａ）の第１焦点（４ａ３ｂ）を第１リフレクタ（４ａ１）の楕円系反射面（４ａ１ａ）の第２焦点（４ａ１ｃ）上に配置し、
第３リフレクタ（４ａ３）の楕円系反射面（４ａ３ａ）の第２焦点（４ａ３ｃ）を円（ＣＲ１）上に配置し、
第１ＬＥＤ光源（１ａ）から第１平面（ＰＬａ）の他方の側に照射された光のうち、円（ＣＲ１）の径方向の外側に向かって進む光を反射して、円（ＣＲ１）の径方向の中心側に向かって進む光にするための楕円系反射面（４ａ４ａ）を有する第４リフレクタ（４ａ４）を設け、
第４リフレクタ（４ａ４）の楕円系反射面（４ａ４ａ）の第１焦点（４ａ４ｂ）を第１ＬＥＤ光源（１ａ）上に配置し、
第４リフレクタ（４ａ４）の楕円系反射面（４ａ４ａ）の第２焦点（４ａ４ｃ）を円（ＣＲ１）上に配置し、
円（ＣＲ１）の径方向の中心側に向かって進む第４リフレクタ（４ａ４）の楕円系反射面（４ａ４ａ）からの反射光を反射して、円（ＣＲ１）の径方向の外側に向かって進む光にするための反射面（４ａ５ａ）を有する第５リフレクタ（４ａ５）を設け、
第５リフレクタ（４ａ５）の反射面（４ａ５ａ）を第４リフレクタ（４ａ４）の楕円系反射面（４ａ４ａ）の第２焦点（４ａ４ｃ）上またはその近傍に配置し、
円（ＣＲ１）の径方向の外側に向かって進む第５リフレクタ（４ａ５）の反射面（４ａ５ａ）からの反射光を反射して、円（ＣＲ１）の径方向の中心側に向かって進む光にするための楕円系反射面（４ａ６ａ）を有する第６リフレクタ（４ａ６）を設け、
第６リフレクタ（４ａ６）の楕円系反射面（４ａ６ａ）の第１焦点（４ａ６ｂ）を第４リフレクタ（４ａ４）の楕円系反射面（４ａ４ａ）の第２焦点（４ａ４ｃ）上に配置し、
第６リフレクタ（４ａ６）の楕円系反射面（４ａ６ａ）の第２焦点（４ａ６ｃ）を円（ＣＲ１）上に配置し、
第２ＬＥＤ光源（１ｂ）から、第１プリズムシート（３ａ）および第２プリズムシート（３ｂ）の法線（３ａ２，３ｂ２）と第２ＬＥＤ光源（１ｂ）とを含む第２平面（ＰＬｂ）の一方の側に照射された光のうち、円（ＣＲ１）の径方向の外側に向かって進む光を反射して、円（ＣＲ１）の径方向の中心側に向かって進む光にするための楕円系反射面（４ｂ１ａ）を有する第７リフレクタ（４ｂ１）を設け、
第７リフレクタ（４ｂ１）の楕円系反射面（４ｂ１ａ）の第１焦点（４ｂ１ｂ）を第２ＬＥＤ光源（１ｂ）上に配置し、
第７リフレクタ（４ｂ１）の楕円系反射面（４ｂ１ａ）の第２焦点（４ｂ１ｃ）を円（ＣＲ１）上に配置し、
円（ＣＲ１）の径方向の中心側に向かって進む第７リフレクタ（４ｂ１）の楕円系反射面（４ｂ１ａ）からの反射光を反射して、円（ＣＲ１）の径方向の外側に向かって進む光にするための反射面（４ｂ２ａ）を有する第８リフレクタ（４ｂ２）を設け、
第８リフレクタ（４ｂ２）の反射面（４ｂ２ａ）を第７リフレクタ（４ｂ１）の楕円系反射面（４ｂ１ａ）の第２焦点（４ｂ１ｃ）上またはその近傍に配置し、
円（ＣＲ１）の径方向の外側に向かって進む第８リフレクタ（４ｂ２）の反射面（４ｂ２ａ）からの反射光を反射して、円（ＣＲ１）の径方向の中心側に向かって進む光にするための楕円系反射面（４ｂ３ａ）を有する第９リフレクタ（４ｂ３）を設け、
第９リフレクタ（４ｂ３）の楕円系反射面（４ｂ３ａ）の第１焦点（４ｂ３ｂ）を第７リフレクタ（４ｂ１）の楕円系反射面（４ｂ１ａ）の第２焦点（４ｂ１ｃ）上に配置し、
第９リフレクタ（４ｂ３）の楕円系反射面（４ｂ３ａ）の第２焦点（４ｂ３ｃ）を円（ＣＲ１）上に配置し、
第２ＬＥＤ光源（１ｂ）から第２平面（ＰＬｂ）の他方の側に照射された光のうち、円（ＣＲ１）の径方向の外側に向かって進む光を反射して、円（ＣＲ１）の径方向の中心側に向かって進む光にするための楕円系反射面（４ｂ４ａ）を有する第１０リフレクタ（４ｂ４）を設け、
第１０リフレクタ（４ｂ４）の楕円系反射面（４ｂ４ａ）の第１焦点（４ｂ４ｂ）を第２ＬＥＤ光源（１ｂ）上に配置し、
第１０リフレクタ（４ｂ４）の楕円系反射面（４ｂ４ａ）の第２焦点（４ｂ４ｃ）を円（ＣＲ１）上に配置し、
円（ＣＲ１）の径方向の中心側に向かって進む第１０リフレクタ（４ｂ４）の楕円系反射面（４ｂ４ａ）からの反射光を反射して、円（ＣＲ１）の径方向の外側に向かって進む光にするための反射面（４ｂ５ａ）を有する第１１リフレクタ（４ｂ５）を設け、
第１１リフレクタ（４ｂ５）の反射面（４ｂ５ａ）を第１０リフレクタ（４ｂ４）の楕円系反射面（４ｂ４ａ）の第２焦点（４ｂ４ｃ）上またはその近傍に配置し、
円（ＣＲ１）の径方向の外側に向かって進む第１１リフレクタ（４ｂ５）の反射面（４ｂ５ａ）からの反射光を反射して、円（ＣＲ１）の径方向の中心側に向かって進む光にするための楕円系反射面（４ｂ６ａ）を有する第１２リフレクタ（４ｂ６）を設け、
第１２リフレクタ（４ｂ６）の楕円系反射面（４ｂ６ａ）の第１焦点（４ｂ６ｂ）を第１０リフレクタ（４ｂ４）の楕円系反射面（４ｂ４ａ）の第２焦点（４ｂ４ｃ）上に配置し、
第１２リフレクタ（４ｂ６）の楕円系反射面（４ｂ６ａ）の第２焦点（４ｂ６ｃ）を円（ＣＲ１）上に配置し、
第３ＬＥＤ光源（１ｃ）から、第１プリズムシート（３ａ）および第２プリズムシート（３ｂ）の法線（３ａ２，３ｂ２）と第３ＬＥＤ光源（１ｃ）とを含む第３平面（ＰＬｃ）の一方の側に照射された光のうち、円（ＣＲ１）の径方向の外側に向かって進む光を反射して、円（ＣＲ１）の径方向の中心側に向かって進む光にするための楕円系反射面（４ｃ１ａ）を有する第１３リフレクタ（４ｃ１）を設け、
第１３リフレクタ（４ｃ１）の楕円系反射面（４ｃ１ａ）の第１焦点（４ｃ１ｂ）を第３ＬＥＤ光源（１ｃ）上に配置し、
第１３リフレクタ（４ｃ１）の楕円系反射面（４ｃ１ａ）の第２焦点（４ｃ１ｃ）を円（ＣＲ１）上に配置し、
円（ＣＲ１）の径方向の中心側に向かって進む第１３リフレクタ（４ｃ１）の楕円系反射面（４ｃ１ａ）からの反射光を反射して、円（ＣＲ１）の径方向の外側に向かって進む光にするための反射面（４ｃ２ａ）を有する第１４リフレクタ（４ｃ２）を設け、
第１４リフレクタ（４ｃ２）の反射面（４ｃ２ａ）を第１３リフレクタ（４ｃ１）の楕円系反射面（４ｃ１ａ）の第２焦点（４ｃ１ｃ）上またはその近傍に配置し、
円（ＣＲ１）の径方向の外側に向かって進む第１４リフレクタ（４ｃ２）の反射面（４ｃ２ａ）からの反射光を反射して、円（ＣＲ１）の径方向の中心側に向かって進む光にするための楕円系反射面（４ｃ３ａ）を有する第１５リフレクタ（４ｃ３）を設け、
第１５リフレクタ（４ｃ３）の楕円系反射面（４ｃ３ａ）の第１焦点（４ｃ３ｂ）を第１３リフレクタ（４ｃ１）の楕円系反射面（４ｃ１ａ）の第２焦点（４ｃ１ｃ）上に配置し、
第１５リフレクタ（４ｃ３）の楕円系反射面（４ｃ３ａ）の第２焦点（４ｃ３ｃ）を円（ＣＲ１）上に配置し、
第３ＬＥＤ光源（１ｃ）から第３平面（ＰＬｃ）の他方の側に照射された光のうち、円（ＣＲ１）の径方向の外側に向かって進む光を反射して、円（ＣＲ１）の径方向の中心側に向かって進む光にするための楕円系反射面（４ｃ４ａ）を有する第１６リフレクタ（４ｃ４）を設け、
第１６リフレクタ（４ｃ４）の楕円系反射面（４ｃ４ａ）の第１焦点（４ｃ４ｂ）を第３ＬＥＤ光源（１ｃ）上に配置し、
第１６リフレクタ（４ｃ４）の楕円系反射面（４ｃ４ａ）の第２焦点（４ｃ４ｃ）を円（ＣＲ１）上に配置し、
円（ＣＲ１）の径方向の中心側に向かって進む第１６リフレクタ（４ｃ４）の楕円系反射面（４ｃ４ａ）からの反射光を反射して、円（ＣＲ１）の径方向の外側に向かって進む光にするための反射面（４ｃ５ａ）を有する第１７リフレクタ（４ｃ５）を設け、
第１７リフレクタ（４ｃ５）の反射面（４ｃ５ａ）を第１６リフレクタ（４ｃ４）の楕円系反射面（４ｃ４ａ）の第２焦点（４ｃ４ｃ）上またはその近傍に配置し、
円（ＣＲ１）の径方向の外側に向かって進む第１７リフレクタ（４ｃ５）の反射面（４ｃ５ａ）からの反射光を反射して、円（ＣＲ１）の径方向の中心側に向かって進む光にするための楕円系反射面（４ｃ６ａ）を有する第１８リフレクタ（４ｃ６）を設け、
第１８リフレクタ（４ｃ６）の楕円系反射面（４ｃ６ａ）の第１焦点（４ｃ６ｂ）を第１６リフレクタ（４ｃ４）の楕円系反射面（４ｃ４ａ）の第２焦点（４ｃ４ｃ）上に配置し、
第１８リフレクタ（４ｃ６）の楕円系反射面（４ｃ６ａ）の第２焦点（４ｃ６ｃ）を円（ＣＲ１）上に配置し、
第１ＬＥＤ光源（１ａ）の点灯時には、
第１ＬＥＤ光源（１ａ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成され、かつ、
第１ＬＥＤ光源（１ａ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第１プリズムシート（３ａ）および第２プリズムシート（３ｂ）の法線（３ａ２，３ｂ２）と第３リフレクタ（４ａ３）の楕円系反射面（４ａ３ａ）の第２焦点（４ａ３ｃ）とを含む第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第１プリズムシート（３ａ）および第２プリズムシート（３ｂ）の法線（３ａ２，３ｂ２）と第６リフレクタ（４ａ６）の楕円系反射面（４ａ６ａ）の第２焦点（４ａ６ｃ）とを含む第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成され、
第２ＬＥＤ光源（１ｂ）の点灯時には、
第２ＬＥＤ光源（１ｂ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成され、かつ、
第２ＬＥＤ光源（１ｂ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第１プリズムシート（３ａ）および第２プリズムシート（３ｂ）の法線（３ａ２，３ｂ２）と第９リフレクタ（４ｂ３）の楕円系反射面（４ｂ３ａ）の第２焦点（４ｂ３ｃ）とを含む第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第１プリズムシート（３ａ）および第２プリズムシート（３ｂ）の法線（３ａ２，３ｂ２）と第１２リフレクタ（４ｂ６）の楕円系反射面（４ｂ６ａ）の第２焦点（４ｂ６ｃ）とを含む第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成され、
第３ＬＥＤ光源（１ｃ）の点灯時には、
第３ＬＥＤ光源（１ｃ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成され、かつ、
第３ＬＥＤ光源（１ｃ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第１プリズムシート（３ａ）および第２プリズムシート（３ｂ）の法線（３ａ２，３ｂ２）と第１５リフレクタ（４ｃ３）の楕円系反射面（４ｃ３ａ）の第２焦点（４ｃ３ｃ）とを含む第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第１プリズムシート（３ａ）および第２プリズムシート（３ｂ）の法線（３ａ２，３ｂ２）と第１８リフレクタ（４ｃ６）の楕円系反射面（４ｃ６ａ）の第２焦点（４ｃ６ｃ）とを含む第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成され、
第１ＬＥＤ光源（１ａ）、第２ＬＥＤ光源（１ｂ）および第３ＬＥＤ光源（１ｃ）を１個ずつ順次点灯させると、あたかも第１プリズムシート（３ａ）に形成されている３本の輝線が第１プリズムシート（３ａ）の同心円状の複数のプリズム（３ａ１）の中心（３ａ１ａ１）のまわりを回転しているかのように見えると共に、あたかも第２プリズムシート（３ｂ）に形成されている３本の輝線が第２プリズムシート（３ｂ）の同心円状の複数のプリズム（３ｂ１）の中心（３ｂ１ａ１）のまわりを回転しているかのように見えることを特徴とするＬＥＤ照明装置（１００）が提供される。
【００１４】
請求項２に記載の発明によれば、円（ＣＲ１）に略平行な対称面（ＳＰ）に関して第１ＬＥＤ光源（１ａ）と鏡像関係を有する概略点状に光って見える第４ＬＥＤ光源（１ｄ）と、
対称面（ＳＰ）に関して第２ＬＥＤ光源（１ｂ）と鏡像関係を有する概略点状に光って見える第５ＬＥＤ光源（１ｅ）と、
対称面（ＳＰ）に関して第３ＬＥＤ光源（１ｃ）と鏡像関係を有する概略点状に光って見える第６ＬＥＤ光源（１ｆ）と、
対称面（ＳＰ）に関して第１リフレクタ（４ａ１）と鏡像関係を有する第１９リフレクタ（４ｄ１）と、
対称面（ＳＰ）に関して第２リフレクタ（４ａ２）と鏡像関係を有する第２０リフレクタ（４ｄ２）と、
対称面（ＳＰ）に関して第３リフレクタ（４ａ３）と鏡像関係を有する第２１リフレクタ（４ｄ３）と、
対称面（ＳＰ）に関して第４リフレクタ（４ａ４）と鏡像関係を有する第２２リフレクタ（４ｄ４）と、
対称面（ＳＰ）に関して第５リフレクタ（４ａ５）と鏡像関係を有する第２３リフレクタ（４ｄ５）と、
対称面（ＳＰ）に関して第６リフレクタ（４ａ６）と鏡像関係を有する第２４リフレクタ（４ｄ６）と、
対称面（ＳＰ）に関して第７リフレクタ（４ｂ１）と鏡像関係を有する第２５リフレクタ（４ｅ１）と、
対称面（ＳＰ）に関して第８リフレクタ（４ｂ２）と鏡像関係を有する第２６リフレクタ（４ｅ２）と、
対称面（ＳＰ）に関して第９リフレクタ（４ｂ３）と鏡像関係を有する第２７リフレクタ（４ｅ３）と、
対称面（ＳＰ）に関して第１０リフレクタ（４ｂ４）と鏡像関係を有する第２８リフレクタ（４ｅ４）と、
対称面（ＳＰ）に関して第１１リフレクタ（４ｂ５）と鏡像関係を有する第２９リフレクタ（４ｅ５）と、
対称面（ＳＰ）に関して第１２リフレクタ（４ｂ６）と鏡像関係を有する第３０リフレクタ（４ｄ６）と、
対称面（ＳＰ）に関して第１３リフレクタ（４ｃ１）と鏡像関係を有する第３１リフレクタ（４ｆ１）と、
対称面（ＳＰ）に関して第１４リフレクタ（４ｃ２）と鏡像関係を有する第３２リフレクタ（４ｆ２）と、
対称面（ＳＰ）に関して第１５リフレクタ（４ｃ３）と鏡像関係を有する第３３リフレクタ（４ｆ３）と、
対称面（ＳＰ）に関して第１６リフレクタ（４ｃ４）と鏡像関係を有する第３４リフレクタ（４ｆ４）と、
対称面（ＳＰ）に関して第１７リフレクタ（４ｃ５）と鏡像関係を有する第３５リフレクタ（４ｆ５）と、
対称面（ＳＰ）に関して第１８リフレクタ（４ｃ６）と鏡像関係を有する第３６リフレクタ（４ｆ６）とを設け、
第１ＬＥＤ光源（１ａ）の点灯時に、
第４ＬＥＤ光源（１ｄ）が点灯され、かつ、
第１ＬＥＤ光源（１ａ）から照射され、第１平面（ＰＬａ）内を進み、第１プリズムシート（３ａ）の同心円状の複数のプリズム（３ａ１）を透過した光、および、第４ＬＥＤ光源（１ｄ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成され、かつ、
第１ＬＥＤ光源（１ａ）から照射され、第１平面（ＰＬａ）内を進み、第２プリズムシート（３ｂ）の同心円状の複数のプリズム（３ｂ１）を透過した光、および、第４ＬＥＤ光源（１ｄ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第１プリズムシート（３ａ）の同心円状の複数のプリズム（３ａ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成され、かつ、
第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第１プリズムシート（３ａ）の同心円状の複数のプリズム（３ａ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成され、かつ、
第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成され、
第２ＬＥＤ光源（１ｂ）の点灯時に、
第５ＬＥＤ光源（１ｅ）が点灯され、かつ、
第２ＬＥＤ光源（１ｂ）から照射され、第２平面（ＰＬｂ）内を進み、第１プリズムシート（３ａ）の同心円状の複数のプリズム（３ａ１）を透過した光、および、第５ＬＥＤ光源（１ｅ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成され、かつ、
第２ＬＥＤ光源（１ｂ）から照射され、第２平面（ＰＬｂ）内を進み、第２プリズムシート（３ｂ）の同心円状の複数のプリズム（３ｂ１）を透過した光、および、第５ＬＥＤ光源（１ｅ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第１プリズムシート（３ａ）の同心円状の複数のプリズム（３ａ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成され、かつ、
第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第１プリズムシート（３ａ）の同心円状の複数のプリズム（３ａ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成され、かつ、
第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成され、
第３ＬＥＤ光源（１ｃ）の点灯時に、
第６ＬＥＤ光源（１ｆ）が点灯され、かつ、
第３ＬＥＤ光源（１ｃ）から照射され、第３平面（ＰＬｃ）内を進み、第１プリズムシート（３ａ）の同心円状の複数のプリズム（３ａ１）を透過した光、および、第６ＬＥＤ光源（１ｆ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成され、かつ、
第３ＬＥＤ光源（１ｃ）から照射され、第３平面（ＰＬｃ）内を進み、第２プリズムシート（３ｂ）の同心円状の複数のプリズム（３ｂ１）を透過した光、および、第６ＬＥＤ光源（１ｆ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第１プリズムシート（３ａ）の同心円状の複数のプリズム（３ａ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成され、かつ、
第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第１プリズムシート（３ａ）の同心円状の複数のプリズム（３ａ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成され、かつ、
第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成されることを特徴とする請求項１に記載のＬＥＤ照明装置（１００）が提供される。
【発明の効果】
【００１５】
請求項１に記載のＬＥＤ照明装置（１００）では、複数のプリズム（３ａ１）の稜線（３ａ１ａ）が同心円状に配列された第１プリズムシート（３ａ）と、複数のプリズム（３ｂ１）の稜線（３ｂ１ａ）が同心円状に配列された第２プリズムシート（３ｂ）と、概略点状に光って見える第１ＬＥＤ光源（１ａ）と、概略点状に光って見える第２ＬＥＤ光源（１ｂ）と、概略点状に光って見える第３ＬＥＤ光源（１ｃ）とが設けられている。また、第１プリズムシート（３ａ）と第２プリズムシート（３ｂ）とが略平行に配置されている。更に、第１プリズムシート（３ａ）と第２プリズムシート（３ｂ）との間に位置し、かつ、それらに略平行な円（ＣＲ１）であって、第１プリズムシート（３ａ）の同心円状の複数のプリズム（３ａ１）の中心（３ａ１ａ１）および第２プリズムシート（３ｂ）の同心円状の複数のプリズム（３ｂ１）の中心（３ｂ１ａ１）を通る第１プリズムシート（３ａ）および第２プリズムシート（３ｂ）の法線（３ａ２，３ｂ２）を中心とする円（ＣＲ１）上に、第１ＬＥＤ光源（１ａ）、第２ＬＥＤ光源（１ｂ）および第３ＬＥＤ光源（１ｃ）が配列されている。
【００１６】
また、請求項１に記載のＬＥＤ照明装置（１００）では、第１ＬＥＤ光源（１ａ）から、第１プリズムシート（３ａ）および第２プリズムシート（３ｂ）の法線（３ａ２，３ｂ２）と第１ＬＥＤ光源（１ａ）とを含む第１平面（ＰＬａ）の一方の側に照射された光のうち、円（ＣＲ１）の径方向の外側に向かって進む光を反射して、円（ＣＲ１）の径方向の中心側に向かって進む光にするための楕円系反射面（４ａ１ａ）を有する第１リフレクタ（４ａ１）が設けられている。更に、第１リフレクタ（４ａ１）の楕円系反射面（４ａ１ａ）の第１焦点（４ａ１ｂ）が、第１ＬＥＤ光源（１ａ）上に配置されている。また、第１リフレクタ（４ａ１）の楕円系反射面（４ａ１ａ）の第２焦点（４ａ１ｃ）が、円（ＣＲ１）上に配置されている。
【００１７】
更に、請求項１に記載のＬＥＤ照明装置（１００）では、円（ＣＲ１）の径方向の中心側に向かって進む第１リフレクタ（４ａ１）の楕円系反射面（４ａ１ａ）からの反射光を反射して、円（ＣＲ１）の径方向の外側に向かって進む光にするための反射面（４ａ２ａ）を有する第２リフレクタ（４ａ２）が設けられている。また、第２リフレクタ（４ａ２）の反射面（４ａ２ａ）が、第１リフレクタ（４ａ１）の楕円系反射面（４ａ１ａ）の第２焦点（４ａ１ｃ）上またはその近傍に配置されている。
【００１８】
また、請求項１に記載のＬＥＤ照明装置（１００）では、円（ＣＲ１）の径方向の外側に向かって進む第２リフレクタ（４ａ２）の反射面（４ａ２ａ）からの反射光を反射して、円（ＣＲ１）の径方向の中心側に向かって進む光にするための楕円系反射面（４ａ３ａ）を有する第３リフレクタ（４ａ３）が設けられている。更に、第３リフレクタ（４ａ３）の楕円系反射面（４ａ３ａ）の第１焦点（４ａ３ｂ）が、第１リフレクタ（４ａ１）の楕円系反射面（４ａ１ａ）の第２焦点（４ａ１ｃ）上に配置されている。また、第３リフレクタ（４ａ３）の楕円系反射面（４ａ３ａ）の第２焦点（４ａ３ｃ）が、円（ＣＲ１）上に配置されている。
【００１９】
更に、請求項１に記載のＬＥＤ照明装置（１００）では、第１ＬＥＤ光源（１ａ）から第１平面（ＰＬａ）の他方の側に照射された光のうち、円（ＣＲ１）の径方向の外側に向かって進む光を反射して、円（ＣＲ１）の径方向の中心側に向かって進む光にするための楕円系反射面（４ａ４ａ）を有する第４リフレクタ（４ａ４）が設けられている。また、第４リフレクタ（４ａ４）の楕円系反射面（４ａ４ａ）の第１焦点（４ａ４ｂ）が、第１ＬＥＤ光源（１ａ）上に配置されている。更に、第４リフレクタ（４ａ４）の楕円系反射面（４ａ４ａ）の第２焦点（４ａ４ｃ）が、円（ＣＲ１）上に配置されている。
【００２０】
また、請求項１に記載のＬＥＤ照明装置（１００）では、円（ＣＲ１）の径方向の中心側に向かって進む第４リフレクタ（４ａ４）の楕円系反射面（４ａ４ａ）からの反射光を反射して、円（ＣＲ１）の径方向の外側に向かって進む光にするための反射面（４ａ５ａ）を有する第５リフレクタ（４ａ５）が設けられている。更に、第５リフレクタ（４ａ５）の反射面（４ａ５ａ）が、第４リフレクタ（４ａ４）の楕円系反射面（４ａ４ａ）の第２焦点（４ａ４ｃ）上またはその近傍に配置されている。
【００２１】
更に、請求項１に記載のＬＥＤ照明装置（１００）では、円（ＣＲ１）の径方向の外側に向かって進む第５リフレクタ（４ａ５）の反射面（４ａ５ａ）からの反射光を反射して、円（ＣＲ１）の径方向の中心側に向かって進む光にするための楕円系反射面（４ａ６ａ）を有する第６リフレクタ（４ａ６）が設けられている。また、第６リフレクタ（４ａ６）の楕円系反射面（４ａ６ａ）の第１焦点（４ａ６ｂ）が、第４リフレクタ（４ａ４）の楕円系反射面（４ａ４ａ）の第２焦点（４ａ４ｃ）上に配置されている。更に、第６リフレクタ（４ａ６）の楕円系反射面（４ａ６ａ）の第２焦点（４ａ６ｃ）が、円（ＣＲ１）上に配置されている。
【００２２】
また、請求項１に記載のＬＥＤ照明装置（１００）では、第２ＬＥＤ光源（１ｂ）から、第１プリズムシート（３ａ）および第２プリズムシート（３ｂ）の法線（３ａ２，３ｂ２）と第２ＬＥＤ光源（１ｂ）とを含む第２平面（ＰＬｂ）の一方の側に照射された光のうち、円（ＣＲ１）の径方向の外側に向かって進む光を反射して、円（ＣＲ１）の径方向の中心側に向かって進む光にするための楕円系反射面（４ｂ１ａ）を有する第７リフレクタ（４ｂ１）が設けられている。更に、第７リフレクタ（４ｂ１）の楕円系反射面（４ｂ１ａ）の第１焦点（４ｂ１ｂ）が、第２ＬＥＤ光源（１ｂ）上に配置されている。また、第７リフレクタ（４ｂ１）の楕円系反射面（４ｂ１ａ）の第２焦点（４ｂ１ｃ）が、円（ＣＲ１）上に配置されている。
【００２３】
更に、請求項１に記載のＬＥＤ照明装置（１００）では、円（ＣＲ１）の径方向の中心側に向かって進む第７リフレクタ（４ｂ１）の楕円系反射面（４ｂ１ａ）からの反射光を反射して、円（ＣＲ１）の径方向の外側に向かって進む光にするための反射面（４ｂ２ａ）を有する第８リフレクタ（４ｂ２）が設けられている。また、第８リフレクタ（４ｂ２）の反射面（４ｂ２ａ）が、第７リフレクタ（４ｂ１）の楕円系反射面（４ｂ１ａ）の第２焦点（４ｂ１ｃ）上またはその近傍に配置されている。
【００２４】
また、請求項１に記載のＬＥＤ照明装置（１００）では、円（ＣＲ１）の径方向の外側に向かって進む第８リフレクタ（４ｂ２）の反射面（４ｂ２ａ）からの反射光を反射して、円（ＣＲ１）の径方向の中心側に向かって進む光にするための楕円系反射面（４ｂ３ａ）を有する第９リフレクタ（４ｂ３）が設けられている。更に、第９リフレクタ（４ｂ３）の楕円系反射面（４ｂ３ａ）の第１焦点（４ｂ３ｂ）が、第７リフレクタ（４ｂ１）の楕円系反射面（４ｂ１ａ）の第２焦点（４ｂ１ｃ）上に配置されている。また、第９リフレクタ（４ｂ３）の楕円系反射面（４ｂ３ａ）の第２焦点（４ｂ３ｃ）が、円（ＣＲ１）上に配置されている。
【００２５】
更に、請求項１に記載のＬＥＤ照明装置（１００）では、第２ＬＥＤ光源（１ｂ）から第２平面（ＰＬｂ）の他方の側に照射された光のうち、円（ＣＲ１）の径方向の外側に向かって進む光を反射して、円（ＣＲ１）の径方向の中心側に向かって進む光にするための楕円系反射面（４ｂ４ａ）を有する第１０リフレクタ（４ｂ４）が設けられている。また、第１０リフレクタ（４ｂ４）の楕円系反射面（４ｂ４ａ）の第１焦点（４ｂ４ｂ）が、第２ＬＥＤ光源（１ｂ）上に配置されている。更に、第１０リフレクタ（４ｂ４）の楕円系反射面（４ｂ４ａ）の第２焦点（４ｂ４ｃ）が、円（ＣＲ１）上に配置されている。
【００２６】
また、請求項１に記載のＬＥＤ照明装置（１００）では、円（ＣＲ１）の径方向の中心側に向かって進む第１０リフレクタ（４ｂ４）の楕円系反射面（４ｂ４ａ）からの反射光を反射して、円（ＣＲ１）の径方向の外側に向かって進む光にするための反射面（４ｂ５ａ）を有する第１１リフレクタ（４ｂ５）が設けられている。更に、第１１リフレクタ（４ｂ５）の反射面（４ｂ５ａ）が、第１０リフレクタ（４ｂ４）の楕円系反射面（４ｂ４ａ）の第２焦点（４ｂ４ｃ）上またはその近傍に配置されている。
【００２７】
更に、請求項１に記載のＬＥＤ照明装置（１００）では、円（ＣＲ１）の径方向の外側に向かって進む第１１リフレクタ（４ｂ５）の反射面（４ｂ５ａ）からの反射光を反射して、円（ＣＲ１）の径方向の中心側に向かって進む光にするための楕円系反射面（４ｂ６ａ）を有する第１２リフレクタ（４ｂ６）が設けられている。また、第１２リフレクタ（４ｂ６）の楕円系反射面（４ｂ６ａ）の第１焦点（４ｂ６ｂ）が、第１０リフレクタ（４ｂ４）の楕円系反射面（４ｂ４ａ）の第２焦点（４ｂ４ｃ）上に配置されている。更に、第１２リフレクタ（４ｂ６）の楕円系反射面（４ｂ６ａ）の第２焦点（４ｂ６ｃ）が、円（ＣＲ１）上に配置されている。
【００２８】
また、請求項１に記載のＬＥＤ照明装置（１００）では、第３ＬＥＤ光源（１ｃ）から、第１プリズムシート（３ａ）および第２プリズムシート（３ｂ）の法線（３ａ２，３ｂ２）と第３ＬＥＤ光源（１ｃ）とを含む第３平面（ＰＬｃ）の一方の側に照射された光のうち、円（ＣＲ１）の径方向の外側に向かって進む光を反射して、円（ＣＲ１）の径方向の中心側に向かって進む光にするための楕円系反射面（４ｃ１ａ）を有する第１３リフレクタ（４ｃ１）が設けられている。更に、第１３リフレクタ（４ｃ１）の楕円系反射面（４ｃ１ａ）の第１焦点（４ｃ１ｂ）が、第３ＬＥＤ光源（１ｃ）上に配置されている。また、第１３リフレクタ（４ｃ１）の楕円系反射面（４ｃ１ａ）の第２焦点（４ｃ１ｃ）が、円（ＣＲ１）上に配置されている。
【００２９】
更に、請求項１に記載のＬＥＤ照明装置（１００）では、円（ＣＲ１）の径方向の中心側に向かって進む第１３リフレクタ（４ｃ１）の楕円系反射面（４ｃ１ａ）からの反射光を反射して、円（ＣＲ１）の径方向の外側に向かって進む光にするための反射面（４ｃ２ａ）を有する第１４リフレクタ（４ｃ２）が設けられている。また、第１４リフレクタ（４ｃ２）の反射面（４ｃ２ａ）が、第１３リフレクタ（４ｃ１）の楕円系反射面（４ｃ１ａ）の第２焦点（４ｃ１ｃ）上またはその近傍に配置されている。
【００３０】
また、請求項１に記載のＬＥＤ照明装置（１００）では、円（ＣＲ１）の径方向の外側に向かって進む第１４リフレクタ（４ｃ２）の反射面（４ｃ２ａ）からの反射光を反射して、円（ＣＲ１）の径方向の中心側に向かって進む光にするための楕円系反射面（４ｃ３ａ）を有する第１５リフレクタ（４ｃ３）が設けられている。更に、第１５リフレクタ（４ｃ３）の楕円系反射面（４ｃ３ａ）の第１焦点（４ｃ３ｂ）が、第１３リフレクタ（４ｃ１）の楕円系反射面（４ｃ１ａ）の第２焦点（４ｃ１ｃ）上に配置されている。また、第１５リフレクタ（４ｃ３）の楕円系反射面（４ｃ３ａ）の第２焦点（４ｃ３ｃ）が、円（ＣＲ１）上に配置されている。
【００３１】
更に、請求項１に記載のＬＥＤ照明装置（１００）では、第３ＬＥＤ光源（１ｃ）から第３平面（ＰＬｃ）の他方の側に照射された光のうち、円（ＣＲ１）の径方向の外側に向かって進む光を反射して、円（ＣＲ１）の径方向の中心側に向かって進む光にするための楕円系反射面（４ｃ４ａ）を有する第１６リフレクタ（４ｃ４）が設けられている。また、第１６リフレクタ（４ｃ４）の楕円系反射面（４ｃ４ａ）の第１焦点（４ｃ４ｂ）が、第３ＬＥＤ光源（１ｃ）上に配置されている。更に、第１６リフレクタ（４ｃ４）の楕円系反射面（４ｃ４ａ）の第２焦点（４ｃ４ｃ）が、円（ＣＲ１）上に配置されている。
【００３２】
また、請求項１に記載のＬＥＤ照明装置（１００）では、円（ＣＲ１）の径方向の中心側に向かって進む第１６リフレクタ（４ｃ４）の楕円系反射面（４ｃ４ａ）からの反射光を反射して、円（ＣＲ１）の径方向の外側に向かって進む光にするための反射面（４ｃ５ａ）を有する第１７リフレクタ（４ｃ５）が設けられている。更に、第１７リフレクタ（４ｃ５）の反射面（４ｃ５ａ）が、第１６リフレクタ（４ｃ４）の楕円系反射面（４ｃ４ａ）の第２焦点（４ｃ４ｃ）上またはその近傍に配置されている。
【００３３】
更に、請求項１に記載のＬＥＤ照明装置（１００）では、円（ＣＲ１）の径方向の外側に向かって進む第１７リフレクタ（４ｃ５）の反射面（４ｃ５ａ）からの反射光を反射して、円（ＣＲ１）の径方向の中心側に向かって進む光にするための楕円系反射面（４ｃ６ａ）を有する第１８リフレクタ（４ｃ６）が設けられている。また、第１８リフレクタ（４ｃ６）の楕円系反射面（４ｃ６ａ）の第１焦点（４ｃ６ｂ）が、第１６リフレクタ（４ｃ４）の楕円系反射面（４ｃ４ａ）の第２焦点（４ｃ４ｃ）上に配置されている。更に、第１８リフレクタ（４ｃ６）の楕円系反射面（４ｃ６ａ）の第２焦点（４ｃ６ｃ）が、円（ＣＲ１）上に配置されている。
【００３４】
詳細には、請求項１に記載のＬＥＤ照明装置（１００）では、第１ＬＥＤ光源（１ａ）の点灯時に、第１ＬＥＤ光源（１ａ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成される。
【００３５】
また、請求項１に記載のＬＥＤ照明装置（１００）では、第１ＬＥＤ光源（１ａ）の点灯時に、第１ＬＥＤ光源（１ａ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成される。
【００３６】
更に、請求項１に記載のＬＥＤ照明装置（１００）では、第１ＬＥＤ光源（１ａ）の点灯時に、第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第１プリズムシート（３ａ）および第２プリズムシート（３ｂ）の法線（３ａ２，３ｂ２）と第３リフレクタ（４ａ３）の楕円系反射面（４ａ３ａ）の第２焦点（４ａ３ｃ）とを含む第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成される。
【００３７】
また、請求項１に記載のＬＥＤ照明装置（１００）では、第１ＬＥＤ光源（１ａ）の点灯時に、第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成される。
【００３８】
更に、請求項１に記載のＬＥＤ照明装置（１００）では、第１ＬＥＤ光源（１ａ）の点灯時に、第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第１プリズムシート（３ａ）および第２プリズムシート（３ｂ）の法線（３ａ２，３ｂ２）と第６リフレクタ（４ａ６）の楕円系反射面（４ａ６ａ）の第２焦点（４ａ６ｃ）とを含む第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成される。
【００３９】
また、請求項１に記載のＬＥＤ照明装置（１００）では、第１ＬＥＤ光源（１ａ）の点灯時に、第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成される。
【００４０】
更に、請求項１に記載のＬＥＤ照明装置（１００）では、第２ＬＥＤ光源（１ｂ）の点灯時に、第２ＬＥＤ光源（１ｂ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成される。
【００４１】
また、請求項１に記載のＬＥＤ照明装置（１００）では、第２ＬＥＤ光源（１ｂ）の点灯時に、第２ＬＥＤ光源（１ｂ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成される。
【００４２】
更に、請求項１に記載のＬＥＤ照明装置（１００）では、第２ＬＥＤ光源（１ｂ）の点灯時に、第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第１プリズムシート（３ａ）および第２プリズムシート（３ｂ）の法線（３ａ２，３ｂ２）と第９リフレクタ（４ｂ３）の楕円系反射面（４ｂ３ａ）の第２焦点（４ｂ３ｃ）とを含む第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成される。
【００４３】
また、請求項１に記載のＬＥＤ照明装置（１００）では、第２ＬＥＤ光源（１ｂ）の点灯時に、第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成される。
【００４４】
更に、請求項１に記載のＬＥＤ照明装置（１００）では、第２ＬＥＤ光源（１ｂ）の点灯時に、第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第１プリズムシート（３ａ）および第２プリズムシート（３ｂ）の法線（３ａ２，３ｂ２）と第１２リフレクタ（４ｂ６）の楕円系反射面（４ｂ６ａ）の第２焦点（４ｂ６ｃ）とを含む第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成される。
【００４５】
また、請求項１に記載のＬＥＤ照明装置（１００）では、第２ＬＥＤ光源（１ｂ）の点灯時に、第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成される。
【００４６】
更に、請求項１に記載のＬＥＤ照明装置（１００）では、第３ＬＥＤ光源（１ｃ）の点灯時に、第３ＬＥＤ光源（１ｃ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成される。
【００４７】
また、請求項１に記載のＬＥＤ照明装置（１００）では、第３ＬＥＤ光源（１ｃ）の点灯時に、第３ＬＥＤ光源（１ｃ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成される。
【００４８】
更に、請求項１に記載のＬＥＤ照明装置（１００）では、第３ＬＥＤ光源（１ｃ）の点灯時に、第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第１プリズムシート（３ａ）および第２プリズムシート（３ｂ）の法線（３ａ２，３ｂ２）と第１５リフレクタ（４ｃ３）の楕円系反射面（４ｃ３ａ）の第２焦点（４ｃ３ｃ）とを含む第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成される。
【００４９】
また、請求項１に記載のＬＥＤ照明装置（１００）では、第３ＬＥＤ光源（１ｃ）の点灯時に、第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成される。
【００５０】
更に、請求項１に記載のＬＥＤ照明装置（１００）では、第３ＬＥＤ光源（１ｃ）の点灯時に、第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第１プリズムシート（３ａ）および第２プリズムシート（３ｂ）の法線（３ａ２，３ｂ２）と第１８リフレクタ（４ｃ６）の楕円系反射面（４ｃ６ａ）の第２焦点（４ｃ６ｃ）とを含む第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成される。
【００５１】
また、請求項１に記載のＬＥＤ照明装置（１００）では、第３ＬＥＤ光源（１ｃ）の点灯時に、第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成される。
【００５２】
詳細には、請求項１に記載のＬＥＤ照明装置（１００）では、第１ＬＥＤ光源（１ａ）、第２ＬＥＤ光源（１ｂ）および第３ＬＥＤ光源（１ｃ）を１個ずつ順次点灯させると、あたかも第１プリズムシート（３ａ）に形成されている３本の輝線が第１プリズムシート（３ａ）の同心円状の複数のプリズム（３ａ１）の中心（３ａ１ａ１）のまわりを回転しているかのように見えると共に、あたかも第２プリズムシート（３ｂ）に形成されている３本の輝線が第２プリズムシート（３ｂ）の同心円状の複数のプリズム（３ｂ１）の中心（３ｂ１ａ１）のまわりを回転しているかのように見える。
【００５３】
換言すれば、請求項１に記載のＬＥＤ照明装置（１００）では、第１ＬＥＤ光源（１ａ）を点灯することによって、６本の輝線（ＢＬａ１ａ，ＢＬｂ１ａ，ＢＬａ１ａ１，ＢＬｂ１ａ１，ＢＬａ１ａ２，ＢＬｂ１ａ２）を第１プリズムシート（３ａ）および第２プリズムシート（３ｂ）に形成することができ、第２ＬＥＤ光源（１ｂ）を点灯することによって、６本の輝線（ＢＬａ１ｂ，ＢＬｂ１ｂ，ＢＬａ１ｂ１，ＢＬｂ１ｂ１，ＢＬａ１ｂ２，ＢＬｂ１ｂ２）を第１プリズムシート（３ａ）および第２プリズムシート（３ｂ）に形成することができ、第３ＬＥＤ光源（１ｃ）を点灯することによって、６本の輝線（ＢＬａ１ｃ，ＢＬｂ１ｃ，ＢＬａ１ｃ１，ＢＬｂ１ｃ１，ＢＬａ１ｃ２，ＢＬｂ１ｃ２）を第１プリズムシート（３ａ）および第２プリズムシート（３ｂ）に形成することができる。
【００５４】
そのため、請求項１に記載のＬＥＤ照明装置（１００）によれば、例えば６本の輝線をプリズムシートに形成するために６個のＬＥＤ光源を点灯する必要がある場合よりもＬＥＤ照明装置の運転コストを削減することができる。
【００５５】
更に、請求項１に記載のＬＥＤ照明装置（１００）によれば、１個のＬＥＤ光源の点灯時に１本の輝線のみがプリズムシートに形成される場合よりも、観察者に対する注意喚起性能を向上させることができる。
【００５６】
また、請求項１に記載のＬＥＤ照明装置（１００）では、第２プリズムシート（３ｂ）に対向しておらず、第１プリズムシート（３ａ）のみに対向している観察者が第１プリズムシート（３ａ）に形成された輝線を視認することができる時に、第１プリズムシート（３ａ）に対向しておらず、第２プリズムシート（３ｂ）のみに対向している他の観察者が第２プリズムシート（３ｂ）に形成された輝線を視認することができる。
【００５７】
そのため、請求項１に記載のＬＥＤ照明装置（１００）によれば、１個のみのプリズムシートが設けられている場合よりも、複数の観察者に対する注意喚起性能を向上させることができる。
【００５８】
請求項２に記載のＬＥＤ照明装置（１００）では、円（ＣＲ１）に略平行な対称面（ＳＰ）に関して第１ＬＥＤ光源（１ａ）と鏡像関係を有する概略点状に光って見える第４ＬＥＤ光源（１ｄ）が設けられている。また、対称面（ＳＰ）に関して第２ＬＥＤ光源（１ｂ）と鏡像関係を有する概略点状に光って見える第５ＬＥＤ光源（１ｅ）が設けられている。更に、対称面（ＳＰ）に関して第３ＬＥＤ光源（１ｃ）と鏡像関係を有する概略点状に光って見える第６ＬＥＤ光源（１ｆ）が設けられている。
【００５９】
また、請求項２に記載のＬＥＤ照明装置（１００）では、対称面（ＳＰ）に関して第１リフレクタ（４ａ１）と鏡像関係を有する第１９リフレクタ（４ｄ１）が設けられている。更に、対称面（ＳＰ）に関して第２リフレクタ（４ａ２）と鏡像関係を有する第２０リフレクタ（４ｄ２）が設けられている。また、対称面（ＳＰ）に関して第３リフレクタ（４ａ３）と鏡像関係を有する第２１リフレクタ（４ｄ３）が設けられている。
【００６０】
更に、請求項２に記載のＬＥＤ照明装置（１００）では、対称面（ＳＰ）に関して第４リフレクタ（４ａ４）と鏡像関係を有する第２２リフレクタ（４ｄ４）が設けられている。また、対称面（ＳＰ）に関して第５リフレクタ（４ａ５）と鏡像関係を有する第２３リフレクタ（４ｄ５）が設けられている。更に、対称面（ＳＰ）に関して第６リフレクタ（４ａ６）と鏡像関係を有する第２４リフレクタ（４ｄ６）が設けられている。
【００６１】
また、請求項２に記載のＬＥＤ照明装置（１００）では、対称面（ＳＰ）に関して第７リフレクタ（４ｂ１）と鏡像関係を有する第２５リフレクタ（４ｅ１）が設けられている。更に、対称面（ＳＰ）に関して第８リフレクタ（４ｂ２）と鏡像関係を有する第２６リフレクタ（４ｅ２）が設けられている。また、対称面（ＳＰ）に関して第９リフレクタ（４ｂ３）と鏡像関係を有する第２７リフレクタ（４ｅ３）が設けられている。
【００６２】
更に、請求項２に記載のＬＥＤ照明装置（１００）では、対称面（ＳＰ）に関して第１０リフレクタ（４ｂ４）と鏡像関係を有する第２８リフレクタ（４ｅ４）が設けられている。また、対称面（ＳＰ）に関して第１１リフレクタ（４ｂ５）と鏡像関係を有する第２９リフレクタ（４ｅ５）が設けられている。更に、対称面（ＳＰ）に関して第１２リフレクタ（４ｂ６）と鏡像関係を有する第３０リフレクタ（４ｄ６）が設けられている。
【００６３】
また、請求項２に記載のＬＥＤ照明装置（１００）では、対称面（ＳＰ）に関して第１３リフレクタ（４ｃ１）と鏡像関係を有する第３１リフレクタ（４ｆ１）が設けられている。更に、対称面（ＳＰ）に関して第１４リフレクタ（４ｃ２）と鏡像関係を有する第３２リフレクタ（４ｆ２）が設けられている。また、対称面（ＳＰ）に関して第１５リフレクタ（４ｃ３）と鏡像関係を有する第３３リフレクタ（４ｆ３）が設けられている。
【００６４】
更に、請求項２に記載のＬＥＤ照明装置（１００）では、対称面（ＳＰ）に関して第１６リフレクタ（４ｃ４）と鏡像関係を有する第３４リフレクタ（４ｆ４）が設けられている。また、対称面（ＳＰ）に関して第１７リフレクタ（４ｃ５）と鏡像関係を有する第３５リフレクタ（４ｆ５）が設けられている。更に、対称面（ＳＰ）に関して第１８リフレクタ（４ｃ６）と鏡像関係を有する第３６リフレクタ（４ｆ６）が設けられている。
【００６５】
また、請求項２に記載のＬＥＤ照明装置（１００）では、第１ＬＥＤ光源（１ａ）の点灯時に、第４ＬＥＤ光源（１ｄ）が点灯される。
【００６６】
詳細には、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第１平面（ＰＬａ）内を進み、第１プリズムシート（３ａ）の同心円状の複数のプリズム（３ａ１）を透過した光、および、第４ＬＥＤ光源（１ｄ）から照射され、第１平面（ＰＬａ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１輝線（ＢＬａ１ａ）が第１プリズムシート（３ａ）に形成される。
【００６７】
そのため、請求項２に記載のＬＥＤ照明装置（１００）によれば、第１ＬＥＤ光源（１ａ）から照射された光のみによって第１輝線（ＢＬａ１ａ）が形成される場合よりも、第１輝線（ＢＬａ１ａ）を明るくすることができる。
【００６８】
更に、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第１平面（ＰＬａ）内を進み、第２プリズムシート（３ｂ）の同心円状の複数のプリズム（３ｂ１）を透過した光、および、第４ＬＥＤ光源（１ｄ）から照射され、第１平面（ＰＬａ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第２輝線（ＢＬｂ１ａ）が第２プリズムシート（３ｂ）に形成される。
【００６９】
そのため、請求項２に記載のＬＥＤ照明装置（１００）によれば、第１ＬＥＤ光源（１ａ）から照射された光のみによって第２輝線（ＢＬｂ１ａ）が形成される場合よりも、第２輝線（ＢＬｂ１ａ）を明るくすることができる。
【００７０】
また、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第１プリズムシート（３ａ）の同心円状の複数のプリズム（３ａ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第３輝線（ＢＬａ１ａ１）が、第１プリズムシート（３ａ）に形成される。
【００７１】
そのため、請求項２に記載のＬＥＤ照明装置（１００）によれば、第１ＬＥＤ光源（１ａ）から照射された光のみによって第３輝線（ＢＬａ１ａ１）が形成される場合よりも、第３輝線（ＢＬａ１ａ１）を明るくすることができる。
【００７２】
更に、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第１リフレクタ（４ａ１）の楕円系反射面（４ａ１ａ）によって反射され、第２リフレクタ（４ａ２）の反射面（４ａ２ａ）によって反射され、第３リフレクタ（４ａ３）の楕円系反射面（４ａ３ａ）によって反射され、第３リフレクタ（４ａ３）の楕円系反射面（４ａ３ａ）の第２焦点（４ａ３ｃ）を透過し、第４平面（ＰＬａ１）内を進み、第２プリズムシート（３ｂ）の同心円状の複数のプリズム（３ｂ１）を透過した光、および、第４ＬＥＤ光源（１ｄ）から照射され、第１９リフレクタ（４ｄ１）の楕円系反射面（４ｄ１ａ）によって反射され、第２０リフレクタ（４ｄ２）の反射面（４ｄ２ａ）によって反射され、第２１リフレクタ（４ｄ３）の楕円系反射面（４ｄ３ａ）によって反射され、第２１リフレクタ（４ｄ３）の楕円系反射面（４ｄ３ａ）の第２焦点（４ｄ３ｃ）を透過し、第４平面（ＰＬａ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第４輝線（ＢＬｂ１ａ１）が、第２プリズムシート（３ｂ）に形成される。
【００７３】
そのため、請求項２に記載のＬＥＤ照明装置（１００）によれば、第１ＬＥＤ光源（１ａ）から照射された光のみによって第４輝線（ＢＬｂ１ａ１）が形成される場合よりも、第４輝線（ＢＬｂ１ａ１）を明るくすることができる。
【００７４】
また、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第１プリズムシート（３ａ）の同心円状の複数のプリズム（３ａ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第５輝線（ＢＬａ１ａ２）が、第１プリズムシート（３ａ）に形成される。
【００７５】
そのため、請求項２に記載のＬＥＤ照明装置（１００）によれば、第１ＬＥＤ光源（１ａ）から照射された光のみによって第５輝線（ＢＬａ１ａ２）が形成される場合よりも、第５輝線（ＢＬａ１ａ２）を明るくすることができる。
【００７６】
更に、請求項２に記載のＬＥＤ照明装置（１００）では、第１ＬＥＤ光源（１ａ）および第４ＬＥＤ光源（１ｄ）の点灯時に、第１ＬＥＤ光源（１ａ）から照射され、第４リフレクタ（４ａ４）の楕円系反射面（４ａ４ａ）によって反射され、第５リフレクタ（４ａ５）の反射面（４ａ５ａ）によって反射され、第６リフレクタ（４ａ６）の楕円系反射面（４ａ６ａ）によって反射され、第６リフレクタ（４ａ６）の楕円系反射面（４ａ６ａ）の第２焦点（４ａ６ｃ）を透過し、第５平面（ＰＬａ２）内を進み、第２プリズムシート（３ｂ）の同心円状の複数のプリズム（３ｂ１）を透過した光、および、第４ＬＥＤ光源（１ｄ）から照射され、第２２リフレクタ（４ｄ４）の楕円系反射面（４ｄ４ａ）によって反射され、第２３リフレクタ（４ｄ５）の反射面（４ｄ５ａ）によって反射され、第２４リフレクタ（４ｄ６）の楕円系反射面（４ｄ６ａ）によって反射され、第２４リフレクタ（４ｄ６）の楕円系反射面（４ｄ６ａ）の第２焦点（４ｄ６ｃ）を透過し、第５平面（ＰＬａ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第６輝線（ＢＬｂ１ａ２）が、第２プリズムシート（３ｂ）に形成される。
【００７７】
そのため、請求項２に記載のＬＥＤ照明装置（１００）によれば、第１ＬＥＤ光源（１ａ）から照射された光のみによって第６輝線（ＢＬｂ１ａ２）が形成される場合よりも、第６輝線（ＢＬｂ１ａ２）を明るくすることができる。
【００７８】
また、請求項２に記載のＬＥＤ照明装置（１００）では、第２ＬＥＤ光源（１ｂ）の点灯時に、第５ＬＥＤ光源（１ｅ）が点灯される。
【００７９】
詳細には、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第２平面（ＰＬｂ）内を進み、第１プリズムシート（３ａ）の同心円状の複数のプリズム（３ａ１）を透過した光、および、第５ＬＥＤ光源（１ｅ）から照射され、第２平面（ＰＬｂ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第７輝線（ＢＬａ１ｂ）が第１プリズムシート（３ａ）に形成される。
【００８０】
そのため、請求項２に記載のＬＥＤ照明装置（１００）によれば、第２ＬＥＤ光源（１ｂ）から照射された光のみによって第７輝線（ＢＬａ１ｂ）が形成される場合よりも、第７輝線（ＢＬａ１ｂ）を明るくすることができる。
【００８１】
更に、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第２平面（ＰＬｂ）内を進み、第２プリズムシート（３ｂ）の同心円状の複数のプリズム（３ｂ１）を透過した光、および、第５ＬＥＤ光源（１ｅ）から照射され、第２平面（ＰＬｂ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第８輝線（ＢＬｂ１ｂ）が第２プリズムシート（３ｂ）に形成される。
【００８２】
そのため、請求項２に記載のＬＥＤ照明装置（１００）によれば、第２ＬＥＤ光源（１ｂ）から照射された光のみによって第８輝線（ＢＬｂ１ｂ）が形成される場合よりも、第８輝線（ＢＬｂ１ｂ）を明るくすることができる。
【００８３】
また、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第１プリズムシート（３ａ）の同心円状の複数のプリズム（３ａ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第９輝線（ＢＬａ１ｂ１）が、第１プリズムシート（３ａ）に形成される。
【００８４】
そのため、請求項２に記載のＬＥＤ照明装置（１００）によれば、第２ＬＥＤ光源（１ｂ）から照射された光のみによって第９輝線（ＢＬａ１ｂ１）が形成される場合よりも、第９輝線（ＢＬａ１ｂ１）を明るくすることができる。
【００８５】
更に、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第７リフレクタ（４ｂ１）の楕円系反射面（４ｂ１ａ）によって反射され、第８リフレクタ（４ｂ２）の反射面（４ｂ２ａ）によって反射され、第９リフレクタ（４ｂ３）の楕円系反射面（４ｂ３ａ）によって反射され、第９リフレクタ（４ｂ３）の楕円系反射面（４ｂ３ａ）の第２焦点（４ｂ３ｃ）を透過し、第６平面（ＰＬｂ１）内を進み、第２プリズムシート（３ｂ）の同心円状の複数のプリズム（３ｂ１）を透過した光、および、第５ＬＥＤ光源（１ｅ）から照射され、第２５リフレクタ（４ｅ１）の楕円系反射面によって反射され、第２６リフレクタ（４ｅ２）の反射面（４ｅ２ａ）によって反射され、第２７リフレクタ（４ｅ３）の楕円系反射面によって反射され、第２７リフレクタ（４ｅ３）の楕円系反射面の第２焦点（４ｅ３ｃ）を透過し、第６平面（ＰＬｂ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１０輝線（ＢＬｂ１ｂ１）が、第２プリズムシート（３ｂ）に形成される。
【００８６】
そのため、請求項２に記載のＬＥＤ照明装置（１００）によれば、第２ＬＥＤ光源（１ｂ）から照射された光のみによって第１０輝線（ＢＬｂ１ｂ１）が形成される場合よりも、第１０輝線（ＢＬｂ１ｂ１）を明るくすることができる。
【００８７】
また、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第１プリズムシート（３ａ）の同心円状の複数のプリズム（３ａ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１１輝線（ＢＬａ１ｂ２）が、第１プリズムシート（３ａ）に形成される。
【００８８】
そのため、請求項２に記載のＬＥＤ照明装置（１００）によれば、第２ＬＥＤ光源（１ｂ）から照射された光のみによって第１１輝線（ＢＬａ１ｂ２）が形成される場合よりも、第１１輝線（ＢＬａ１ｂ２）を明るくすることができる。
【００８９】
更に、請求項２に記載のＬＥＤ照明装置（１００）では、第２ＬＥＤ光源（１ｂ）および第５ＬＥＤ光源（１ｅ）の点灯時に、第２ＬＥＤ光源（１ｂ）から照射され、第１０リフレクタ（４ｂ４）の楕円系反射面（４ｂ４ａ）によって反射され、第１１リフレクタ（４ｂ５）の反射面（４ｂ５ａ）によって反射され、第１２リフレクタ（４ｂ６）の楕円系反射面（４ｂ６ａ）によって反射され、第１２リフレクタ（４ｂ６）の楕円系反射面（４ｂ６ａ）の第２焦点（４ｂ６ｃ）を透過し、第７平面（ＰＬｂ２）内を進み、第２プリズムシート（３ｂ）の同心円状の複数のプリズム（３ｂ１）を透過した光、および、第５ＬＥＤ光源（１ｅ）から照射され、第２８リフレクタ（４ｅ４）の楕円系反射面によって反射され、第２９リフレクタ（４ｅ５）の反射面（４ｅ５ａ）によって反射され、第３０リフレクタ（４ｅ６）の楕円系反射面によって反射され、第３０リフレクタ（４ｅ６）の楕円系反射面の第２焦点（４ｅ６ｃ）を透過し、第７平面（ＰＬｂ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１２輝線（ＢＬｂ１ｂ２）が、第２プリズムシート（３ｂ）に形成される。
【００９０】
そのため、請求項２に記載のＬＥＤ照明装置（１００）によれば、第２ＬＥＤ光源（１ｂ）から照射された光のみによって第１２輝線（ＢＬｂ１ｂ２）が形成される場合よりも、第１２輝線（ＢＬｂ１ｂ２）を明るくすることができる。
【００９１】
また、請求項２に記載のＬＥＤ照明装置（１００）では、第３ＬＥＤ光源（１ｃ）の点灯時に、第６ＬＥＤ光源（１ｆ）が点灯される。
【００９２】
詳細には、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第３平面（ＰＬｃ）内を進み、第１プリズムシート（３ａ）の同心円状の複数のプリズム（３ａ１）を透過した光、および、第６ＬＥＤ光源（１ｆ）から照射され、第３平面（ＰＬｃ）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１３輝線（ＢＬａ１ｃ）が第１プリズムシート（３ａ）に形成される。
【００９３】
そのため、請求項２に記載のＬＥＤ照明装置（１００）によれば、第３ＬＥＤ光源（１ｃ）から照射された光のみによって第１３輝線（ＢＬａ１ｃ）が形成される場合よりも、第１３輝線（ＢＬａ１ｃ）を明るくすることができる。
【００９４】
更に、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第３平面（ＰＬｃ）内を進み、第２プリズムシート（３ｂ）の同心円状の複数のプリズム（３ｂ１）を透過した光、および、第６ＬＥＤ光源（１ｆ）から照射され、第３平面（ＰＬｃ）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１４輝線（ＢＬｂ１ｃ）が第２プリズムシート（３ｂ）に形成される。
【００９５】
そのため、請求項２に記載のＬＥＤ照明装置（１００）によれば、第３ＬＥＤ光源（１ｃ）から照射された光のみによって第１４輝線（ＢＬｂ１ｃ）が形成される場合よりも、第１４輝線（ＢＬｂ１ｃ）を明るくすることができる。
【００９６】
また、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第１プリズムシート（３ａ）の同心円状の複数のプリズム（３ａ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１５輝線（ＢＬａ１ｃ１）が、第１プリズムシート（３ａ）に形成される。
【００９７】
そのため、請求項２に記載のＬＥＤ照明装置（１００）によれば、第３ＬＥＤ光源（１ｃ）から照射された光のみによって第１５輝線（ＢＬａ１ｃ１）が形成される場合よりも、第１５輝線（ＢＬａ１ｃ１）を明るくすることができる。
【００９８】
更に、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第１３リフレクタ（４ｃ１）の楕円系反射面（４ｃ１ａ）によって反射され、第１４リフレクタ（４ｃ２）の反射面（４ｃ２ａ）によって反射され、第１５リフレクタ（４ｃ３）の楕円系反射面（４ｃ３ａ）によって反射され、第１５リフレクタ（４ｃ３）の楕円系反射面（４ｃ３ａ）の第２焦点（４ｃ３ｃ）を透過し、第８平面（ＰＬｃ１）内を進み、第２プリズムシート（３ｂ）の同心円状の複数のプリズム（３ｂ１）を透過した光、および、第６ＬＥＤ光源（１ｆ）から照射され、第３１リフレクタ（４ｆ１）の楕円系反射面によって反射され、第３２リフレクタ（４ｆ２）の反射面（４ｆ２ａ）によって反射され、第３３リフレクタ（４ｆ３）の楕円系反射面によって反射され、第３３リフレクタ（４ｆ３）の楕円系反射面の第２焦点（４ｆ３ｃ）を透過し、第８平面（ＰＬｃ１）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１６輝線（ＢＬｂ１ｃ１）が、第２プリズムシート（３ｂ）に形成される。
【００９９】
そのため、請求項２に記載のＬＥＤ照明装置（１００）によれば、第３ＬＥＤ光源（１ｃ）から照射された光のみによって第１６輝線（ＢＬｂ１ｃ１）が形成される場合よりも、第１６輝線（ＢＬｂ１ｃ１）を明るくすることができる。
【０１００】
また、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第１プリズムシート（３ａ）の同心円状の複数のプリズム（３ａ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第１プリズムシート（３ａ）の同心円状の複数のプリズム（３ａ１）を透過した光によって、第１プリズムシート（３ａ）の同心円状の複数のプリズム（３ａ１）の径方向に延びている第１７輝線（ＢＬａ１ｃ２）が、第１プリズムシート（３ａ）に形成される。
【０１０１】
そのため、請求項２に記載のＬＥＤ照明装置（１００）によれば、第３ＬＥＤ光源（１ｃ）から照射された光のみによって第１７輝線（ＢＬａ１ｃ２）が形成される場合よりも、第１７輝線（ＢＬａ１ｃ２）を明るくすることができる。
【０１０２】
更に、請求項２に記載のＬＥＤ照明装置（１００）では、第３ＬＥＤ光源（１ｃ）および第６ＬＥＤ光源（１ｆ）の点灯時に、第３ＬＥＤ光源（１ｃ）から照射され、第１６リフレクタ（４ｃ４）の楕円系反射面（４ｃ４ａ）によって反射され、第１７リフレクタ（４ｃ５）の反射面（４ｃ５ａ）によって反射され、第１８リフレクタ（４ｃ６）の楕円系反射面（４ｃ６ａ）によって反射され、第１８リフレクタ（４ｃ６）の楕円系反射面（４ｃ６ａ）の第２焦点（４ｃ６ｃ）を透過し、第９平面（ＰＬｃ２）内を進み、第２プリズムシート（３ｂ）の同心円状の複数のプリズム（３ｂ１）を透過した光、および、第６ＬＥＤ光源（１ｆ）から照射され、第３４リフレクタ（４ｆ４）の楕円系反射面によって反射され、第３５リフレクタ（４ｆ５）の反射面（４ｆ５ａ）によって反射され、第３６リフレクタ（４ｆ６）の楕円系反射面によって反射され、第３６リフレクタ（４ｆ６）の楕円系反射面の第２焦点（４ｆ６ｃ）を透過し、第９平面（ＰＬｃ２）内を進み、第２プリズムシート（３ｂ）の同心円状の複数のプリズム（３ｂ１）を透過した光によって、第２プリズムシート（３ｂ）の同心円状の複数のプリズム（３ｂ１）の径方向に延びている第１８輝線（ＢＬｂ１ｃ２）が、第２プリズムシート（３ｂ）に形成される。
【０１０３】
そのため、請求項２に記載のＬＥＤ照明装置（１００）によれば、第３ＬＥＤ光源（１ｃ）から照射された光のみによって第１８輝線（ＢＬｂ１ｃ２）が形成される場合よりも、第１８輝線（ＢＬｂ１ｃ２）を明るくすることができる。
【図面の簡単な説明】
【０１０４】
【図１】第１の実施形態のＬＥＤ照明装置１００を示した図である。
【図２】第１の実施形態のＬＥＤ照明装置１００を示した図である。
【図３】第１の実施形態のＬＥＤ照明装置１００の一部を構成するプリズムシート３ａの部品図である。
【図４】第１の実施形態のＬＥＤ照明装置１００の一部を構成するプリズムシート３ｂの部品図である。
【図５】第１の実施形態のＬＥＤ照明装置１００の一部を構成するＬＥＤ光源１ａ，１ｂ，１ｃ，１ｇ，１ｈ，１ｉとそれらが実装された基板２との組立体を示した図である。
【図６】第１の実施形態のＬＥＤ照明装置１００の一部を構成するＬＥＤ光源１ａ，１ｂ，１ｃ，１ｇ，１ｈ，１ｉと、基板２と、基板２に取り付けられたリフレクタ群４ａ，４ｂ，４ｃ，４ｇ，４ｈ，４ｉとの組立体を示した図である。
【図７】ＬＥＤ光源１ａから照射され、図２に示す水平断面内を進む光を概略的に示した図である。
【図８】ＬＥＤ光源１ａから照射され、リフレクタ４ａ１，４ａ２，４ａ３によって反射された光を概略的に示した図である。
【図９】ＬＥＤ光源１ａから照射され、リフレクタ４ａ１，４ａ２，４ａ３によって反射された光を概略的に示した図である。
【図１０】ＬＥＤ光源１ａから照射され、リフレクタ４ａ４，４ａ５，４ａ６によって反射された光を概略的に示した図である。
【図１１】ＬＥＤ光源１ａから照射され、リフレクタ４ａ４，４ａ５，４ａ６によって反射された光を概略的に示した図である。
【図１２】ＬＥＤ光源１ｂから照射され、平面ＰＬｂ内を進む光を概略的に示した図である。
【図１３】ＬＥＤ光源１ｂから照射され、リフレクタ４ｂ１，４ｂ２，４ｂ３によって反射された光を概略的に示した図である。
【図１４】ＬＥＤ光源１ｂから照射され、リフレクタ４ｂ１，４ｂ２，４ｂ３によって反射された光を概略的に示した図である。
【図１５】ＬＥＤ光源１ｂから照射され、リフレクタ４ｂ４，４ｂ５，４ｂ６によって反射された光を概略的に示した図である。
【図１６】ＬＥＤ光源１ｂから照射され、リフレクタ４ｂ４，４ｂ５，４ｂ６によって反射された光を概略的に示した図である。
【図１７】ＬＥＤ光源１ｃから照射され、平面ＰＬｃ（図５および図６参照）内を進む光を概略的に示した図である。
【図１８】ＬＥＤ光源１ｃから照射され、リフレクタ４ｃ１，４ｃ２，４ｃ３によって反射された光を概略的に示した図である。
【図１９】ＬＥＤ光源１ｃから照射され、リフレクタ４ｃ１，４ｃ２，４ｃ３によって反射された光を概略的に示した図である。
【図２０】ＬＥＤ光源１ｃから照射され、リフレクタ４ｃ４，４ｃ５，４ｃ６によって反射された光を概略的に示した図である。
【図２１】ＬＥＤ光源１ｃから照射され、リフレクタ４ｃ４，４ｃ５，４ｃ６によって反射された光を概略的に示した図である。
【図２２】ＬＥＤ光源１ａの点灯時にプリズムシート３ａ，３ｂに形成される輝線ＢＬａ１ａ，ＢＬａ１ａ１，ＢＬａ１ａ２，ＢＬｂ１ａ，ＢＬｂ１ａ１，ＢＬｂ１ａ２、ＬＥＤ光源１ｂの点灯時にプリズムシート３ａ，３ｂに形成される輝線ＢＬａ１ｂ，ＢＬａ１ｂ１，ＢＬａ１ｂ２，ＢＬｂ１ｂ，ＢＬｂ１ｂ１，ＢＬｂ１ｂ２、および、ＬＥＤ光源１ｃの点灯時にプリズムシート３ａ，３ｂに形成される輝線ＢＬａ１ｃ，ＢＬａ１ｃ１，ＢＬａ１ｃ２，ＢＬｂ１ｃ，ＢＬｂ１ｃ１，ＢＬｂ１ｃ２を概略的に示した図である。
【図２３】ＬＥＤ光源１ｇの点灯時にプリズムシート３ａ，３ｂに形成される輝線ＢＬａ１ｇ，ＢＬａ１ｇ１，ＢＬａ１ｇ２，ＢＬｂ１ｇ，ＢＬｂ１ｇ１，ＢＬｂ１ｇ２、ＬＥＤ光源１ｈの点灯時にプリズムシート３ａ，３ｂに形成される輝線ＢＬａ１ｈ，ＢＬａ１ｈ１，ＢＬａ１ｈ２，ＢＬｂ１ｈ，ＢＬｂ１ｈ１，ＢＬｂ１ｈ２、および、ＬＥＤ光源１ｉの点灯時にプリズムシート３ａ，３ｂに形成される輝線ＢＬａ１ｉ，ＢＬａ１ｉ１，ＢＬａ１ｉ２，ＢＬｂ１ｉ，ＢＬｂ１ｉ１，ＢＬｂ１ｉ２を概略的に示した図である。
【図２４】第７の実施形態のＬＥＤ照明装置１００を示した図である。
【図２５】第７の実施形態のＬＥＤ照明装置１００を示した図である。
【図２６】第７の実施形態のＬＥＤ照明装置１００の一部を構成するＬＥＤ光源１ａ，１ｂ，１ｃ，１ｄ，１ｅ，１ｆ，１ｇ，１ｈ，１ｉ，１ｊ，１ｋ，１ｍとそれらが実装された基板２との組立体を示した図である。
【図２７】第７の実施形態のＬＥＤ照明装置１００の一部を構成するＬＥＤ光源１ａ，１ｂ，１ｃ，１ｄ，１ｅ，１ｆ，１ｇ，１ｈ，１ｉ，１ｊ，１ｋ，１ｍと、基板２と、基板２に取り付けられたリフレクタ群４ａ，４ｂ，４ｃ，４ｄ，４ｅ，４ｆ，４ｇ，４ｈ，４ｉ，４ｊ，４ｋ，４ｍとの組立体を示した図である。
【図２８】ＬＥＤ光源１ａから照射され、図２５に示す水平断面（平面ＰＬａ）内を進む光を概略的に示した図である。
【図２９】ＬＥＤ光源１ｄから照射され、図２５に示す水平断面（平面ＰＬａ）内を進む光を概略的に示した図である。
【図３０】ＬＥＤ光源１ａから照射され、リフレクタ４ａ１，４ａ２，４ａ３によって反射された光を概略的に示した図である。
【図３１】ＬＥＤ光源１ａから照射され、リフレクタ４ａ１，４ａ２，４ａ３によって反射された光を概略的に示した図である。
【図３２】ＬＥＤ光源１ｄから照射され、リフレクタ４ｄ１，４ｄ２によって反射された後、リフレクタ４ｄ３によって反射された光を概略的に示した図である。
【図３３】ＬＥＤ光源１ａから照射され、リフレクタ４ａ４，４ａ５，４ａ６によって反射された光を概略的に示した図である。
【図３４】ＬＥＤ光源１ａから照射され、リフレクタ４ａ４，４ａ５，４ａ６によって反射された光を概略的に示した図である。
【図３５】ＬＥＤ光源１ｄから照射され、リフレクタ４ｄ４，４ｄ５によって反射された後、リフレクタ４ｄ６によって反射された光を概略的に示した図である。
【図３６】第１の実施形態のＬＥＤ照明装置１００の変形例に適用されるレンズ６の一部を示した図である。
【発明を実施するための形態】
【０１０５】
以下、本発明のＬＥＤ照明装置の第１の実施形態について説明する。図１および図２は第１の実施形態のＬＥＤ照明装置１００を示した図である。詳細には、図１（Ａ）は第１の実施形態のＬＥＤ照明装置１００の平面図、図１（Ｂ）は第１の実施形態のＬＥＤ照明装置１００の左側面図、図１（Ｃ）は第１の実施形態のＬＥＤ照明装置１００の正面図、図１（Ｄ）は第１の実施形態のＬＥＤ照明装置１００の右側面図、図２は図１（Ｂ）のＡ−Ａ線に沿った第１の実施形態のＬＥＤ照明装置１００の拡大水平断面図である。図３は第１の実施形態のＬＥＤ照明装置１００の一部を構成するプリズムシート３ａの部品図である。詳細には、図３（Ａ）はプリズムシート３ａの水平断面図、図３（Ｂ）はプリズムシート３ａの左側面図である。図４は第１の実施形態のＬＥＤ照明装置１００の一部を構成するプリズムシート３ｂの部品図である。詳細には、図４（Ａ）はプリズムシート３ｂの右側面図、図４（Ｂ）はプリズムシート３ｂの水平断面図である。
【０１０６】
図５は第１の実施形態のＬＥＤ照明装置１００の一部を構成するＬＥＤ光源１ａ，１ｂ，１ｃ，１ｇ，１ｈ，１ｉとそれらが実装された基板２との組立体を示した図である。詳細には、図５はＬＥＤ光源１ａ，１ｂ，１ｃ，１ｇ，１ｈ，１ｉと基板２との組立体を左側（図１（Ｃ）の左側、図２の下側）から見た図である。図６は第１の実施形態のＬＥＤ照明装置１００の一部を構成するＬＥＤ光源１ａ，１ｂ，１ｃ，１ｇ，１ｈ，１ｉと、基板２と、基板２に取り付けられたリフレクタ群４ａ，４ｂ，４ｃ，４ｇ，４ｈ，４ｉとの組立体を示した図である。詳細には、図６（Ａ）はＬＥＤ光源１ａ，１ｂ，１ｃ，１ｇ，１ｈ，１ｉと基板２とリフレクタ群４ａ，４ｂ，４ｃ，４ｇ，４ｈ，４ｉとの組立体を左側（図１（Ｃ）の左側、図２の下側）から見た図である。図６（Ｂ）はＬＥＤ光源１ａ，１ｂ，１ｃ，１ｇ，１ｈ，１ｉと基板２とを透視して右側（図１（Ｃ）の右側、図２の上側、図６（Ａ）の裏側）からリフレクタ群４ａ，４ｂ，４ｃ，４ｇ，４ｈ，４ｉを見た図である。
【０１０７】
図７はＬＥＤ光源１ａから照射され、図２に示す水平断面（平面ＰＬａ（図５および図６参照））内を進む光を概略的に示した図である。図８および図９はＬＥＤ光源１ａから照射され、リフレクタ４ａ１，４ａ２，４ａ３によって反射された光を概略的に示した図である。詳細には、図８（Ａ）はＬＥＤ光源１ａから照射され、平面ＰＬａ（図８（Ｂ）参照）内を進む光Ｌ１ａ１ａを概略的に示した図である。図８（Ｂ）はＬＥＤ光源１ａから照射され、リフレクタ４ａ１の楕円系反射面４ａ１ａ（図８（Ａ）参照）によって反射された光Ｌ１ａ１ｂ、および、リフレクタ４ａ２の反射面４ａ２ａによって反射された光Ｌ１ａ１ｃを概略的に示した図である。図９（Ａ）はリフレクタ４ａ３の楕円系反射面４ａ３ａによって反射され、平面ＰＬａ１（図８（Ｂ）参照）内を進む光Ｌ１ａ１ｄを概略的に示した図である。図９（Ｂ）はリフレクタ４ａ３の楕円系反射面４ａ３ａによって反射され、プリズムシート３ａの内側表面３ａ３によって反射され、平面ＰＬａ１（図８（Ｂ）参照）内を進む光Ｌ１ａ１ｅを概略的に示した図である。
【０１０８】
図１０および図１１はＬＥＤ光源１ａから照射され、リフレクタ４ａ４，４ａ５，４ａ６によって反射された光を概略的に示した図である。詳細には、図１０（Ａ）はＬＥＤ光源１ａから照射され、平面ＰＬａ（図１０（Ｂ）参照）内を進む光Ｌ１ａ４ａを概略的に示した図である。図１０（Ｂ）はＬＥＤ光源１ａから照射され、リフレクタ４ａ４の楕円系反射面４ａ４ａ（図１０（Ａ）参照）によって反射された光Ｌ１ａ４ｂ、および、リフレクタ４ａ５の反射面４ａ５ａによって反射された光Ｌ１ａ４ｃを概略的に示した図である。図１１（Ａ）はリフレクタ４ａ６の楕円系反射面４ａ６ａによって反射され、平面ＰＬａ２（図１０（Ｂ）参照）内を進む光Ｌ１ａ４ｄを概略的に示した図である。図１１（Ｂ）はリフレクタ４ａ６の楕円系反射面４ａ６ａによって反射され、プリズムシート３ａの内側表面３ａ３によって反射され、平面ＰＬａ２（図１０（Ｂ）参照）内を進む光Ｌ１ａ４ｅを概略的に示した図である。
【０１０９】
図１２はＬＥＤ光源１ｂから照射され、平面ＰＬｂ（図５および図６参照）内を進む光を概略的に示した図である。図１３および図１４はＬＥＤ光源１ｂから照射され、リフレクタ４ｂ１，４ｂ２，４ｂ３によって反射された光を概略的に示した図である。詳細には、図１３（Ａ）はＬＥＤ光源１ｂから照射され、平面ＰＬｂ（図１３（Ｂ）参照）内を進む光Ｌ１ｂ１ａを概略的に示した図である。図１３（Ｂ）はＬＥＤ光源１ｂから照射され、リフレクタ４ｂ１の楕円系反射面４ｂ１ａ（図１３（Ａ）参照）によって反射された光Ｌ１ｂ１ｂ、および、リフレクタ４ｂ２の反射面４ｂ２ａによって反射された光Ｌ１ｂ１ｃを概略的に示した図である。図１４（Ａ）はリフレクタ４ｂ３の楕円系反射面４ｂ３ａによって反射され、平面ＰＬｂ１（図１３（Ｂ）参照）内を進む光Ｌ１ｂ１ｄを概略的に示した図である。図１４（Ｂ）はリフレクタ４ｂ３の楕円系反射面４ｂ３ａによって反射され、プリズムシート３ａの内側表面３ａ３によって反射され、平面ＰＬｂ１（図１３（Ｂ）参照）内を進む光Ｌ１ｂ１ｅを概略的に示した図である。
【０１１０】
図１５および図１６はＬＥＤ光源１ｂから照射され、リフレクタ４ｂ４，４ｂ５，４ｂ６によって反射された光を概略的に示した図である。詳細には、図１５（Ａ）はＬＥＤ光源１ｂから照射され、平面ＰＬｂ（図１５（Ｂ）参照）内を進む光Ｌ１ｂ４ａを概略的に示した図である。図１５（Ｂ）はＬＥＤ光源１ｂから照射され、リフレクタ４ｂ４の楕円系反射面４ｂ４ａ（図１５（Ａ）参照）によって反射された光Ｌ１ｂ４ｂ、および、リフレクタ４ｂ５の反射面４ｂ５ａによって反射された光Ｌ１ｂ４ｃを概略的に示した図である。図１６（Ａ）はリフレクタ４ｂ６の楕円系反射面４ｂ６ａによって反射され、平面ＰＬｂ２（図１５（Ｂ）参照）内を進む光Ｌ１ｂ４ｄを概略的に示した図である。図１６（Ｂ）はリフレクタ４ｂ６の楕円系反射面４ｂ６ａによって反射され、プリズムシート３ａの内側表面３ａ３によって反射され、平面ＰＬｂ２（図１５（Ｂ）参照）内を進む光Ｌ１ｂ４ｅを概略的に示した図である。
【０１１１】
図１７はＬＥＤ光源１ｃから照射され、平面ＰＬｃ（図５および図６参照）内を進む光を概略的に示した図である。図１８および図１９はＬＥＤ光源１ｃから照射され、リフレクタ４ｃ１，４ｃ２，４ｃ３によって反射された光を概略的に示した図である。詳細には、図１８（Ａ）はＬＥＤ光源１ｃから照射され、平面ＰＬｃ（図１８（Ｂ）参照）内を進む光Ｌ１ｃ１ａを概略的に示した図である。図１８（Ｂ）はＬＥＤ光源１ｃから照射され、リフレクタ４ｃ１の楕円系反射面４ｃ１ａ（図１８（Ａ）参照）によって反射された光Ｌ１ｃ１ｂ、および、リフレクタ４ｃ２の反射面４ｃ２ａによって反射された光Ｌ１ｃ１ｃを概略的に示した図である。図１９（Ａ）はリフレクタ４ｃ３の楕円系反射面４ｃ３ａによって反射され、平面ＰＬｃ１（図１８（Ｂ）参照）内を進む光Ｌ１ｃ１ｄを概略的に示した図である。図１９（Ｂ）はリフレクタ４ｃ３の楕円系反射面４ｃ３ａによって反射され、プリズムシート３ａの内側表面３ａ３によって反射され、平面ＰＬｃ１（図１８（Ｂ）参照）内を進む光Ｌ１ｃ１ｅを概略的に示した図である。
【０１１２】
図２０および図２１はＬＥＤ光源１ｃから照射され、リフレクタ４ｃ４，４ｃ５，４ｃ６によって反射された光を概略的に示した図である。詳細には、図２０（Ａ）はＬＥＤ光源１ｃから照射され、平面ＰＬｃ（図２０（Ｂ）参照）内を進む光Ｌ１ｃ４ａを概略的に示した図である。図２０（Ｂ）はＬＥＤ光源１ｃから照射され、リフレクタ４ｃ４の楕円系反射面４ｃ４ａ（図２０（Ａ）参照）によって反射された光Ｌ１ｃ４ｂ、および、リフレクタ４ｃ５の反射面４ｃ５ａによって反射された光Ｌ１ｃ４ｃを概略的に示した図である。図２１（Ａ）はリフレクタ４ｃ６の楕円系反射面４ｃ６ａによって反射され、平面ＰＬｃ２（図２０（Ｂ）参照）内を進む光Ｌ１ｃ４ｄを概略的に示した図である。図２１（Ｂ）はリフレクタ４ｃ６の楕円系反射面４ｃ６ａによって反射され、プリズムシート３ａの内側表面３ａ３によって反射され、平面ＰＬｃ２（図２０（Ｂ）参照）内を進む光Ｌ１ｃ４ｅを概略的に示した図である。
【０１１３】
図２２はＬＥＤ光源１ａの点灯時にプリズムシート３ａ，３ｂに形成される輝線ＢＬａ１ａ，ＢＬａ１ａ１，ＢＬａ１ａ２，ＢＬｂ１ａ，ＢＬｂ１ａ１，ＢＬｂ１ａ２、ＬＥＤ光源１ｂの点灯時にプリズムシート３ａ，３ｂに形成される輝線ＢＬａ１ｂ，ＢＬａ１ｂ１，ＢＬａ１ｂ２，ＢＬｂ１ｂ，ＢＬｂ１ｂ１，ＢＬｂ１ｂ２、および、ＬＥＤ光源１ｃの点灯時にプリズムシート３ａ，３ｂに形成される輝線ＢＬａ１ｃ，ＢＬａ１ｃ１，ＢＬａ１ｃ２，ＢＬｂ１ｃ，ＢＬｂ１ｃ１，ＢＬｂ１ｃ２を概略的に示した図である。図２３はＬＥＤ光源１ｇの点灯時にプリズムシート３ａ，３ｂに形成される輝線ＢＬａ１ｇ，ＢＬａ１ｇ１，ＢＬａ１ｇ２，ＢＬｂ１ｇ，ＢＬｂ１ｇ１，ＢＬｂ１ｇ２、ＬＥＤ光源１ｈの点灯時にプリズムシート３ａ，３ｂに形成される輝線ＢＬａ１ｈ，ＢＬａ１ｈ１，ＢＬａ１ｈ２，ＢＬｂ１ｈ，ＢＬｂ１ｈ１，ＢＬｂ１ｈ２、および、ＬＥＤ光源１ｉの点灯時にプリズムシート３ａ，３ｂに形成される輝線ＢＬａ１ｉ，ＢＬａ１ｉ１，ＢＬａ１ｉ２，ＢＬｂ１ｉ，ＢＬｂ１ｉ１，ＢＬｂ１ｉ２を概略的に示した図である。
【０１１４】
図３６は第１の実施形態のＬＥＤ照明装置１００の変形例に適用されるレンズ６の一部を示した図である。詳細には、図３６（Ａ）は第１の実施形態のＬＥＤ照明装置１００のプリズムシート３ａに適用されるレンズ６の一部を左側（図１（Ｃ）の左側、図２の下側）から見た図である。図３６（Ｂ）は図３６（Ａ）のＣ−Ｃ線に沿った概略的な断面図、図３６（Ｃ）は図３６（Ａ）のＤ−Ｄ線に沿った概略的な断面図、図３６（Ｄ）は図３６（Ａ）のＥ−Ｅ線に沿った概略的な断面図である。
【０１１５】
第１の実施形態のＬＥＤ照明装置１００では、複数のプリズム３ａ１（図３参照）の稜線３ａ１ａ（図３（Ｂ）参照）が同心円状に配列されたプリズムシート３ａ（図１、図２および図３参照）と、複数のプリズム３ｂ１（図４参照）の稜線３ｂ１ａ（図４（Ｂ）参照）が同心円状に配列されたプリズムシート３ｂ（図１、図２および図４参照）とが設けられている。詳細には、図１および図２に示すように、例えば、プリズムシート３ａが左ハウジング５ａに接続され、プリズムシート３ｂが右ハウジング５ｂに接続され、左ハウジング５ａと右ハウジング５ｂとが、相互に接続されると共に、被取付部材２００に接続されている。
【０１１６】
更に、第１の実施形態のＬＥＤ照明装置１００では、概略点状に光って見える例えば６個のような、３個以上のＬＥＤ光源１ａ，１ｂ，１ｃ，１ｇ，１ｈ，１ｉ（図５参照）が設けられている。詳細には、図５に示すように、例えばＬＥＤ光源１ａ，１ｂ，１ｃ，１ｇ，１ｈ，１ｉが基板２に実装され、図２に示すように、基板２がハウジング５ａ，５ｂに接続されている。
【０１１７】
また、第１の実施形態のＬＥＤ照明装置１００では、図２に示すように、プリズムシート３ａとプリズムシート３ｂとが略平行に配置されている。更に、基板２が、プリズムシート３ａ，３ｂに対して略平行に、プリズムシート３ａとプリズムシート３ｂとの間に配置されている。また、基板２に対して略平行であって、プリズムシート３ａとプリズムシート３ｂとの間に位置する仮想円ＣＲ１（図５参照）上に、ＬＥＤ光源１ａ，１ｂ，１ｃ，１ｇ，１ｈ，１ｉ（図５参照）が配置されている。更に、プリズムシート３ａの同心円状の複数のプリズム３ａ１の中心３ａ１ａ１（図３参照）を通るプリズムシート３ａの法線３ａ２と、プリズムシート３ｂの同心円状の複数のプリズム３ｂ１の中心３ｂ１ａ１（図３参照）を通るプリズムシート３ｂの法線３ｂ２と、仮想円ＣＲ１（図５参照）の中心と、基板２の穴の中心軸線２ａ１とが、概略一致せしめられている。
【０１１８】
第１の実施形態のＬＥＤ照明装置１００では、図５に示すように、ＬＥＤ光源１ａ，１ｂ，１ｃ，１ｇ，１ｈ，１ｉが仮想円ＣＲ１上に等間隔に配列されているが、第２の実施形態のＬＥＤ照明装置１００では、代わりに、ＬＥＤ光源１ａ，１ｂ，１ｃ，１ｇ，１ｈ，１ｉを不等間隔に配列することも可能である。
【０１１９】
第１の実施形態のＬＥＤ照明装置１００では、図５に示すように、ＬＥＤ光源１ａ，１ｂ，１ｃ，１ｇ，１ｈ，１ｉが仮想円ＣＲ１上に全周にわたって配列されているが、第３の実施形態のＬＥＤ照明装置１００では、代わりに、ＬＥＤ光源１ａ，１ｂ，１ｃ，１ｇ，１ｈ，１ｉを、仮想円ＣＲ１の一部分上に、つまり、３６０°より小さい中心角を有する円弧上に、ＬＥＤ光源１ａ，１ｂ，１ｃ，１ｇ，１ｈ，１ｉを配列することも可能である。
【０１２０】
第１の実施形態のＬＥＤ照明装置１００では、図３（Ａ）および図４（Ｂ）に示すように、プリズムシート３ａ，３ｂのプリズム３ａ１，３ｂ１の断面形状が円弧形状に設定されているが、第４の実施形態のＬＥＤ照明装置１００では、代わりに、プリズムシート３ａ，３ｂのプリズム３ａ１，３ｂ１の断面形状を、例えば多角形形状などのような円弧以外の形状に設定することも可能である。
【０１２１】
第１の実施形態のＬＥＤ照明装置１００では、図３（Ａ）および図４（Ｂ）に示すように、プリズムシート３ａ，３ｂの外側表面にプリズム３ａ１，３ｂ１が形成され、プリズムシート３ａ，３ｂの内側表面３ａ３，３ｂ３にプリズムが形成されていないが、第５の実施形態のＬＥＤ照明装置１００では、代わりに、プリズムシート３ａ，３ｂの両側表面にプリズムを形成したり、プリズムシート３ａ，３ｂの内側表面のみにプリズムを形成したりすることも可能である。
【０１２２】
第１の実施形態のＬＥＤ照明装置１００では、ＬＥＤ光源１ａ（図２、図５および図６（Ａ）参照）から、プリズムシート３ａ，３ｂ（図２参照）の法線３ａ２，３ｂ２（図２参照）とＬＥＤ光源１ａとを含む平面ＰＬａ（図５および図６参照）の一方の側（図５および図６（Ａ）の上側、図６（Ｂ）の下側）に照射された光のうち、円ＣＲ１（図５および図６参照）の径方向の外側に向かって進む光を反射して、円ＣＲ１の径方向の中心側に向かって進む光にするための、例えばその第１焦点４ａ１ｂ（図５参照）と第２焦点４ａ１ｃ（図５参照）とを結ぶ直線を中心に楕円孤を回転させることにより得られる回転楕円面や、その回転楕円面をベースとした任意の曲面などによって構成された楕円系反射面４ａ１ａ（図６（Ｂ）参照）を有するリフレクタ４ａ１（図６参照）が設けられている。更に、リフレクタ４ａ１の楕円系反射面４ａ１ａの第１焦点４ａ１ｂ（図５参照）が、ＬＥＤ光源１ａ（図５参照）上に配置されている。また、リフレクタ４ａ１の楕円系反射面４ａ１ａの第２焦点４ａ１ｃ（図５参照）が、円ＣＲ１（図５参照）上に配置されている。
【０１２３】
更に、第１の実施形態のＬＥＤ照明装置１００では、円ＣＲ１（図６参照）の径方向の中心側に向かって進むリフレクタ４ａ１（図６参照）の楕円系反射面４ａ１ａ（図６（Ｂ）参照）からの反射光を反射して、円ＣＲ１の径方向の外側に向かって進む光にするための、例えば平面などによって構成された反射面４ａ２ａ（図６（Ｂ）参照）を有するリフレクタ４ａ２（図６（Ｂ）参照）が設けられている。また、リフレクタ４ａ２の反射面４ａ２ａが、リフレクタ４ａ１（図６参照）の楕円系反射面４ａ１ａ（図６（Ｂ）参照）の第２焦点４ａ１ｃ（図５参照）上またはその近傍に配置されている。
【０１２４】
また、第１の実施形態のＬＥＤ照明装置１００では、円ＣＲ１（図６参照）の径方向の外側に向かって進むリフレクタ４ａ２（図６（Ｂ）参照）の反射面４ａ２ａ（図６（Ｂ）参照）からの反射光を反射して、円ＣＲ１の径方向の中心側に向かって進む光にするための楕円系反射面４ａ３ａ（図６（Ａ）参照）を有するリフレクタ４ａ３（図６参照）が設けられている。更に、リフレクタ４ａ３の楕円系反射面４ａ３ａの第１焦点４ａ３ｂ（図５参照）が、リフレクタ４ａ１（図６参照）の楕円系反射面４ａ１ａ（図６（Ｂ）参照）の第２焦点４ａ１ｃ（図５参照）上に配置されている。また、リフレクタ４ａ３の楕円系反射面４ａ３ａの第２焦点４ａ３ｃ（図５参照）が、円ＣＲ１（図５参照）上に配置されている。
【０１２５】
更に、第１の実施形態のＬＥＤ照明装置１００では、ＬＥＤ光源１ａ（図２、図５および図６（Ａ）参照）から平面ＰＬａ（図５および図６参照）の他方の側（図５および図６（Ａ）の下側、図６（Ｂ）の上側）に照射された光のうち、円ＣＲ１（図５および図６参照）の径方向の外側に向かって進む光を反射して、円ＣＲ１の径方向の中心側に向かって進む光にするための楕円系反射面４ａ４ａ（図６（Ｂ）参照）を有するリフレクタ４ａ４（図６参照）が設けられている。また、リフレクタ４ａ４の楕円系反射面４ａ４ａの第１焦点４ａ４ｂ（図５参照）が、ＬＥＤ光源１ａ（図５参照）上に配置されている。更に、リフレクタ４ａ４の楕円系反射面４ａ４ａの第２焦点４ａ４ｃ（図５参照）が、円ＣＲ１（図５参照）上に配置されている。
【０１２６】
また、第１の実施形態のＬＥＤ照明装置１００では、円ＣＲ１（図６参照）の径方向の中心側に向かって進むリフレクタ４ａ４（図６参照）の楕円系反射面４ａ４ａ（図６（Ｂ）参照）からの反射光を反射して、円ＣＲ１の径方向の外側に向かって進む光にするための、例えば平面などによって構成された反射面４ａ５ａ（図６（Ｂ）参照）を有するリフレクタ４ａ５（図６（Ｂ）参照）が設けられている。更に、リフレクタ４ａ５の反射面４ａ５ａが、リフレクタ４ａ４（図６参照）の楕円系反射面４ａ４ａ（図６（Ｂ）参照）の第２焦点４ａ４ｃ（図５参照）上またはその近傍に配置されている。
【０１２７】
更に、第１の実施形態のＬＥＤ照明装置１００では、円ＣＲ１（図６参照）の径方向の外側に向かって進むリフレクタ４ａ５（図６（Ｂ）参照）の反射面４ａ５ａ（図６（Ｂ）参照）からの反射光を反射して、円ＣＲ１の径方向の中心側に向かって進む光にするための楕円系反射面４ａ６ａ（図６（Ａ）参照）を有するリフレクタ４ａ６（図６参照）が設けられている。また、リフレクタ４ａ６の楕円系反射面４ａ６ａの第１焦点４ａ６ｂ（図５参照）が、リフレクタ４ａ４（図６参照）の楕円系反射面４ａ４ａ（図６（Ｂ）参照）の第２焦点４ａ４ｃ（図５参照）上に配置されている。更に、リフレクタ４ａ６の楕円系反射面４ａ６ａの第２焦点４ａ６ｃ（図５参照）が、円ＣＲ１（図５参照）上に配置されている。
【０１２８】
第１の実施形態のＬＥＤ照明装置１００では、リフレクタ４ａ１，４ａ２，４ａ３（図６参照）とリフレクタ４ａ４，４ａ５，４ａ６（図６参照）とが、平面ＰＬａ（図６参照）に関して面対称に構成されているが、第６の実施形態のＬＥＤ照明装置１００では、代わりに、リフレクタ４ａ１，４ａ２，４ａ３とリフレクタ４ａ４，４ａ５，４ａ６とを平面ＰＬａに関して非対称に構成することも可能である。
【０１２９】
また、第１の実施形態のＬＥＤ照明装置１００では、図６に示すように、リフレクタ４ａ１とリフレクタ４ａ２とリフレクタ４ａ３とリフレクタ４ａ４とリフレクタ４ａ５とリフレクタ４ａ６とが、一部材によって形成され、リフレクタ群４ａを構成している。更に、リフレクタ群４ａが基板２の部分２ｂ１（図５参照）に接続されている。また、リフレクタ群４ｂ，４ｃ，４ｇ，４ｈ，４ｉがリフレクタ群４ａと同一形状に形成されている。
【０１３０】
詳細には、第１の実施形態のＬＥＤ照明装置１００では、ＬＥＤ光源１ｂ（図５および図６（Ａ）参照）から、プリズムシート３ａ，３ｂ（図２参照）の法線３ａ２，３ｂ２（図２参照）とＬＥＤ光源１ｂとを含む平面ＰＬｂ（図５および図６参照）の一方の側（図５および図６の左側）に照射された光のうち、円ＣＲ１（図５および図６参照）の径方向の外側に向かって進む光を反射して、円ＣＲ１の径方向の中心側に向かって進む光にするための楕円系反射面４ｂ１ａ（図６（Ｂ）参照）を有するリフレクタ４ｂ１（図６参照）が設けられている。更に、リフレクタ４ｂ１の楕円系反射面４ｂ１ａの第１焦点４ｂ１ｂ（図５参照）が、ＬＥＤ光源１ｂ（図５参照）上に配置されている。また、リフレクタ４ｂ１の楕円系反射面４ｂ１ａの第２焦点４ｂ１ｃ（図５参照）が、円ＣＲ１（図５参照）上に配置されている。
【０１３１】
更に、第１の実施形態のＬＥＤ照明装置１００では、円ＣＲ１（図６参照）の径方向の中心側に向かって進むリフレクタ４ｂ１（図６参照）の楕円系反射面４ｂ１ａ（図６（Ｂ）参照）からの反射光を反射して、円ＣＲ１の径方向の外側に向かって進む光にするための反射面４ｂ２ａ（図６（Ｂ）参照）を有するリフレクタ４ｂ２（図６（Ｂ）参照）が設けられている。また、リフレクタ４ｂ２の反射面４ｂ２ａが、リフレクタ４ｂ１（図６参照）の楕円系反射面４ｂ１ａ（図６（Ｂ）参照）の第２焦点４ｂ１ｃ（図５参照）上またはその近傍に配置されている。
【０１３２】
また、第１の実施形態のＬＥＤ照明装置１００では、円ＣＲ１（図６参照）の径方向の外側に向かって進むリフレクタ４ｂ２（図６（Ｂ）参照）の反射面４ｂ２ａ（図６（Ｂ）参照）からの反射光を反射して、円ＣＲ１の径方向の中心側に向かって進む光にするための楕円系反射面４ｂ３ａ（図６（Ａ）参照）を有するリフレクタ４ｂ３（図６参照）が設けられている。更に、リフレクタ４ｂ３の楕円系反射面４ｂ３ａの第１焦点４ｂ３ｂ（図５参照）が、リフレクタ４ｂ１（図６参照）の楕円系反射面４ｂ１ａ（図６（Ｂ）参照）の第２焦点４ｂ１ｃ（図５参照）上に配置されている。また、リフレクタ４ｂ３の楕円系反射面４ｂ３ａの第２焦点４ｂ３ｃ（図５参照）が、円ＣＲ１（図５参照）上に配置されている。
【０１３３】
更に、第１の実施形態のＬＥＤ照明装置１００では、ＬＥＤ光源１ｂ（図５および図６（Ａ）参照）から平面ＰＬｂ（図５および図６参照）の他方の側（図５および図６の右側）に照射された光のうち、円ＣＲ１（図５および図６参照）の径方向の外側に向かって進む光を反射して、円ＣＲ１の径方向の中心側に向かって進む光にするための楕円系反射面４ｂ４ａ（図６（Ｂ）参照）を有するリフレクタ４ｂ４（図６参照）が設けられている。また、リフレクタ４ｂ４の楕円系反射面４ｂ４ａの第１焦点４ｂ４ｂ（図５参照）が、ＬＥＤ光源１ｂ（図５参照）上に配置されている。更に、リフレクタ４ｂ４の楕円系反射面４ｂ４ａの第２焦点４ｂ４ｃ（図５参照）が、円ＣＲ１（図５参照）上に配置されている。
【０１３４】
また、第１の実施形態のＬＥＤ照明装置１００では、円ＣＲ１（図６参照）の径方向の中心側に向かって進むリフレクタ４ｂ４（図６参照）の楕円系反射面４ｂ４ａ（図６（Ｂ）参照）からの反射光を反射して、円ＣＲ１の径方向の外側に向かって進む光にするための反射面４ｂ５ａ（図６（Ｂ）参照）を有するリフレクタ４ｂ５（図６（Ｂ）参照）が設けられている。更に、リフレクタ４ｂ５の反射面４ｂ５ａが、リフレクタ４ｂ４（図６参照）の楕円系反射面４ｂ４ａ（図６（Ｂ）参照）の第２焦点４ｂ４ｃ（図５参照）上またはその近傍に配置されている。
【０１３５】
更に、第１の実施形態のＬＥＤ照明装置１００では、円ＣＲ１（図６参照）の径方向の外側に向かって進むリフレクタ４ｂ５（図６（Ｂ）参照）の反射面４ｂ５ａ（図６（Ｂ）参照）からの反射光を反射して、円ＣＲ１の径方向の中心側に向かって進む光にするための楕円系反射面４ｂ６ａ（図６（Ａ）参照）を有するリフレクタ４ｂ６（図６参照）が設けられている。また、リフレクタ４ｂ６の楕円系反射面４ｂ６ａの第１焦点４ｂ６ｂ（図５参照）が、リフレクタ４ｂ４（図６参照）の楕円系反射面４ｂ４ａ（図６（Ｂ）参照）の第２焦点４ｂ４ｃ（図５参照）上に配置されている。更に、リフレクタ４ｂ６の楕円系反射面４ｂ６ａの第２焦点４ｂ６ｃ（図５参照）が、円ＣＲ１（図５参照）上に配置されている。
【０１３６】
また、第１の実施形態のＬＥＤ照明装置１００では、ＬＥＤ光源１ｃ（図５および図６（Ａ）参照）から、プリズムシート３ａ，３ｂ（図２参照）の法線３ａ２，３ｂ２（図２参照）とＬＥＤ光源１ｃとを含む平面ＰＬｃ（図５および図６参照）の一方の側（図５および図６の左側）に照射された光のうち、円ＣＲ１（図５および図６参照）の径方向の外側に向かって進む光を反射して、円ＣＲ１の径方向の中心側に向かって進む光にするための楕円系反射面４ｃ１ａ（図６（Ｂ）参照）を有するリフレクタ４ｃ１（図６参照）が設けられている。更に、リフレクタ４ｃ１の楕円系反射面４ｃ１ａの第１焦点４ｃ１ｂ（図５参照）が、ＬＥＤ光源１ｃ（図５参照）上に配置されている。また、リフレクタ４ｃ１の楕円系反射面４ｃ１ａの第２焦点４ｃ１ｃ（図５参照）が、円ＣＲ１（図５参照）上に配置されている。
【０１３７】
更に、第１の実施形態のＬＥＤ照明装置１００では、円ＣＲ１（図６参照）の径方向の中心側に向かって進むリフレクタ４ｃ１（図６参照）の楕円系反射面４ｃ１ａ（図６（Ｂ）参照）からの反射光を反射して、円ＣＲ１の径方向の外側に向かって進む光にするための反射面４ｃ２ａ（図６（Ｂ）参照）を有するリフレクタ４ｃ２（図６（Ｂ）参照）が設けられている。また、リフレクタ４ｃ２の反射面４ｃ２ａが、リフレクタ４ｃ１（図６参照）の楕円系反射面４ｃ１ａ（図６（Ｂ）参照）の第２焦点４ｃ１ｃ（図５参照）上またはその近傍に配置されている。
【０１３８】
また、第１の実施形態のＬＥＤ照明装置１００では、円ＣＲ１（図６参照）の径方向の外側に向かって進むリフレクタ４ｃ２（図６（Ｂ）参照）の反射面４ｃ２ａ（図６（Ｂ）参照）からの反射光を反射して、円ＣＲ１の径方向の中心側に向かって進む光にするための楕円系反射面４ｃ３ａ（図６（Ａ）参照）を有するリフレクタ４ｃ３（図６参照）が設けられている。更に、リフレクタ４ｃ３の楕円系反射面４ｃ３ａの第１焦点４ｃ３ｂ（図５参照）が、リフレクタ４ｃ１（図６参照）の楕円系反射面４ｃ１ａ（図６（Ｂ）参照）の第２焦点４ｃ１ｃ（図５参照）上に配置されている。また、リフレクタ４ｃ３の楕円系反射面４ｃ３ａの第２焦点４ｃ３ｃ（図５参照）が、円ＣＲ１（図５参照）上に配置されている。
【０１３９】
更に、第１の実施形態のＬＥＤ照明装置１００では、ＬＥＤ光源１ｃ（図５および図６（Ａ）参照）から平面ＰＬｃ（図５および図６参照）の他方の側（図５および図６の右側）に照射された光のうち、円ＣＲ１（図５および図６参照）の径方向の外側に向かって進む光を反射して、円ＣＲ１の径方向の中心側に向かって進む光にするための楕円系反射面４ｃ４ａ（図６（Ｂ）参照）を有するリフレクタ４ｃ４（図６参照）が設けられている。また、リフレクタ４ｃ４の楕円系反射面４ｃ４ａの第１焦点４ｃ４ｂ（図５参照）が、ＬＥＤ光源１ｃ（図５参照）上に配置されている。更に、リフレクタ４ｃ４の楕円系反射面４ｃ４ａの第２焦点４ｃ４ｃ（図５参照）が、円ＣＲ１（図５参照）上に配置されている。
【０１４０】
また、第１の実施形態のＬＥＤ照明装置１００では、円ＣＲ１（図６参照）の径方向の中心側に向かって進むリフレクタ４ｃ４（図６参照）の楕円系反射面４ｃ４ａ（図６（Ｂ）参照）からの反射光を反射して、円ＣＲ１の径方向の外側に向かって進む光にするための反射面４ｃ５ａ（図６（Ｂ）参照）を有するリフレクタ４ｃ５（図６（Ｂ）参照）が設けられている。更に、リフレクタ４ｃ５の反射面４ｃ５ａが、リフレクタ４ｃ４（図６参照）の楕円系反射面４ｃ４ａ（図６（Ｂ）参照）の第２焦点４ｃ４ｃ（図５参照）上またはその近傍に配置されている。
【０１４１】
更に、第１の実施形態のＬＥＤ照明装置１００では、円ＣＲ１（図６参照）の径方向の外側に向かって進むリフレクタ４ｃ５（図６（Ｂ）参照）の反射面４ｃ５ａ（図６（Ｂ）参照）からの反射光を反射して、円ＣＲ１の径方向の中心側に向かって進む光にするための楕円系反射面４ｃ６ａ（図６（Ａ）参照）を有するリフレクタ４ｃ６（図６参照）が設けられている。また、リフレクタ４ｃ６の楕円系反射面４ｃ６ａの第１焦点４ｃ６ｂ（図５参照）が、リフレクタ４ｃ４（図６参照）の楕円系反射面４ｃ４ａ（図６（Ｂ）参照）の第２焦点４ｃ４ｃ（図５参照）上に配置されている。更に、リフレクタ４ｃ６の楕円系反射面４ｃ６ａの第２焦点４ｃ６ｃ（図５参照）が、円ＣＲ１（図５参照）上に配置されている。
【０１４２】
詳細には、第１の実施形態のＬＥＤ照明装置１００では、図７（Ａ）に示すように、ＬＥＤ光源１ａの点灯時に、ＬＥＤ光源１ａから照射され、平面ＰＬａ（図５および図６参照）内を進む光が、プリズムシート３ａの同心円状の複数のプリズム３ａ１を透過し、透過光Ｌａ１ａになる。更に、この透過光Ｌａ１ａによって、図２２（Ａ）に示すように、プリズムシート３ａの同心円状の複数のプリズム３ａ１（図３参照）の径方向に延びている直線状の輝線ＢＬａ１ａがプリズムシート３ａに形成される。
【０１４３】
また、第１の実施形態のＬＥＤ照明装置１００では、図７（Ｂ）に示すように、ＬＥＤ光源１ａの点灯時に、ＬＥＤ光源１ａから照射され、平面ＰＬａ（図５および図６参照）内を進み、プリズムシート３ａの内側表面３ａ３によって反射された光が、プリズムシート３ｂの同心円状の複数のプリズム３ｂ１を透過し、透過光Ｌｂ１ａになる。更に、この透過光Ｌｂ１ａによって、図２２（Ｂ）に示すように、プリズムシート３ｂの同心円状の複数のプリズム３ｂ１（図４参照）の径方向に延びている直線状の輝線ＢＬｂ１ａがプリズムシート３ｂに形成される。
【０１４４】
更に、第１の実施形態のＬＥＤ照明装置１００では、図８（Ａ）に示すように、ＬＥＤ光源１ａの点灯時に、ＬＥＤ光源１ａから照射された光Ｌ１ａ１ａが、リフレクタ４ａ１の楕円系反射面４ａ１ａによって反射され、反射光Ｌ１ａ１ｂ（図８（Ｂ）参照）になる。次いで、図８（Ｂ）に示すように、反射光Ｌ１ａ１ｂが、リフレクタ４ａ２の反射面４ａ２ａによって反射されて反射光Ｌ１ａ１ｃになり、次いで、リフレクタ４ａ３の楕円系反射面４ａ３ａ（図９参照）によって反射され、反射光Ｌ１ａ１ｄ（図９（Ａ）参照）になる。次いで、図９（Ａ）に示すように、反射光Ｌ１ａ１ｄが、リフレクタ４ａ３の楕円系反射面４ａ３ａの第２焦点４ａ３ｃを透過し、平面ＰＬａ１（図８（Ｂ）参照）内を進む。次いで、反射光Ｌ１ａ１ｄの一部が、プリズムシート３ａの同心円状の複数のプリズム３ａ１を透過し、透過光Ｌａ１ａ１になる。更に、この透過光Ｌａ１ａ１によって、図２２（Ａ）に示すように、プリズムシート３ａの同心円状の複数のプリズム３ａ１（図３参照）の径方向に延びている直線状の輝線ＢＬａ１ａ１が、プリズムシート３ａに形成される。また、反射光Ｌ１ａ１ｄの他の一部が、図９（Ｂ）に示すように、プリズムシート３ａの内側表面３ａ３によって反射されて反射光Ｌ１ａ１ｅになり、次いで、プリズムシート３ｂの同心円状の複数のプリズム３ｂ１を透過し、透過光Ｌｂ１ａ１になる。更に、この透過光Ｌｂ１ａ１によって、図２２（Ｂ）に示すように、プリズムシート３ｂの同心円状の複数のプリズム３ｂ１（図４参照）の径方向に延びている直線状の輝線ＢＬｂ１ａ１がプリズムシート３ｂに形成される。
【０１４５】
また、第１の実施形態のＬＥＤ照明装置１００では、図１０（Ａ）に示すように、ＬＥＤ光源１ａの点灯時に、ＬＥＤ光源１ａから照射された光Ｌ１ａ４ａが、リフレクタ４ａ４の楕円系反射面４ａ４ａによって反射され、反射光Ｌ１ａ４ｂ（図１０（Ｂ）参照）になる。次いで、図１０（Ｂ）に示すように、反射光Ｌ１ａ４ｂが、リフレクタ４ａ５の反射面４ａ５ａによって反射されて反射光Ｌ１ａ４ｃになり、次いで、リフレクタ４ａ６の楕円系反射面４ａ６ａ（図１１参照）によって反射され、反射光Ｌ１ａ４ｄ（図１１（Ａ）参照）になる。次いで、図１１（Ａ）に示すように、反射光Ｌ１ａ４ｄが、リフレクタ４ａ６の楕円系反射面４ａ６ａの第２焦点４ａ６ｃを透過し、平面ＰＬａ２（図１０（Ｂ）参照）内を進む。次いで、反射光Ｌ１ａ４ｄの一部が、プリズムシート３ａの同心円状の複数のプリズム３ａ１を透過し、透過光Ｌａ１ａ２になる。更に、この透過光Ｌａ１ａ２によって、図２２（Ａ）に示すように、プリズムシート３ａの同心円状の複数のプリズム３ａ１（図３参照）の径方向に延びている直線状の輝線ＢＬａ１ａ２が、プリズムシート３ａに形成される。また、反射光Ｌ１ａ４ｄの他の一部が、図１１（Ｂ）に示すように、プリズムシート３ａの内側表面３ａ３によって反射されて反射光Ｌ１ａ４ｅになり、次いで、プリズムシート３ｂの同心円状の複数のプリズム３ｂ１を透過し、透過光Ｌｂ１ａ２になる。更に、この透過光Ｌｂ１ａ２によって、図２２（Ｂ）に示すように、プリズムシート３ｂの同心円状の複数のプリズム３ｂ１（図４参照）の径方向に延びている直線状の輝線ＢＬｂ１ａ２がプリズムシート３ｂに形成される。
【０１４６】
更に、第１の実施形態のＬＥＤ照明装置１００では、図１２（Ａ）に示すように、ＬＥＤ光源１ｂの点灯時に、ＬＥＤ光源１ｂから照射され、平面ＰＬｂ（図５および図６参照）内を進む光が、プリズムシート３ａの同心円状の複数のプリズム３ａ１を透過し、透過光Ｌａ１ｂになる。更に、この透過光Ｌａ１ｂによって、図２２（Ｃ）に示すように、プリズムシート３ａの同心円状の複数のプリズム３ａ１（図３参照）の径方向に延びている直線状の輝線ＢＬａ１ｂがプリズムシート３ａに形成される。
【０１４７】
また、第１の実施形態のＬＥＤ照明装置１００では、図１２（Ｂ）に示すように、ＬＥＤ光源１ｂの点灯時に、ＬＥＤ光源１ｂから照射され、平面ＰＬｂ（図５および図６参照）内を進み、プリズムシート３ａの内側表面３ａ３によって反射された光が、プリズムシート３ｂの同心円状の複数のプリズム３ｂ１を透過し、透過光Ｌｂ１ｂになる。更に、この透過光Ｌｂ１ｂによって、図２２（Ｄ）に示すように、プリズムシート３ｂの同心円状の複数のプリズム３ｂ１（図４参照）の径方向に延びている直線状の輝線ＢＬｂ１ｂがプリズムシート３ｂに形成される。
【０１４８】
更に、第１の実施形態のＬＥＤ照明装置１００では、図１３（Ａ）に示すように、ＬＥＤ光源１ｂの点灯時に、ＬＥＤ光源１ｂから照射された光Ｌ１ｂ１ａが、リフレクタ４ｂ１の楕円系反射面４ｂ１ａによって反射され、反射光Ｌ１ｂ１ｂ（図１３（Ｂ）参照）になる。次いで、図１３（Ｂ）に示すように、反射光Ｌ１ｂ１ｂが、リフレクタ４ｂ２の反射面４ｂ２ａによって反射されて反射光Ｌ１ｂ１ｃになり、次いで、リフレクタ４ｂ３の楕円系反射面４ｂ３ａ（図１４参照）によって反射され、反射光Ｌ１ｂ１ｄ（図１４（Ａ）参照）になる。次いで、図１４（Ａ）に示すように、反射光Ｌ１ｂ１ｄが、リフレクタ４ｂ３の楕円系反射面４ｂ３ａの第２焦点４ｂ３ｃを透過し、平面ＰＬｂ１（図１３（Ｂ）参照）内を進む。次いで、反射光Ｌ１ｂ１ｄの一部が、プリズムシート３ａの同心円状の複数のプリズム３ａ１を透過し、透過光Ｌａ１ｂ１になる。更に、この透過光Ｌａ１ｂ１によって、図２２（Ｃ）に示すように、プリズムシート３ａの同心円状の複数のプリズム３ａ１（図３参照）の径方向に延びている直線状の輝線ＢＬａ１ｂ１が、プリズムシート３ａに形成される。また、反射光Ｌ１ｂ１ｄの他の一部が、図１４（Ｂ）に示すように、プリズムシート３ａの内側表面３ａ３によって反射されて反射光Ｌ１ｂ１ｅになり、次いで、プリズムシート３ｂの同心円状の複数のプリズム３ｂ１を透過し、透過光Ｌｂ１ｂ１になる。更に、この透過光Ｌｂ１ｂ１によって、図２２（Ｄ）に示すように、プリズムシート３ｂの同心円状の複数のプリズム３ｂ１（図４参照）の径方向に延びている直線状の輝線ＢＬｂ１ｂ１がプリズムシート３ｂに形成される。
【０１４９】
また、第１の実施形態のＬＥＤ照明装置１００では、図１５（Ａ）に示すように、ＬＥＤ光源１ｂの点灯時に、ＬＥＤ光源１ｂから照射された光Ｌ１ｂ４ａが、リフレクタ４ｂ４の楕円系反射面４ｂ４ａによって反射され、反射光Ｌ１ｂ４ｂ（図１５（Ｂ）参照）になる。次いで、図１５（Ｂ）に示すように、反射光Ｌ１ｂ４ｂが、リフレクタ４ｂ５の反射面４ｂ５ａによって反射されて反射光Ｌ１ｂ４ｃになり、次いで、リフレクタ４ｂ６の楕円系反射面４ｂ６ａ（図１６参照）によって反射され、反射光Ｌ１ｂ４ｄ（図１６（Ａ）参照）になる。次いで、図１６（Ａ）に示すように、反射光Ｌ１ｂ４ｄが、リフレクタ４ｂ６の楕円系反射面４ｂ６ａの第２焦点４ｂ６ｃを透過し、平面ＰＬｂ２（図１５（Ｂ）参照）内を進む。次いで、反射光Ｌ１ｂ４ｄの一部が、プリズムシート３ａの同心円状の複数のプリズム３ａ１を透過し、透過光Ｌａ１ｂ２になる。更に、この透過光Ｌａ１ｂ２によって、図２２（Ｃ）に示すように、プリズムシート３ａの同心円状の複数のプリズム３ａ１（図３参照）の径方向に延びている直線状の輝線ＢＬａ１ｂ２が、プリズムシート３ａに形成される。また、反射光Ｌ１ｂ４ｄの他の一部が、図１６（Ｂ）に示すように、プリズムシート３ａの内側表面３ａ３によって反射されて反射光Ｌ１ｂ４ｅになり、次いで、プリズムシート３ｂの同心円状の複数のプリズム３ｂ１を透過し、透過光Ｌｂ１ｂ２になる。更に、この透過光Ｌｂ１ｂ２によって、図２２（Ｄ）に示すように、プリズムシート３ｂの同心円状の複数のプリズム３ｂ１（図４参照）の径方向に延びている直線状の輝線ＢＬｂ１ｂ２がプリズムシート３ｂに形成される。
【０１５０】
更に、第１の実施形態のＬＥＤ照明装置１００では、図１７（Ａ）に示すように、ＬＥＤ光源１ｃの点灯時に、ＬＥＤ光源１ｃから照射され、平面ＰＬｃ（図５および図６参照）内を進む光が、プリズムシート３ａの同心円状の複数のプリズム３ａ１を透過し、透過光Ｌａ１ｃになる。更に、この透過光Ｌａ１ｃによって、図２２（Ｅ）に示すように、プリズムシート３ａの同心円状の複数のプリズム３ａ１（図３参照）の径方向に延びている直線状の輝線ＢＬａ１ｃがプリズムシート３ａに形成される。
【０１５１】
また、第１の実施形態のＬＥＤ照明装置１００では、図１７（Ｂ）に示すように、ＬＥＤ光源１ｃの点灯時に、ＬＥＤ光源１ｃから照射され、平面ＰＬｃ（図５および図６参照）内を進み、プリズムシート３ａの内側表面３ａ３によって反射された光が、プリズムシート３ｂの同心円状の複数のプリズム３ｂ１を透過し、透過光Ｌｂ１ｃになる。更に、この透過光Ｌｂ１ｃによって、図２２（Ｆ）に示すように、プリズムシート３ｂの同心円状の複数のプリズム３ｂ１（図４参照）の径方向に延びている直線状の輝線ＢＬｂ１ｃがプリズムシート３ｂに形成される。
【０１５２】
更に、第１の実施形態のＬＥＤ照明装置１００では、図１８（Ａ）に示すように、ＬＥＤ光源１ｃの点灯時に、ＬＥＤ光源１ｃから照射された光Ｌ１ｃ１ａが、リフレクタ４ｃ１の楕円系反射面４ｃ１ａによって反射され、反射光Ｌ１ｃ１ｂ（図１８（Ｂ）参照）になる。次いで、図１８（Ｂ）に示すように、反射光Ｌ１ｃ１ｂが、リフレクタ４ｃ２の反射面４ｃ２ａによって反射されて反射光Ｌ１ｃ１ｃになり、次いで、リフレクタ４ｃ３の楕円系反射面４ｃ３ａ（図１９参照）によって反射され、反射光Ｌ１ｃ１ｄ（図１９（Ａ）参照）になる。次いで、図１９（Ａ）に示すように、反射光Ｌ１ｃ１ｄが、リフレクタ４ｃ３の楕円系反射面４ｃ３ａの第２焦点４ｃ３ｃを透過し、平面ＰＬｃ１（図１８（Ｂ）参照）内を進む。次いで、反射光Ｌ１ｃ１ｄの一部が、プリズムシート３ａの同心円状の複数のプリズム３ａ１を透過し、透過光Ｌａ１ｃ１になる。更に、この透過光Ｌａ１ｃ１によって、図２２（Ｅ）に示すように、プリズムシート３ａの同心円状の複数のプリズム３ａ１（図３参照）の径方向に延びている直線状の輝線ＢＬａ１ｃ１が、プリズムシート３ａに形成される。また、反射光Ｌ１ｃ１ｄの他の一部が、図１９（Ｂ）に示すように、プリズムシート３ａの内側表面３ａ３によって反射されて反射光Ｌ１ｃ１ｅになり、次いで、プリズムシート３ｂの同心円状の複数のプリズム３ｂ１を透過し、透過光Ｌｂ１ｃ１になる。更に、この透過光Ｌｂ１ｃ１によって、図２２（Ｆ）に示すように、プリズムシート３ｂの同心円状の複数のプリズム３ｂ１（図４参照）の径方向に延びている直線状の輝線ＢＬｂ１ｃ１がプリズムシート３ｂに形成される。
【０１５３】
また、第１の実施形態のＬＥＤ照明装置１００では、図２０（Ａ）に示すように、ＬＥＤ光源１ｃの点灯時に、ＬＥＤ光源１ｃから照射された光Ｌ１ｃ４ａが、リフレクタ４ｃ４の楕円系反射面４ｃ４ａによって反射され、反射光Ｌ１ｃ４ｂ（図２０（Ｂ）参照）になる。次いで、図２０（Ｂ）に示すように、反射光Ｌ１ｃ４ｂが、リフレクタ４ｃ５の反射面４ｃ５ａによって反射されて反射光Ｌ１ｃ４ｃになり、次いで、リフレクタ４ｃ６の楕円系反射面４ｃ６ａ（図２１参照）によって反射され、反射光Ｌ１ｃ４ｄ（図２１（Ａ）参照）になる。次いで、図２１（Ａ）に示すように、反射光Ｌ１ｃ４ｄが、リフレクタ４ｃ６の楕円系反射面４ｃ６ａの第２焦点４ｃ６ｃを透過し、平面ＰＬｃ２（図２０（Ｂ）参照）内を進む。次いで、反射光Ｌ１ｃ４ｄの一部が、プリズムシート３ａの同心円状の複数のプリズム３ａ１を透過し、透過光Ｌａ１ｃ２になる。更に、この透過光Ｌａ１ｃ２によって、図２２（Ｅ）に示すように、プリズムシート３ａの同心円状の複数のプリズム３ａ１（図３参照）の径方向に延びている直線状の輝線ＢＬａ１ｃ２が、プリズムシート３ａに形成される。また、反射光Ｌ１ｃ４ｄの他の一部が、図２１（Ｂ）に示すように、プリズムシート３ａの内側表面３ａ３によって反射されて反射光Ｌ１ｃ４ｅになり、次いで、プリズムシート３ｂの同心円状の複数のプリズム３ｂ１を透過し、透過光Ｌｂ１ｃ２になる。更に、この透過光Ｌｂ１ｃ２によって、図２２（Ｆ）に示すように、プリズムシート３ｂの同心円状の複数のプリズム３ｂ１（図４参照）の径方向に延びている直線状の輝線ＢＬｂ１ｃ２がプリズムシート３ｂに形成される。
【０１５４】
同様に、第１の実施形態のＬＥＤ照明装置１００では、ＬＥＤ光源１ｇ（図２、図５および図６（Ａ）参照）の点灯時に、図２３（Ａ）に示すように、プリズムシート３ａの同心円状の複数のプリズム３ａ１（図３参照）の径方向に延びている直線状の輝線ＢＬａ１ｇ，ＢＬａ１ｇ１，ＢＬａ１ｇ２がプリズムシート３ａに形成されると共に、図２３（Ｂ）に示すように、プリズムシート３ｂの同心円状の複数のプリズム３ｂ１（図４参照）の径方向に延びている直線状の輝線ＢＬｂ１ｇ，ＢＬｂ１ｇ１，ＢＬｂ１ｇ２がプリズムシート３ｂに形成される。
【０１５５】
更に、第１の実施形態のＬＥＤ照明装置１００では、ＬＥＤ光源１ｈ（図５および図６（Ａ）参照）の点灯時に、図２３（Ｃ）に示すように、プリズムシート３ａの同心円状の複数のプリズム３ａ１（図３参照）の径方向に延びている直線状の輝線ＢＬａ１ｈ，ＢＬａ１ｈ１，ＢＬａ１ｈ２がプリズムシート３ａに形成されると共に、図２３（Ｄ）に示すように、プリズムシート３ｂの同心円状の複数のプリズム３ｂ１（図４参照）の径方向に延びている直線状の輝線ＢＬｂ１ｈ，ＢＬｂ１ｈ１，ＢＬｂ１ｈ２がプリズムシート３ｂに形成される。
【０１５６】
また、第１の実施形態のＬＥＤ照明装置１００では、ＬＥＤ光源１ｉ（図５および図６（Ａ）参照）の点灯時に、図２３（Ｅ）に示すように、プリズムシート３ａの同心円状の複数のプリズム３ａ１（図３参照）の径方向に延びている直線状の輝線ＢＬａ１ｉ，ＢＬａ１ｉ１，ＢＬａ１ｉ２がプリズムシート３ａに形成されると共に、図２３（Ｆ）に示すように、プリズムシート３ｂの同心円状の複数のプリズム３ｂ１（図４参照）の径方向に延びている直線状の輝線ＢＬｂ１ｉ，ＢＬｂ１ｉ１，ＢＬｂ１ｉ２がプリズムシート３ｂに形成される。
【０１５７】
詳細には、第１の実施形態のＬＥＤ照明装置１００では、ＬＥＤ光源１ａ，１ｂ，１ｃ，１ｇ，１ｈ，１ｉを１個ずつ順次点灯させると、図２２（Ａ）、図２２（Ｃ）、図２２（Ｅ）、図２３（Ａ）、図２３（Ｃ）および図２３（Ｅ）に示すように、あたかもプリズムシート３ａに形成されている３本の輝線がプリズムシート３ａの同心円状の複数のプリズム３ａ１（図３参照）の中心３ａ１ａ１のまわりを反時計回りに回転しているかのように見えると共に、図２２（Ｂ）、図２２（Ｄ）、図２２（Ｆ）、図２３（Ｂ）、図２３（Ｄ）および図２３（Ｆ）に示すように、あたかもプリズムシート３ｂに形成されている３本の輝線がプリズムシート３ｂの同心円状の複数のプリズム３ｂ１（図４参照）の中心３ｂ１ａ１のまわりを時計回りに回転しているかのように見える。
【０１５８】
換言すれば、第１の実施形態のＬＥＤ照明装置１００では、ＬＥＤ光源１ａを点灯することによって、６本の輝線ＢＬａ１ａ，ＢＬｂ１ａ，ＢＬａ１ａ１，ＢＬｂ１ａ１，ＢＬａ１ａ２，ＢＬｂ１ａ２をプリズムシート３ａ，３ｂに形成することができ、ＬＥＤ光源１ｂを点灯することによって、６本の輝線ＢＬａ１ｂ，ＢＬｂ１ｂ，ＢＬａ１ｂ１，ＢＬｂ１ｂ１，ＢＬａ１ｂ２，ＢＬｂ１ｂ２をプリズムシート３ａ，３ｂに形成することができ、ＬＥＤ光源１ｃを点灯することによって、６本の輝線ＢＬａ１ｃ，ＢＬｂ１ｃ，ＢＬａ１ｃ１，ＢＬｂ１ｃ１，ＢＬａ１ｃ２，ＢＬｂ１ｃ２をプリズムシート３ａ，３ｂに形成することができ、ＬＥＤ光源１ｇを点灯することによって、６本の輝線ＢＬａ１ｇ，ＢＬｂ１ｇ，ＢＬａ１ｇ１，ＢＬｂ１ｇ１，ＢＬａ１ｇ２，ＢＬｂ１ｇ２をプリズムシート３ａ，３ｂに形成することができ、ＬＥＤ光源１ｈを点灯することによって、６本の輝線ＢＬａ１ｈ，ＢＬｂ１ｈ，ＢＬａ１ｈ１，ＢＬｂ１ｈ１，ＢＬａ１ｈ２，ＢＬｂ１ｈ２をプリズムシート３ａ，３ｂに形成することができ、ＬＥＤ光源１ｉを点灯することによって、６本の輝線ＢＬａ１ｉ，ＢＬｂ１ｉ，ＢＬａ１ｉ１，ＢＬｂ１ｉ１，ＢＬａ１ｉ２，ＢＬｂ１ｉ２をプリズムシート３ａ，３ｂに形成することができる。
【０１５９】
第１の実施形態のＬＥＤ照明装置１００では、図２２および図２３に示すように、プリズムシート３ａ，３ｂに直線状の輝線ＢＬａ１ａ，…が形成されるが、第１の実施形態のＬＥＤ照明装置１００の変形例では、代わりに、例えば図３６に示すようなレンズを、個々の輝線ＢＬａ１ａ，…の位置に対応させてプリズムシート３ａ，３ｂの外側に配置することにより、曲線状の輝線を形成することも可能である。
【０１６０】
以下、本発明のＬＥＤ照明装置の第７の実施形態について説明する。第７の実施形態のＬＥＤ照明装置１００は、後述する点を除き、上述した第１の実施形態のＬＥＤ照明装置１００とほぼ同様に構成されている。従って、第７の実施形態のＬＥＤ照明装置１００によれば、後述する点を除き、上述した第１の実施形態のＬＥＤ照明装置１００とほぼ同様の効果を奏することができる。
【０１６１】
図２４および図２５は第７の実施形態のＬＥＤ照明装置１００を示した図である。詳細には、図２４（Ａ）は第７の実施形態のＬＥＤ照明装置１００の平面図、図２４（Ｂ）は第７の実施形態のＬＥＤ照明装置１００の左側面図、図２４（Ｃ）は第７の実施形態のＬＥＤ照明装置１００の正面図、図２４（Ｄ）は第７の実施形態のＬＥＤ照明装置１００の右側面図、図２５は図２４（Ｂ）のＢ−Ｂ線に沿った第７の実施形態のＬＥＤ照明装置１００の拡大水平断面図である。
【０１６２】
図２６は第７の実施形態のＬＥＤ照明装置１００の一部を構成するＬＥＤ光源１ａ，１ｂ，１ｃ，１ｄ，１ｅ，１ｆ，１ｇ，１ｈ，１ｉ，１ｊ，１ｋ，１ｍとそれらが実装された基板２との組立体を示した図である。詳細には、図２６（Ａ）はＬＥＤ光源１ａ，１ｂ，１ｃ，１ｄ，１ｅ，１ｆ，１ｇ，１ｈ，１ｉ，１ｊ，１ｋ，１ｍと基板２との組立体を左側（図２４（Ｃ）の左側、図２５の下側）から見た図である。図２６（Ｂ）はＬＥＤ光源１ａ，１ｂ，１ｃ，１ｄ，１ｅ，１ｆ，１ｇ，１ｈ，１ｉ，１ｊ，１ｋ，１ｍと基板２との組立体を右側（図２４（Ｃ）の右側、図２５の上側）から見た図である。図２７は第７の実施形態のＬＥＤ照明装置１００の一部を構成するＬＥＤ光源１ａ，１ｂ，１ｃ，１ｄ，１ｅ，１ｆ，１ｇ，１ｈ，１ｉ，１ｊ，１ｋ，１ｍと、基板２と、基板２に取り付けられたリフレクタ群４ａ，４ｂ，４ｃ，４ｄ，４ｅ，４ｆ，４ｇ，４ｈ，４ｉ，４ｊ，４ｋ，４ｍとの組立体を示した図である。詳細には、図２７（Ａ）はＬＥＤ光源１ａ，１ｂ，１ｃ，１ｄ，１ｅ，１ｆ，１ｇ，１ｈ，１ｉ，１ｊ，１ｋ，１ｍと基板２とリフレクタ群４ａ，４ｂ，４ｃ，４ｄ，４ｅ，４ｆ，４ｇ，４ｈ，４ｉ，４ｊ，４ｋ，４ｍとの組立体を左側（図２４（Ｃ）の左側、図２５の下側）から見た図である。図２７（Ｂ）はＬＥＤ光源１ａ，１ｂ，１ｃ，１ｄ，１ｅ，１ｆ，１ｇ，１ｈ，１ｉ，１ｊ，１ｋ，１ｍと基板２とリフレクタ群４ａ，４ｂ，４ｃ，４ｄ，４ｅ，４ｆ，４ｇ，４ｈ，４ｉ，４ｊ，４ｋ，４ｍとの組立体を右側（図２４（Ｃ）の右側、図２５の上側）から見た図である。
【０１６３】
図２８はＬＥＤ光源１ａから照射され、図２５に示す水平断面（平面ＰＬａ（図２６および図２７参照））内を進む光を概略的に示した図である。図２９はＬＥＤ光源１ｄから照射され、図２５に示す水平断面（平面ＰＬａ）内を進む光を概略的に示した図である。
【０１６４】
図３０および図３１はＬＥＤ光源１ａから照射され、リフレクタ４ａ１，４ａ２，４ａ３によって反射された光を概略的に示した図である。詳細には、図３０（Ａ）はＬＥＤ光源１ａから照射され、平面ＰＬａ（図３０（Ｂ）参照）内を進む光Ｌ１ａ１ａを概略的に示した図である。図３０（Ｂ）はＬＥＤ光源１ａから照射され、リフレクタ４ａ１の楕円系反射面４ａ１ａ（図３０（Ａ）参照）によって反射された光Ｌ１ａ１ｂ、および、リフレクタ４ａ２の反射面４ａ２ａによって反射された光Ｌ１ａ１ｃを概略的に示した図である。図３１（Ａ）はリフレクタ４ａ３の楕円系反射面４ａ３ａによって反射され、平面ＰＬａ１（図３０（Ｂ）参照）内を進む光Ｌ１ａ１ｄを概略的に示した図である。図３１（Ｂ）はリフレクタ４ａ３の楕円系反射面４ａ３ａによって反射され、プリズムシート３ｂの内側表面３ｂ３によって反射され、平面ＰＬａ１（図３０（Ｂ）参照）内を進む光Ｌ１ａ１ｅを概略的に示した図である。図３２はＬＥＤ光源１ｄから照射され、リフレクタ４ｄ１，４ｄ２によって反射された後、リフレクタ４ｄ３によって反射された光を概略的に示した図である。詳細には、図３２（Ａ）はリフレクタ４ｄ３の楕円系反射面４ｄ３ａによって反射され、平面ＰＬａ１（図３０（Ｂ）参照）内を進む光Ｌ１ｄ１ｄを概略的に示した図である。図３２（Ｂ）はリフレクタ４ｄ３の楕円系反射面４ｄ３ａによって反射され、プリズムシート３ａの内側表面３ａ３によって反射され、平面ＰＬａ１（図３０（Ｂ）参照）内を進む光Ｌ１ｄ１ｅを概略的に示した図である。
【０１６５】
図３３および図３４はＬＥＤ光源１ａから照射され、リフレクタ４ａ４，４ａ５，４ａ６によって反射された光を概略的に示した図である。詳細には、図３３（Ａ）はＬＥＤ光源１ａから照射され、平面ＰＬａ（図３３（Ｂ）参照）内を進む光Ｌ１ａ４ａを概略的に示した図である。図３３（Ｂ）はＬＥＤ光源１ａから照射され、リフレクタ４ａ４の楕円系反射面４ａ４ａ（図３３（Ａ）参照）によって反射された光Ｌ１ａ４ｂ、および、リフレクタ４ａ５の反射面４ａ５ａによって反射された光Ｌ１ａ４ｃを概略的に示した図である。図３４（Ａ）はリフレクタ４ａ６の楕円系反射面４ａ６ａによって反射され、平面ＰＬａ２（図３３（Ｂ）参照）内を進む光Ｌ１ａ４ｄを概略的に示した図である。図３４（Ｂ）はリフレクタ４ａ６の楕円系反射面４ａ６ａによって反射され、プリズムシート３ｂの内側表面３ｂ３によって反射され、平面ＰＬａ２（図３３（Ｂ）参照）内を進む光Ｌ１ａ４ｅを概略的に示した図である。図３５はＬＥＤ光源１ｄから照射され、リフレクタ４ｄ４，４ｄ５によって反射された後、リフレクタ４ｄ６によって反射された光を概略的に示した図である。詳細には、図３５（Ａ）はリフレクタ４ｄ６の楕円系反射面４ｄ６ａによって反射され、平面ＰＬａ２（図３３（Ｂ）参照）内を進む光Ｌ１ｄ４ｄを概略的に示した図である。図３５（Ｂ）はリフレクタ４ｄ６の楕円系反射面４ｄ６ａによって反射され、プリズムシート３ａの内側表面３ａ３によって反射され、平面ＰＬａ２（図３３（Ｂ）参照）内を進む光Ｌ１ｄ４ｅを概略的に示した図である。
【０１６６】
第１の実施形態のＬＥＤ照明装置１００では、図２に示すように、基板２を隔ててＬＥＤ光源１ａの反対側にＬＥＤ光源が設けられていないが、第７の実施形態のＬＥＤ照明装置１００では、図２５に示すように、円ＣＲ１に略平行な対称面ＳＰに関してＬＥＤ光源１ａと鏡像関係を有する概略点状に光って見えるＬＥＤ光源１ｄが設けられている。
【０１６７】
同様に、第７の実施形態のＬＥＤ照明装置１００では、図２６および図２７に示すように、対称面ＳＰ（図２５参照）に関してＬＥＤ光源１ｂと鏡像関係を有する概略点状に光って見えるＬＥＤ光源１ｅが設けられている。更に、対称面ＳＰに関してＬＥＤ光源１ｃと鏡像関係を有する概略点状に光って見えるＬＥＤ光源１ｆが設けられている。また、対称面ＳＰに関してＬＥＤ光源１ｇと鏡像関係を有する概略点状に光って見えるＬＥＤ光源１ｊが設けられている。更に、対称面ＳＰに関してＬＥＤ光源１ｈと鏡像関係を有する概略点状に光って見えるＬＥＤ光源１ｋが設けられている。また、対称面ＳＰに関してＬＥＤ光源１ｉと鏡像関係を有する概略点状に光って見えるＬＥＤ光源１ｍが設けられている。
【０１６８】
第１の実施形態のＬＥＤ照明装置１００では、図２および図６に示すように、基板２を隔ててリフレクタ４ａ１の反対側にリフレクタが設けられていないが、第７の実施形態のＬＥＤ照明装置１００では、図２７（Ａ）、図２７（Ｂ）および図３０（Ａ）に示すように、対称面ＳＰ（図２５参照）に関してリフレクタ４ａ１と鏡像関係を有するリフレクタ４ｄ１が設けられている。
【０１６９】
第１の実施形態のＬＥＤ照明装置１００では、図６（Ｂ）に示すように、リフレクタ４ａ２の反射面４ａ２ａが基板２の貫通穴２ａの中心軸線２ａ１に略平行な面によって構成されている。そのため、第１の実施形態のＬＥＤ照明装置１００では、基板２（図８（Ａ）参照）の左側（図１（Ｃ）の左側、図８（Ａ）の下側）に位置するリフレクタ４ａ１（図８（Ａ）参照）からの右向き（図１（Ｃ）の右向き、図８（Ａ）の上向き）に進む反射光が、リフレクタ４ａ２（図８（Ｂ）参照）の反射面４ａ２ａ（図８（Ｂ）参照）によって反射された後も、右向き（図１（Ｃ）の右向き、図８（Ａ）の上向き）に進む。次いで、リフレクタ４ａ２の反射面４ａ２ａからの反射光が、円ＣＲ１（図５参照）上に位置する第１焦点４ａ３ｂ（図５参照）および第２焦点４ａ３ｃ（図５および図９（Ａ）参照）を有するリフレクタ４ａ３（図９（Ａ）参照）の楕円系反射面４ａ３ｃ（図９（Ａ）参照）のうち、第２焦点４ａ３ｃ（図９（Ａ）参照）よりも右側（図１（Ｃ）の右側、図９（Ａ）の上側）の部分によって反射される。
【０１７０】
それに対し、第７の実施形態のＬＥＤ照明装置１００では、リフレクタ４ａ２（図２７（Ａ）参照）の反射面４ａ２ａ（図２７（Ａ）参照）が基板２（図２７（Ａ）参照）の貫通穴２ａ（図２７（Ａ）参照）の中心軸線２ａ１（図２７（Ａ）参照）と４５°をなす平面によって構成されている。そのため、第７の実施形態のＬＥＤ照明装置１００では、基板２（図３０（Ａ）参照）の左側（図２４（Ｃ）の左側、図３０（Ａ）の下側）に位置するリフレクタ４ａ１（図３０（Ａ）参照）からの右向き（図２４（Ｃ）の右向き、図３０（Ａ）の上向き）に進む反射光が、リフレクタ４ａ２（図３０（Ｂ）参照）の反射面４ａ２ａ（図３０（Ｂ）参照）によって反射された後、左向き（図２４（Ｃ）の左向き、図３０（Ａ）の下向き）に進む。次いで、リフレクタ４ａ２の反射面４ａ２ａからの反射光が、円ＣＲ１（図２５および図２６（Ａ）参照）上に位置する第１焦点４ａ３ｂ（図２６（Ａ）参照）および第２焦点４ａ３ｃ（図２６（Ａ）および図３１（Ａ）参照）を有するリフレクタ４ａ３（図３１（Ａ）参照）の楕円系反射面４ａ３ｃ（図３１（Ａ）参照）のうち、第２焦点４ａ３ｃ（図３１（Ａ）参照）よりも左側（図２４（Ｃ）の左側、図３１（Ａ）の下側）の部分によって反射される。
【０１７１】
更に、第７の実施形態のＬＥＤ照明装置１００では、図２７（Ａ）および図２７（Ｂ）に示すように、対称面ＳＰ（図２５参照）に関してリフレクタ４ａ２と鏡像関係を有するリフレクタ４ｄ２が設けられている。また、図２７（Ａ）、図２７（Ｂ）および図３２（Ａ）に示すように、対称面ＳＰ（図２５参照）に関してリフレクタ４ａ３と鏡像関係を有するリフレクタ４ｄ３が設けられている。
【０１７２】
更に、第７の実施形態のＬＥＤ照明装置１００では、図２７（Ａ）、図２７（Ｂ）および図３３（Ａ）に示すように、対称面ＳＰ（図２５参照）に関してリフレクタ４ａ４と鏡像関係を有するリフレクタ４ｄ４が設けられている。また、図２７（Ａ）および図２７（Ｂ）に示すように、対称面ＳＰ（図２５参照）に関してリフレクタ４ａ５と鏡像関係を有するリフレクタ４ｄ５が設けられている。更に、図２７（Ａ）、図２７（Ｂ）および図３５（Ａ）に示すように、対称面ＳＰ（図２５参照）に関してリフレクタ４ａ６と鏡像関係を有するリフレクタ４ｄ６が設けられている。
【０１７３】
また、第７の実施形態のＬＥＤ照明装置１００では、図２７（Ａ）および図２７（Ｂ）に示すように、対称面ＳＰ（図２５参照）に関してリフレクタ４ｂ１と鏡像関係を有するリフレクタ４ｅ１が設けられている。更に、対称面ＳＰ（図２５参照）に関してリフレクタ４ｂ２と鏡像関係を有するリフレクタ４ｅ２が設けられている。また、対称面ＳＰ（図２５参照）に関してリフレクタ４ｂ３と鏡像関係を有するリフレクタ４ｅ３が設けられている。
【０１７４】
更に、第７の実施形態のＬＥＤ照明装置１００では、図２７（Ａ）および図２７（Ｂ）に示すように、対称面ＳＰ（図２５参照）に関してリフレクタ４ｂ４と鏡像関係を有するリフレクタ４ｅ４が設けられている。また、対称面ＳＰ（図２５参照）に関してリフレクタ４ｂ５と鏡像関係を有するリフレクタ４ｅ５が設けられている。更に、対称面ＳＰ（図２５参照）に関してリフレクタ４ｂ６と鏡像関係を有するリフレクタ４ｄ６が設けられている。
【０１７５】
また、第７の実施形態のＬＥＤ照明装置１００では、図２７（Ａ）および図２７（Ｂ）に示すように、対称面ＳＰ（図２５参照）に関してリフレクタ４ｃ１と鏡像関係を有するリフレクタ４ｆ１が設けられている。更に、対称面ＳＰ（図２５参照）に関してリフレクタ４ｃ２と鏡像関係を有するリフレクタ４ｆ２が設けられている。また、対称面ＳＰ（図２５参照）に関してリフレクタ４ｃ３と鏡像関係を有するリフレクタ４ｆ３が設けられている。
【０１７６】
更に、第７の実施形態のＬＥＤ照明装置１００では、図２７（Ａ）および図２７（Ｂ）に示すように、対称面ＳＰ（図２５参照）に関してリフレクタ４ｃ４と鏡像関係を有するリフレクタ４ｆ４が設けられている。また、対称面ＳＰ（図２５参照）に関してリフレクタ４ｃ５と鏡像関係を有するリフレクタ４ｆ５が設けられている。更に、対称面ＳＰ（図２５参照）に関してリフレクタ４ｃ６と鏡像関係を有するリフレクタ４ｆ６が設けられている。
【０１７７】
更に、第７の実施形態のＬＥＤ照明装置１００では、図２７（Ａ）に示すように、リフレクタ４ａ１，４ａ２，４ａ３とリフレクタ４ａ４，４ａ５，４ａ６とが、平面ＰＬａに関して面対称に構成されている。また、リフレクタ４ａ１とリフレクタ４ａ２とリフレクタ４ａ３とリフレクタ４ａ４とリフレクタ４ａ５とリフレクタ４ａ６とが、一部材によって形成され、リフレクタ群４ａを構成している。更に、リフレクタ群４ａが基板２の部分２ｂ１（図２６（Ａ）参照）に接続されている。また、図２７（Ａ）および図２７（Ｂ）に示すように、リフレクタ群４ｂ，４ｃ，４ｄ，４ｅ，４ｆ，４ｇ，４ｈ，４ｉ，４ｊ，４ｋ，４ｍがリフレクタ群４ａと同一形状に形成されている。更に、リフレクタ群４ｊ，４ｋ，４ｍが、対称面ＳＰ（図２５参照）に関してリフレクタ群４ｇ，４ｈ，４ｉと鏡像関係を有するように配置されている。
【０１７８】
また、第７の実施形態のＬＥＤ照明装置１００では、ＬＥＤ光源１ａ（図２６および図２７参照）の点灯時に、ＬＥＤ光源１ｄ（図２６および図２７参照）が点灯される。
【０１７９】
詳細には、第７の実施形態のＬＥＤ照明装置１００では、ＬＥＤ光源１ａ，１ｄ（図２６参照）の点灯時に、ＬＥＤ光源１ａ（図２６（Ａ）および図２８（Ａ）参照）から照射され、平面ＰＬａ（図２６（Ａ）参照）内を進み、プリズムシート３ａ（図２８（Ａ）参照）の同心円状の複数のプリズム３ａ１（図２８（Ａ）参照）を透過した光Ｌａ１ａ（図２８（Ａ）参照）、および、ＬＥＤ光源１ｄ（図２６（Ｂ）および図２９（Ｂ）参照）から照射され、平面ＰＬａ（図２６（Ｂ）参照）内を進み、プリズムシート３ｂ（図２９（Ｂ）参照）の内側表面３ｂ３（図２９（Ｂ）参照）によって反射され、プリズムシート３ａ（図２９（Ｂ）参照）の同心円状の複数のプリズム３ａ１（図２９（Ｂ）参照）を透過した光Ｌａ１ｄ（図２９（Ｂ）参照）によって、図２２（Ａ）に示すように、プリズムシート３ａの同心円状の複数のプリズム３ａ１（図３参照）の径方向に延びている輝線ＢＬａ１ａがプリズムシート３ａに形成される。
【０１８０】
そのため、第７の実施形態のＬＥＤ照明装置１００によれば、ＬＥＤ光源１ａから照射された光Ｌａ１ａのみによって輝線ＢＬａ１ａが形成される場合よりも、輝線ＢＬａ１ａを明るくすることができる。
【０１８１】
更に、第７の実施形態のＬＥＤ照明装置１００では、ＬＥＤ光源１ａ，１ｄ（図２６参照）の点灯時に、ＬＥＤ光源１ａ（図２６（Ａ）および図２８（Ｂ）参照）から照射され、平面ＰＬａ（図２６（Ａ）参照）内を進み、プリズムシート３ａ（図２８（Ｂ）参照）の内側表面３ａ３（図２８（Ｂ）参照）によって反射され、プリズムシート３ｂ（図２８（Ｂ）参照）の同心円状の複数のプリズム３ｂ１（図２８（Ｂ）参照）を透過した光Ｌｂ１ａ（図２８（Ｂ）参照）、および、ＬＥＤ光源１ｄ（図２６（Ｂ）および図２９（Ａ）参照）から照射され、平面ＰＬａ（図２６（Ｂ）参照）内を進み、プリズムシート３ｂ（図２９（Ａ）参照）の同心円状の複数のプリズム３ｂ１（図２９（Ａ）参照）を透過した光Ｌｂ１ｄ（図２９（Ａ）参照）によって、図２２（Ｂ）に示すように、プリズムシート３ｂの同心円状の複数のプリズム３ｂ１（図４参照）の径方向に延びている輝線ＢＬｂ１ａがプリズムシート３ｂに形成される。
【０１８２】
そのため、第７の実施形態のＬＥＤ照明装置１００によれば、ＬＥＤ光源１ａから照射された光Ｌｂ１ａのみによって輝線ＢＬｂ１ａが形成される場合よりも、輝線ＢＬｂ１ａを明るくすることができる。
【０１８３】
また、第７の実施形態のＬＥＤ照明装置１００では、ＬＥＤ光源１ａ，１ｄ（図２６参照）の点灯時に、図３０（Ａ）に示すように、ＬＥＤ光源１ａから照射された光Ｌ１ａ１ａが、リフレクタ４ａ１の楕円系反射面４ａ１ａによって反射されて反射光Ｌ１ａ１ｂ（図３０（Ｂ）参照）になる。次いで、図３０（Ｂ）に示すように、反射光Ｌ１ａ１ｂが、リフレクタ４ａ２の反射面４ａ２ａによって反射されて反射光Ｌ１ａ１ｃになる。次いで、反射光Ｌ１ａ１ｃが、図３１（Ｂ）に示すように、リフレクタ４ａ３の楕円系反射面４ａ３ａ（図３１（Ａ）参照）によって反射され、リフレクタ４ａ３の楕円系反射面４ａ３ａの第２焦点４ａ３ｃ（図３１（Ａ）参照）を透過し、平面ＰＬａ１（図３０（Ｂ）参照）内を進む光Ｌ１ａ１ｄ（図３１（Ａ）参照）になる。次いで、光Ｌ１ａ１ｄの一部が、プリズムシート３ｂの内側表面３ｂ３によって反射されて反射光Ｌ１ａ１ｅになる。次いで、反射光Ｌ１ａ１ｅが、プリズムシート３ａの同心円状の複数のプリズム３ａ１を透過して透過光Ｌａ１ａ１になる。また、ＬＥＤ光源１ａ，１ｄ（図２６参照）の点灯時に、ＬＥＤ光源１ｄ（図２７（Ｂ）参照）から照射された光が、リフレクタ４ｄ１（図２７（Ｂ）参照）の楕円系反射面４ｄ１ａ（図３０（Ａ）参照）によって反射され、次いで、リフレクタ４ｄ２（図２７（Ｂ）参照）の反射面４ｄ２ａ（図２７（Ｂ）参照）によって反射され、次いで、図３２（Ａ）に示すように、リフレクタ４ｄ３の楕円系反射面４ｄ３ａによって反射され、次いで、リフレクタ４ｄ３の楕円系反射面４ｄ３ａの第２焦点４ｄ３ｃを透過し、平面ＰＬａ１（図３０（Ｂ）参照）内を進む光Ｌ１ｄ１ｄになる。次いで、光Ｌ１ｄ１ｄの一部が、プリズムシート３ａの同心円状の複数のプリズム３ａ１を透過して透過光Ｌａ１ｄ１になる。更に、透過光Ｌａ１ａ１（図３１（Ｂ）参照）および透過光Ｌａ１ｄ１（図３２（Ａ）参照）によって、図２２（Ａ）に示すように、プリズムシート３ａの同心円状の複数のプリズム３ａ１（図３参照）の径方向に延びている輝線ＢＬａ１ａ１が、プリズムシート３ａに形成される。
【０１８４】
そのため、第７の実施形態のＬＥＤ照明装置１００によれば、ＬＥＤ光源１ａから照射された光Ｌａ１ａ１のみによって輝線ＢＬａ１ａ１が形成される場合よりも、輝線ＢＬａ１ａ１を明るくすることができる。
【０１８５】
更に、第７の実施形態のＬＥＤ照明装置１００では、ＬＥＤ光源１ａ，１ｄ（図２６参照）の点灯時に、図３１（Ａ）に示すように、反射光Ｌ１ａ１ｄの一部が、プリズムシート３ｂの同心円状の複数のプリズム３ｂ１を透過して透過光Ｌｂ１ａ１になる。また、ＬＥＤ光源１ａ，１ｄ（図２６参照）の点灯時に、図３２（Ｂ）に示すように、反射光Ｌ１ｄ１ｄ（図３２（Ａ）参照）の一部が、プリズムシート３ａの内側表面３ａ３によって反射されて反射光Ｌ１ｄ１ｅになる。次いで、反射光Ｌ１ｄ１ｅが、プリズムシート３ｂの同心円状の複数のプリズム３ｂ１を透過して透過光Ｌｂ１ｄ１になる。更に、透過光Ｌｂ１ａ１（図３１（Ａ）参照）および透過光Ｌｂ１ｄ１（図３２（Ｂ）参照）によって、図２２（Ｂ）に示すように、プリズムシート３ｂの同心円状の複数のプリズム３ｂ１（図４参照）の径方向に延びている輝線ＢＬｂ１ａ１が、プリズムシート３ｂに形成される。
【０１８６】
そのため、第７の実施形態のＬＥＤ照明装置１００によれば、ＬＥＤ光源１ａから照射された光Ｌｂ１ａ１のみによって輝線ＢＬｂ１ａ１が形成される場合よりも、輝線ＢＬｂ１ａ１を明るくすることができる。
【０１８７】
また、第７の実施形態のＬＥＤ照明装置１００では、ＬＥＤ光源１ａ，１ｄ（図２６参照）の点灯時に、図３３（Ａ）に示すように、ＬＥＤ光源１ａから照射された光Ｌ１ａ４ａが、リフレクタ４ａ４の楕円系反射面４ａ４ａによって反射されて反射光Ｌ１ａ４ｂ（図３３（Ｂ）参照）になる。次いで、図３３（Ｂ）に示すように、反射光Ｌ１ａ４ｂが、リフレクタ４ａ５の反射面４ａ５ａによって反射されて反射光Ｌ１ａ４ｃになる。次いで、反射光Ｌ１ａ４ｃが、図３４（Ｂ）に示すように、リフレクタ４ａ６の楕円系反射面４ａ６ａ（図３４（Ａ）参照）によって反射され、リフレクタ４ａ６の楕円系反射面４ａ６ａの第２焦点４ａ６ｃ（図３４（Ａ）参照）を透過し、平面ＰＬａ２（図３３（Ｂ）参照）内を進む光Ｌ１ａ４ｄ（図３４（Ａ）参照）になる。次いで、光Ｌ１ａ４ｄの一部が、プリズムシート３ｂの内側表面３ｂ３によって反射されて反射光Ｌ１ａ４ｅになる。次いで、反射光Ｌ１ａ４ｅが、プリズムシート３ａの同心円状の複数のプリズム３ａ１を透過して透過光Ｌａ１ａ２になる。また、ＬＥＤ光源１ａ，１ｄ（図２６参照）の点灯時に、ＬＥＤ光源１ｄ（図２７（Ｂ）参照）から照射された光が、リフレクタ４ｄ１（図２７（Ｂ）参照）の楕円系反射面４ｄ１ａ（図３０（Ａ）参照）によって反射され、次いで、リフレクタ４ｄ２（図２７（Ｂ）参照）の反射面４ｄ２ａ（図２７（Ｂ）参照）によって反射され、次いで、図３５（Ａ）に示すように、リフレクタ４ｄ６の楕円系反射面４ｄ６ａによって反射され、次いで、リフレクタ４ｄ６の楕円系反射面４ｄ６ａの第２焦点４ｄ６ｃを透過し、平面ＰＬａ２（図３３（Ｂ）参照）内を進む光Ｌ１ｄ４ｄになる。次いで、光Ｌ１ｄ４ｄの一部が、プリズムシート３ａの同心円状の複数のプリズム３ａ１を透過して透過光Ｌａ１ｄ２になる。更に、透過光Ｌａ１ａ２（図３４（Ｂ）参照）および透過光Ｌａ１ｄ２（図３５（Ａ）参照）によって、図２２（Ａ）に示すように、プリズムシート３ａの同心円状の複数のプリズム３ａ１（図３参照）の径方向に延びている輝線ＢＬａ１ａ２が、プリズムシート３ａに形成される。
【０１８８】
そのため、第７の実施形態のＬＥＤ照明装置１００によれば、ＬＥＤ光源１ａから照射された光Ｌａ１ａ２のみによって輝線ＢＬａ１ａ２が形成される場合よりも、輝線ＢＬａ１ａ２を明るくすることができる。
【０１８９】
更に、第７の実施形態のＬＥＤ照明装置１００では、ＬＥＤ光源１ａ，１ｄ（図２６参照）の点灯時に、図３４（Ａ）に示すように、反射光Ｌ１ａ４ｄの一部が、プリズムシート３ｂの同心円状の複数のプリズム３ｂ１を透過して透過光Ｌｂ１ａ２になる。また、ＬＥＤ光源１ａ，１ｄ（図２６参照）の点灯時に、図３５（Ｂ）に示すように、反射光Ｌ１ｄ４ｄ（図３５（Ａ）参照）の一部が、プリズムシート３ａの内側表面３ａ３によって反射されて反射光Ｌ１ｄ４ｅになる。次いで、反射光Ｌ１ｄ４ｅが、プリズムシート３ｂの同心円状の複数のプリズム３ｂ１を透過して透過光Ｌｂ１ｄ２になる。更に、透過光Ｌｂ１ａ２（図３４（Ａ）参照）および透過光Ｌｂ１ｄ２（図３５（Ｂ）参照）によって、図２２（Ｂ）に示すように、プリズムシート３ｂの同心円状の複数のプリズム３ｂ１（図４参照）の径方向に延びている輝線ＢＬｂ１ａ２が、プリズムシート３ｂに形成される。
【０１９０】
そのため、第７の実施形態のＬＥＤ照明装置１００によれば、ＬＥＤ光源１ａから照射された光Ｌｂ１ａ２のみによって輝線ＢＬｂ１ａ２が形成される場合よりも、輝線ＢＬｂ１ａ２を明るくすることができる。
【０１９１】
また、第７の実施形態のＬＥＤ照明装置１００では、ＬＥＤ光源１ｂ（図２６および図２７参照）の点灯時に、ＬＥＤ光源１ｅ（図２６および図２７参照）が点灯される。
【０１９２】
詳細には、第７の実施形態のＬＥＤ照明装置１００では、ＬＥＤ光源１ｂ，１ｅ（図２６および図２７参照）の点灯時に、ＬＥＤ光源１ｂから照射され、平面ＰＬｂ（図２６および図２７参照）内を進み、プリズムシート３ａ（図２５参照）の同心円状の複数のプリズム３ａ１（図２５参照）を透過した光、および、ＬＥＤ光源１ｅから照射され、平面ＰＬｂ内を進み、プリズムシート３ａの同心円状の複数のプリズム３ａ１を透過した光によって、図２２（Ｃ）に示すように、プリズムシート３ａの同心円状の複数のプリズム３ａ１の径方向に延びている輝線ＢＬａ１ｂが第１プリズムシート３ａに形成される。
【０１９３】
更に、第７の実施形態のＬＥＤ照明装置１００では、ＬＥＤ光源１ｂ，１ｅ（図２６および図２７参照）の点灯時に、ＬＥＤ光源１ｂから照射され、平面ＰＬｂ（図２６および図２７参照）内を進み、プリズムシート３ｂ（図２５参照）の同心円状の複数のプリズム３ｂ１（図２５参照）を透過した光、および、ＬＥＤ光源１ｅから照射され、平面ＰＬｂ内を進み、プリズムシート３ｂの同心円状の複数のプリズム３ｂ１を透過した光によって、図２２（Ｄ）に示すように、プリズムシート３ｂの同心円状の複数のプリズム３ｂ１の径方向に延びている輝線ＢＬｂ１ｂがプリズムシート３ｂに形成される。
【０１９４】
また、第７の実施形態のＬＥＤ照明装置１００では、ＬＥＤ光源１ｂ，１ｅ（図２６および図２７参照）の点灯時に、ＬＥＤ光源１ｂから照射され、リフレクタ４ｂ１（図２７（Ａ）参照）の楕円系反射面によって反射され、リフレクタ４ｂ２（図２７（Ａ）参照）の反射面４ｂ２ａ（図２７（Ａ）参照）によって反射され、リフレクタ４ｂ３（図２７（Ａ）参照）の楕円系反射面によって反射され、リフレクタ４ｂ３の楕円系反射面の第２焦点４ｂ３ｃ（図２６（Ａ）参照）を透過し、平面ＰＬｂ１（図１３（Ｂ）参照）内を進み、プリズムシート３ａ（図２５参照）の同心円状の複数のプリズム３ａ１（図２５参照）を透過した光、および、ＬＥＤ光源１ｅから照射され、リフレクタ４ｅ１（図２７（Ｂ）参照）の楕円系反射面によって反射され、リフレクタ４ｅ２（図２７（Ｂ）参照）の反射面４ｅ２ａ（図２７（Ｂ）参照）によって反射され、リフレクタ４ｅ３（図２７（Ｂ）参照）の楕円系反射面によって反射され、リフレクタ４ｅ３の楕円系反射面の第２焦点４ｅ３ｃ（図２６（Ｂ）参照）を透過し、平面ＰＬｂ１（図１３（Ｂ）参照）内を進み、プリズムシート３ａの同心円状の複数のプリズム３ａ１を透過した光によって、図２２（Ｃ）に示すように、プリズムシート３ａの同心円状の複数のプリズム３ａ１の径方向に延びている輝線ＢＬａ１ｂ１が、プリズムシート３ａに形成される。
【０１９５】
更に、第７の実施形態のＬＥＤ照明装置１００では、第２ＬＥＤ光源１ｂ，１ｅ（図２６および図２７参照）の点灯時に、ＬＥＤ光源１ｂから照射され、リフレクタ４ｂ１（図２７（Ａ）参照）の楕円系反射面によって反射され、リフレクタ４ｂ２（図２７（Ａ）参照）の反射面４ｂ２ａ（図２７（Ａ）参照）によって反射され、リフレクタ４ｂ３（図２７（Ａ）参照）の楕円系反射面によって反射され、リフレクタ４ｂ３の楕円系反射面の第２焦点４ｂ３ｃ（図２６（Ａ）参照）を透過し、平面ＰＬｂ１（図１３（Ｂ）参照）内を進み、プリズムシート３ｂ（図２５参照）の同心円状の複数のプリズム３ｂ１（図２５参照）を透過した光、および、ＬＥＤ光源１ｅから照射され、リフレクタ４ｅ１（図２７（Ｂ）参照）の楕円系反射面によって反射され、リフレクタ４ｅ２（図２７（Ｂ）参照）の反射面４ｅ２ａ（図２７（Ｂ）参照）によって反射され、リフレクタ４ｅ３（図２７（Ｂ）参照）の楕円系反射面によって反射され、リフレクタ４ｅ３の楕円系反射面の第２焦点４ｅ３ｃ（図２６（Ｂ）参照）を透過し、平面ＰＬｂ１内を進み、プリズムシート３ｂ（図２５参照）の同心円状の複数のプリズム３ｂ１（図２５参照）を透過した光によって、図２２（Ｄ）に示すように、プリズムシート３ｂの同心円状の複数のプリズム３ｂ１の径方向に延びている輝線ＢＬｂ１ｂ１が、プリズムシート３ｂに形成される。
【０１９６】
また、第７の実施形態のＬＥＤ照明装置１００では、ＬＥＤ光源１ｂ，１ｅ（図２６および図２７参照）の点灯時に、ＬＥＤ光源１ｂから照射され、リフレクタ４ｂ４（図２７（Ａ）参照）の楕円系反射面によって反射され、リフレクタ４ｂ５（図２７（Ａ）参照）の反射面４ｂ５ａ（図２７（Ａ）参照）によって反射され、リフレクタ４ｂ６（図２７（Ａ）参照）の楕円系反射面によって反射され、リフレクタ４ｂ６の楕円系反射面の第２焦点４ｂ６ｃ（図２６（Ａ）参照）を透過し、平面ＰＬｂ２（図１５（Ｂ）参照）内を進み、プリズムシート３ａ（図２５参照）の同心円状の複数のプリズム３ａ１（図２５参照）を透過した光、および、ＬＥＤ光源１ｅから照射され、リフレクタ４ｅ４（図２７（Ｂ）参照）の楕円系反射面によって反射され、リフレクタ４ｅ５（図２７（Ｂ）参照）の反射面４ｅ５ａ（図２７（Ｂ）参照）によって反射され、リフレクタ４ｅ６（図２７（Ｂ）参照）の楕円系反射面によって反射され、リフレクタ４ｅ６の楕円系反射面の第２焦点４ｅ６ｃ（図２６（Ｂ）参照）を透過し、平面ＰＬｂ２内を進み、プリズムシート３ａ（図２５参照）の同心円状の複数のプリズム３ａ１（図２５参照）を透過した光によって、図２２（Ｃ）に示すように、プリズムシート３ａの同心円状の複数のプリズム３ａ１の径方向に延びている輝線ＢＬａ１ｂ２が、プリズムシート３ａに形成される。
【０１９７】
更に、第７の実施形態のＬＥＤ照明装置１００では、ＬＥＤ光源１ｂ，１ｅ（図２６および図２７参照）の点灯時に、ＬＥＤ光源１ｂから照射され、リフレクタ４ｂ４（図２７（Ａ）参照）の楕円系反射面によって反射され、リフレクタ４ｂ５（図２７（Ａ）参照）の反射面４ｂ５ａ（図２７（Ａ）参照）によって反射され、リフレクタ４ｂ６（図２７（Ａ）参照）の楕円系反射面によって反射され、リフレクタ４ｂ６の楕円系反射面の第２焦点４ｂ６ｃ（図２６（Ａ）参照）を透過し、平面ＰＬｂ２（図１５（Ｂ）参照）内を進み、プリズムシート３ｂ（図２５参照）の同心円状の複数のプリズム３ｂ１（図２５参照）を透過した光、および、ＬＥＤ光源１ｅから照射され、リフレクタ４ｅ４（図２７（Ｂ）参照）の楕円系反射面によって反射され、リフレクタ４ｅ５（図２７（Ｂ）参照）の反射面４ｅ５ａ（図２７（Ｂ）参照）によって反射され、リフレクタ４ｅ６（図２７（Ｂ）参照）の楕円系反射面によって反射され、リフレクタ４ｅ６の楕円系反射面の第２焦点４ｅ６ｃ（図２６（Ｂ）参照）を透過し、平面ＰＬｂ２内を進み、プリズムシート３ｂ（図２５参照）の同心円状の複数のプリズム３ｂ１（図２５参照）を透過した光によって、図２２（Ｄ）に示すように、プリズムシート３ｂの同心円状の複数のプリズム３ｂ１の径方向に延びている輝線ＢＬｂ１ｂ２が、プリズムシート３ｂに形成される。
【０１９８】
また、第７の実施形態のＬＥＤ照明装置１００では、ＬＥＤ光源１ｃ（図２６および図２７参照）の点灯時に、ＬＥＤ光源１ｆ（図２６および図２７参照）が点灯される。
【０１９９】
詳細には、第７の実施形態のＬＥＤ照明装置１００では、ＬＥＤ光源１ｃ，１ｆ（図２６および図２７参照）の点灯時に、ＬＥＤ光源１ｃから照射され、平面ＰＬｃ（図２６および図２７参照）内を進み、プリズムシート３ａ（図２５参照）の同心円状の複数のプリズム３ａ１（図２５参照）を透過した光、および、ＬＥＤ光源１ｆから照射され、平面ＰＬｃ内を進み、プリズムシート３ａの同心円状の複数のプリズム３ａ１を透過した光によって、図２２（Ｅ）に示すように、プリズムシート３ａの同心円状の複数のプリズム３ａ１の径方向に延びている輝線ＢＬａ１ｃがプリズムシート３ａに形成される。
【０２００】
更に、第７の実施形態のＬＥＤ照明装置１００では、ＬＥＤ光源１ｃ，１ｆ（図２６および図２７参照）の点灯時に、ＬＥＤ光源１ｃから照射され、平面ＰＬｃ（図２６および図２７参照）内を進み、プリズムシート３ｂ（図２５参照）の同心円状の複数のプリズム３ｂ１（図２５参照）を透過した光、および、ＬＥＤ光源１ｆから照射され、平面ＰＬｃ内を進み、プリズムシート３ｂの同心円状の複数のプリズム３ｂ１を透過した光によって、図２２（Ｆ）に示すように、プリズムシート３ｂの同心円状の複数のプリズム３ｂ１の径方向に延びている輝線ＢＬｂ１ｃが第２プリズムシート３ｂに形成される。
【０２０１】
また、第７の実施形態のＬＥＤ照明装置１００では、ＬＥＤ光源１ｃ，１ｆ（図２６および図２７参照）の点灯時に、ＬＥＤ光源１ｃから照射され、リフレクタ４ｃ１（図２７（Ａ）参照）の楕円系反射面によって反射され、リフレクタ４ｃ２（図２７（Ａ）参照）の反射面４ｃ２ａ（図２７（Ａ）参照）によって反射され、リフレクタ４ｃ３（図２７（Ａ）参照）の楕円系反射面によって反射され、リフレクタ４ｃ３（図２７（Ａ）参照）の楕円系反射面の第２焦点４ｃ３ｃ（図２６（Ａ）参照）を透過し、平面ＰＬｃ１（図１８（Ｂ）参照）内を進み、プリズムシート３ａ（図２５参照）の同心円状の複数のプリズム３ａ１（図２５参照）を透過した光、および、ＬＥＤ光源１ｆから照射され、リフレクタ４ｆ１（図２７（Ｂ）参照）の楕円系反射面によって反射され、リフレクタ４ｆ２（図２７（Ｂ）参照）の反射面４ｆ２ａ（図２７（Ｂ）参照）によって反射され、リフレクタ４ｆ３（図２７（Ｂ）参照）の楕円系反射面によって反射され、リフレクタ４ｆ３の楕円系反射面の第２焦点４ｆ３ｃ（図２６（Ｂ）参照）を透過し、平面ＰＬｃ１内を進み、プリズムシート３ａの同心円状の複数のプリズム３ａ１を透過した光によって、図２２（Ｅ）に示すように、プリズムシート３ａの同心円状の複数のプリズム３ａ１の径方向に延びている輝線ＢＬａ１ｃ１が、プリズムシート３ａに形成される。
【０２０２】
更に、第７の実施形態のＬＥＤ照明装置１００では、ＬＥＤ光源１ｃ，１ｆ（図２６および図２７参照）の点灯時に、ＬＥＤ光源１ｃから照射され、リフレクタ４ｃ１（図２７（Ａ）参照）の楕円系反射面によって反射され、リフレクタ４ｃ２（図２７（Ａ）参照）の反射面４ｃ２ａ（図２７（Ａ）参照）によって反射され、リフレクタ４ｃ３（図２７（Ａ）参照）の楕円系反射面によって反射され、リフレクタ４ｃ３の楕円系反射面の第２焦点４ｃ３ｃ（図２６（Ａ）参照）を透過し、平面ＰＬｃ１（図１８（Ｂ）参照）内を進み、プリズムシート３ｂ（図２５参照）の同心円状の複数のプリズム３ｂ１（図２５参照）を透過した光、および、ＬＥＤ光源１ｆから照射され、リフレクタ４ｆ１（図２７（Ｂ）参照）の楕円系反射面によって反射され、リフレクタ４ｆ２（図２７（Ｂ）参照）の反射面４ｆ２ａ（図２７（Ｂ）参照）によって反射され、リフレクタ４ｆ３（図２７（Ｂ）参照）の楕円系反射面によって反射され、リフレクタ４ｆ３の楕円系反射面の第２焦点４ｆ３ｃ（図２６（Ｂ）参照）を透過し、平面ＰＬｃ１内を進み、プリズムシート３ｂの同心円状の複数のプリズム３ｂ１を透過した光によって、図２２（Ｆ）に示すように、プリズムシート３ｂの同心円状の複数のプリズム３ｂ１の径方向に延びている輝線ＢＬｂ１ｃ１が、プリズムシート３ｂに形成される。
【０２０３】
また、第７の実施形態のＬＥＤ照明装置１００では、ＬＥＤ光源１ｃ，１ｆ（図２６および図２７参照）の点灯時に、ＬＥＤ光源１ｃから照射され、リフレクタ４ｃ４（図２７（Ａ）参照）の楕円系反射面によって反射され、リフレクタ４ｃ５（図２７（Ａ）参照）の反射面４ｃ５ａ（図２７（Ａ）参照）によって反射され、リフレクタ４ｃ６（図２７（Ａ）参照）の楕円系反射面によって反射され、リフレクタ４ｃ６の楕円系反射面の第２焦点４ｃ６ｃ（図２６（Ａ）参照）を透過し、平面ＰＬｃ２（図２０（Ｂ）参照）内を進み、プリズムシート３ａ（図２５参照）の同心円状の複数のプリズム３ａ１（図２５参照）を透過した光、および、ＬＥＤ光源１ｆから照射され、リフレクタ４ｆ４（図２７（Ｂ）参照）の楕円系反射面によって反射され、リフレクタ４ｆ５（図２７（Ｂ）参照）の反射面４ｆ５ａ（図２７（Ｂ）参照）によって反射され、リフレクタ４ｆ６（図２７（Ｂ）参照）の楕円系反射面によって反射され、リフレクタ４ｆ６の楕円系反射面の第２焦点４ｆ６ｃ（図２６（Ｂ）参照）を透過し、平面ＰＬｃ２内を進み、プリズムシート３ａの同心円状の複数のプリズム３ａ１を透過した光によって、図２２（Ｅ）に示すように、プリズムシート３ａの同心円状の複数のプリズム３ａ１の径方向に延びている輝線ＢＬａ１ｃ２が、プリズムシート３ａに形成される。
【０２０４】
更に、第７の実施形態のＬＥＤ照明装置１００では、ＬＥＤ光源１ｃ，１ｆ（図２６および図２７参照）の点灯時に、ＬＥＤ光源１ｃから照射され、リフレクタ４ｃ４（図２７（Ａ）参照）の楕円系反射面によって反射され、リフレクタ４ｃ５（図２７（Ａ）参照）の反射面４ｃ５ａ（図２７（Ａ）参照）によって反射され、リフレクタ４ｃ６（図２７（Ａ）参照）の楕円系反射面によって反射され、リフレクタ４ｃ６の楕円系反射面４ｃ６ａの第２焦点４ｃ６ｃ（図２６（Ａ）参照）を透過し、平面ＰＬｃ２（図２０（Ｂ）参照）内を進み、プリズムシート３ｂ（図２５参照）の同心円状の複数のプリズム３ｂ１（図２５参照）を透過した光、および、ＬＥＤ光源１ｆから照射され、リフレクタ４ｆ４（図２７（Ｂ）参照）の楕円系反射面によって反射され、リフレクタ４ｆ５（図２７（Ｂ）参照）の反射面４ｆ５ａ（図２７（Ｂ）参照）によって反射され、リフレクタ４ｆ６（図２７（Ｂ）参照）の楕円系反射面によって反射され、リフレクタ４ｆ６の楕円系反射面の第２焦点４ｆ６ｃ（図２６（Ｂ）参照）を透過し、平面ＰＬｃ２内を進み、プリズムシート３ｂの同心円状の複数のプリズム３ｂ１を透過した光によって、図２２（Ｆ）に示すように、プリズムシート３ｂの同心円状の複数のプリズム３ｂ１の径方向に延びている輝線ＢＬｂ１ｃ２が、プリズムシート３ｂに形成される。
【０２０５】
また、第７の実施形態のＬＥＤ照明装置１００では、ＬＥＤ光源１ｇ（図２６および図２７参照）の点灯時に、ＬＥＤ光源１ｊ（図２６および図２７参照）が点灯される。更に、ＬＥＤ光源１ｈ（図２６および図２７参照）の点灯時に、ＬＥＤ光源１ｋ（図２６および図２７参照）が点灯される。また、ＬＥＤ光源１ｉ（図２６および図２７参照）の点灯時に、ＬＥＤ光源１ｍ（図２６および図２７参照）が点灯される。
【０２０６】
第８の実施形態では、上述した第１から第７の実施形態および変形例を適宜組み合わせることも可能である。
【産業上の利用可能性】
【０２０７】
本発明のＬＥＤ照明装置は、例えば車両用灯具、一般照明装置、演出用照明装置などのような観察者に発光状態を見せるためのＬＥＤ照明装置に適用可能である。
【符号の説明】
【０２０８】
１ａ，１ｂ，１ｃ，１ｄ，１ｅ，１ｆ      ＬＥＤ光源
１ｇ，１ｈ，１ｉ，１ｊ，１ｋ，１ｍ      ＬＥＤ光源
２                                      基板
２ａ                                    穴
２ａ１                                  中心軸線
２ｂ１，２ｂ２，２ｂ３                  部分
２ｂ４，２ｂ５，２ｂ６                  部分
２ｃ１，２ｃ２，２ｃ３                  部分
２ｃ４，２ｃ５，２ｃ６                  部分
３ａ，３ｂ                              プリズムシート
３ａ１，３ｂ１                          プリズム
３ａ１ａ，３ｂ１ａ                      稜線
３ａ１ａ１，３ｂ１ａ１                  中心
３ａ２，３ｂ２                          法線
３ａ３，３ｂ３                          内側表面
４ａ，４ｂ，４ｃ，４ｄ，４ｅ，４ｆ      リフレクタ群
４ｇ，４ｈ，４ｉ，４ｊ，４ｋ，４ｍ      リフレクタ群
４ａ１，４ａ２，４ａ３                  リフレクタ
４ａ４，４ａ５，４ａ６                  リフレクタ
４ａ１ａ，４ａ３ａ，４ａ４ａ，４ａ６ａ  楕円系反射面
４ａ１ｂ，４ａ３ｂ，４ａ４ｂ，４ａ６ｂ  第１焦点
４ａ１ｃ，４ａ３ｃ，４ａ４ｃ，４ａ６ｃ  第２焦点
４ａ２ａ，４ａ５ａ                      反射面
４ｂ１，４ｂ２，４ｂ３                  リフレクタ
４ｂ４，４ｂ５，４ｂ６                  リフレクタ
４ｂ１ａ，４ｂ３ａ，４ｂ４ａ，４ｂ６ａ  楕円系反射面
４ｂ１ｂ，４ｂ３ｂ，４ｂ４ｂ，４ｂ６ｂ  第１焦点
４ｂ１ｃ，４ｂ３ｃ，４ｂ４ｃ，４ｂ６ｃ  第２焦点
４ｂ２ａ，４ｂ５ａ                      反射面
４ｃ１，４ｃ２，４ｃ３                  リフレクタ
４ｃ４，４ｃ５，４ｃ６                  リフレクタ
４ｃ１ａ，４ｃ３ａ，４ｃ４ａ，４ｃ６ａ  楕円系反射面
４ｃ１ｂ，４ｃ３ｂ，４ｃ４ｂ，４ｃ６ｂ  第１焦点
４ｃ１ｃ，４ｃ３ｃ，４ｃ４ｃ，４ｃ６ｃ  第２焦点
４ｃ２ａ，４ｃ５ａ                      反射面
４ｄ１，４ｄ２，４ｄ３                  リフレクタ
４ｄ４，４ｄ５，４ｄ６                  リフレクタ
４ｄ１ａ，４ｄ３ａ，４ｄ４ａ，４ｄ６ａ  楕円系反射面
４ｄ１ｂ，４ｄ３ｂ，４ｄ４ｂ，４ｄ６ｂ  第１焦点
４ｄ１ｃ，４ｄ３ｃ，４ｄ４ｃ，４ｄ６ｃ  第２焦点
４ｄ２ａ，４ｄ５ａ                      反射面
４ｅ１，４ｅ２，４ｅ３                  リフレクタ
４ｅ４，４ｅ５，４ｅ６                  リフレクタ
４ｅ１ｂ，４ｅ３ｂ，４ｅ４ｂ，４ｅ６ｂ  第１焦点
４ｅ１ｃ，４ｅ３ｃ，４ｅ４ｃ，４ｅ６ｃ  第２焦点
４ｅ２ａ，４ｅ５ａ                      反射面
４ｆ１，４ｆ２，４ｆ３                  リフレクタ
４ｆ４，４ｆ５，４ｆ６                  リフレクタ
４ｆ１ｂ，４ｆ３ｂ，４ｆ４ｂ，４ｆ６ｂ  第１焦点
４ｆ１ｃ，４ｆ３ｃ，４ｆ４ｃ，４ｆ６ｃ  第２焦点
４ｆ２ａ，４ｆ５ａ                      反射面
５ａ，５ｂ                              ハウジング
１００                                  ＬＥＤ照明装置
２００                                  被取付部材
ＰＬａ，ＰＬａ１，ＰＬａ２              平面
ＰＬｂ，ＰＬｂ１，ＰＬｂ２              平面
ＰＬｃ，ＰＬｃ１，ＰＬｃ２              平面
ＣＲ１，ＣＲ２                          円
ＳＰ                                    対称面
ＢＬａ１ａ，ＢＬａ１ａ１，ＢＬａ１ａ２  輝線
ＢＬｂ１ａ，ＢＬｂ１ａ１，ＢＬｂ１ａ２  輝線
ＢＬａ１ｂ，ＢＬａ１ｂ１，ＢＬａ１ｂ２  輝線
ＢＬｂ１ｂ，ＢＬｂ１ｂ１，ＢＬｂ１ｂ２  輝線
ＢＬａ１ｃ，ＢＬａ１ｃ１，ＢＬａ１ｃ２  輝線
ＢＬｂ１ｃ，ＢＬｂ１ｃ１，ＢＬｂ１ｃ２  輝線
ＢＬａ１ｇ，ＢＬａ１ｇ１，ＢＬａ１ｇ２  輝線
ＢＬｂ１ｇ，ＢＬｂ１ｇ１，ＢＬｂ１ｇ２  輝線
ＢＬａ１ｈ，ＢＬａ１ｈ１，ＢＬａ１ｈ２  輝線
ＢＬｂ１ｈ，ＢＬｂ１ｈ１，ＢＬｂ１ｈ２  輝線
ＢＬａ１ｉ，ＢＬａ１ｉ１，ＢＬａ１ｉ２  輝線
ＢＬｂ１ｉ，ＢＬｂ１ｉ１，ＢＬｂ１ｉ２  輝線
【図１】
2013197063.tif 000003
【図２】
2013197063.tif 000004
【図３】
2013197063.tif 000005
【図４】
2013197063.tif 000006
【図５】
2013197063.tif 000007
【図６】
2013197063.tif 000008
【図７】
2013197063.tif 000009
【図８】
2013197063.tif 000010
【図９】
2013197063.tif 000011
【図１０】
2013197063.tif 000012
【図１１】
2013197063.tif 000013
【図１２】
2013197063.tif 000014
【図１３】
2013197063.tif 000015
【図１４】
2013197063.tif 000016
【図１５】
2013197063.tif 000017
【図１６】
2013197063.tif 000018
【図１７】
2013197063.tif 000019
【図１８】
2013197063.tif 000020
【図１９】
2013197063.tif 000021
【図２０】
2013197063.tif 000022
【図２１】
2013197063.tif 000023
【図２２】
2013197063.tif 000024
【図２３】
2013197063.tif 000025
【図２４】
2013197063.tif 000026
【図２５】
2013197063.tif 000027
【図２６】
2013197063.tif 000028
【図２７】
2013197063.tif 000029
【図２８】
2013197063.tif 000030
【図２９】
2013197063.tif 000031
【図３０】
2013197063.tif 000032
【図３１】
2013197063.tif 000033
【図３２】
2013197063.tif 000034
【図３３】
2013197063.tif 000035
【図３４】
2013197063.tif 000036
【図３５】
2013197063.tif 000037
【図３６】
2013197063.tif 000038